(57)【要約】【課題】被写体の識別情報を知っているユーザが撮影スポットにいる被写体の撮影データを取得することができるとともに、識別情報を知らない第三者による盗撮等の行為を防止することができる撮影制御方法を提供する。【解決手段】撮影スポットを含むエリアに被写体がいることを示す第１の被写体情報を取得し、前記第１の被写体情報を取得したとき、１以上の撮影データを取得するために前記撮影スポットに向けて設置された撮影カメラで前記撮影スポットを撮影し、撮影カメラで撮影された１つ以上の撮影データを撮影データ一時記憶部に一時保存し、被写体を識別する識別情報を取得し、前記撮影データ一時記憶部に一時保存された１つ以上の撮影データの中から、前記識別情報の取得において取得した前記識別情報に該当する撮影データを少なくとも１つ抽出し、前記抽出した少なくとも１つの撮影データを前記被写体の識別情報に紐付けて撮影データ記憶部に保存する。【選択図】図１６
2018186544.tif 000002
【特許請求の範囲】
【請求項１】
撮影制御システムの撮影制御方法であって、
撮影スポットを含むエリアに被写体がいることを示す第１の被写体情報を取得し、
前記第１の被写体情報を取得したとき、１以上の撮影データを取得するために前記撮影スポットに向けて設置された撮影カメラで前記撮影スポットを撮影し、
前記撮影カメラで撮影された前記１つ以上の撮影データを撮影データ一時記憶部に一時保存し、
前記被写体を識別する識別情報を取得し、
前記撮影データの中から少なくとも１つ以上の撮影データと前記識別情報または前記第１の被写体情報とを紐付けるテーブルを生成し、
前記撮影データ一時記憶部に一時保存された１つ以上の撮影データの中から、前記識別情報の取得において取得した前記被写体の識別情報または前記第１の被写体情報に該当する撮影データを少なくとも１つ抽出し、
前記抽出した少なくとも１つの撮影データを前記被写体の識別情報に紐付けて撮影データ記憶部に保存し、
前記第１の被写体情報の取得において、前記第１の被写体情報として、前記識別情報が示す情報と同じ情報が取得され、
前記第１の被写体情報は、前記被写体が前記エリアに入るときに取得され、
前記テーブルは、前記少なくとも１つ以上の撮影データと前記第１の被写体情報とが紐付けられ、
前記抽出において、前記テーブルを用いて、前記被写体の識別情報と同じ前記第１の被写体情報に該当する撮影データが少なくとも１つ抽出され、
更に、前記第１の被写体情報が取得された第１の時刻を示す第１の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記抽出において、前記撮影データ一時記憶部に一時保存された１つ以上の撮影データの中から、前記識別情報を取得した時刻と一致する撮影時刻の撮影データが前記少なくとも１つの撮影データとして抽出される、
撮影制御方法。
【請求項２】
撮影制御システムの撮影制御方法であって、
撮影スポットを含むエリアに被写体がいることを示す第１の被写体情報を取得し、
前記第１の被写体情報を取得したとき、１以上の撮影データを取得するために前記撮影スポットに向けて設置された撮影カメラで前記撮影スポットを撮影し、
前記撮影カメラで撮影された前記１つ以上の撮影データを撮影データ一時記憶部に一時保存し、
前記被写体を識別する識別情報を取得し、
前記撮影データの中から少なくとも１つ以上の撮影データと前記識別情報または前記第１の被写体情報とを紐付けるテーブルを生成し、
前記撮影データ一時記憶部に一時保存された１つ以上の撮影データの中から、前記識別情報の取得において取得した前記被写体の識別情報または前記第１の被写体情報に該当する撮影データを少なくとも１つ抽出し、
前記抽出した少なくとも１つの撮影データを前記被写体の識別情報に紐付けて撮影データ記憶部に保存し、
前記第１の被写体情報の取得において、前記第１の被写体情報として、前記識別情報が示す情報と同じ情報が取得され、
前記第１の被写体情報は、前記被写体が前記エリアに入るときに取得され、
前記テーブルは、前記少なくとも１つ以上の撮影データと前記第１の被写体情報とが紐付けられ、
前記抽出において、前記テーブルを用いて、前記被写体の識別情報と同じ前記第１の被写体情報に該当する撮影データが少なくとも１つ抽出され、
更に、前記第１の被写体情報と前記第１の被写体情報が取得された第１の時刻を示す第１の時刻情報を、前記撮影データ一時記憶部に一時保存し、
前記被写体が前記エリアから出るときに、前記第１の被写体情報と同じ情報である第２の被写体情報を取得し、
前記第２の被写体情報が取得された第２の時刻を示す第２の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記識別情報の取得において、ユーザから指定された第３の時刻を示す第３の時刻情報が前記識別情報とともに取得され、
前記第３の時刻は、前記第１の時刻と前記第２の時刻との間の時刻であり、
前記抽出において、前記撮影データ一時記憶部に一時保存された１つ以上の撮影データの中から、前記第３の時刻と一致する撮影時刻の撮影データが前記少なくとも１つの撮影データとして、抽出される、
撮影制御方法。
【請求項３】
撮影制御システムの撮影制御方法であって、
撮影スポットを含むエリアに被写体がいることを示す第１の被写体情報を取得し、
前記第１の被写体情報を取得したとき、１以上の撮影データを取得するために前記撮影スポットに向けて設置された撮影カメラで前記撮影スポットを撮影し、
前記撮影カメラで撮影された前記１つ以上の撮影データを撮影データ一時記憶部に一時保存し、
前記被写体を識別する識別情報を取得し、
前記撮影データの中から少なくとも１つ以上の撮影データと前記識別情報または前記第１の被写体情報とを紐付けるテーブルを生成し、
前記撮影データ一時記憶部に一時保存された１つ以上の撮影データの中から、前記識別情報の取得において取得した前記被写体の識別情報または前記第１の被写体情報に該当する撮影データを少なくとも１つ抽出し、
前記抽出した少なくとも１つの撮影データを前記被写体の識別情報に紐付けて撮影データ記憶部に保存し、
前記第１の被写体情報の取得において、前記第１の被写体情報として、前記識別情報が示す情報と同じ情報が取得され、
前記第１の被写体情報は、前記被写体が前記エリアに入るときに取得され、
前記テーブルは、前記少なくとも１つ以上の撮影データと前記第１の被写体情報とが紐付けられ、
前記抽出において、前記テーブルを用いて、前記被写体の識別情報と同じ前記第１の被写体情報に該当する撮影データが少なくとも１つ抽出され、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記抽出において、前記撮影データ一時記憶部に一時保存された１つ以上の撮影データの中から、ユーザから指定された撮影時刻の撮影データが前記少なくとも１つの撮影データとして、抽出される、
撮影制御方法。
【請求項４】
前記撮影において、前記撮影スポットは一定の時間間隔で前記撮影カメラにより繰り返し撮影され、
前記撮影は、撮影開始から一定時間が経過した際に終了される、
請求項１〜３のいずれか１項に記載の撮影制御方法。
【請求項５】
前記識別情報は、バーコードを用いて表される、
請求項１〜３のいずれか１項に記載の撮影制御方法。
【請求項６】
前記識別情報は、前記被写体の顔画像の特徴を示す特徴情報である、
請求項１〜３のいずれか１項に記載の撮影制御方法。
【請求項７】
前記識別情報は、利用可能な前記撮影カメラ及び利用可能な日時のうち少なくとも一方が制限される利用条件を有する、
請求項１〜３のいずれか１項に記載の撮影制御方法。
【請求項８】
前記撮影制御方法は、更に、
前記第１の被写体情報の取得において取得した前記第１の被写体情報と、前記識別情報の取得において取得した前記識別情報とが一致する場合、前記被写体が撮影可能になっている撮影スポットをユーザが操作する端末に通知する、
請求項１〜３のいずれか１項に記載の撮影制御方法。
【請求項９】
前記撮影カメラは、複数の撮影カメラであり、
前記撮影データ一時記憶部は、複数の撮影データ一時記憶部であり、
前記一時保存において、前記複数の撮影カメラで撮影された複数の撮影データが前記複数の撮影データ一時記憶部に一時保存され、
前記抽出においては、前記複数の撮影データ一時記憶部に一時保存された複数の撮影データから、前記識別情報の取得において取得した前記識別情報に該当する撮影データが少なくとも１つ抽出される、
請求項１〜３のいずれか１項に記載の撮影制御方法。
【請求項１０】
前記抽出において、前記少なくとも１つの撮影データは、前記複数の撮影データ一時記憶部に一時保存された複数の撮影データから抽出され、
前記保存において、前記少なくとも１つの撮影データは、前記識別情報に紐付けて前記撮影データ記憶部に保存される、
請求項９に記載の撮影制御方法。
【請求項１１】
前記撮影カメラは、複数の撮影カメラであり、
前記一時保存において、前記複数の撮影カメラにより撮影された複数の撮影データが前記撮影データ一時記憶部に一時保存される、
請求項１〜３のいずれか１項に記載の撮影制御方法。
【請求項１２】
前記撮影カメラは、撮影スポットを互いに異なる撮影状態で撮影する複数の撮影カメラを含み、
前記撮影において、前記複数の撮影カメラに対して同時に撮影指示を出す、
請求項１〜３のいずれか１項に記載の撮影制御方法。
【請求項１３】
撮影制御システムであって、
撮影スポットに向けて設置された撮影カメラと、
前記撮影スポットを含むエリアに被写体がいることを示す第１の被写体情報を取得する被写体情報取得部と、
前記撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記一次撮影制御部は、更に、前記第１の被写体情報が取得された第１の時刻を示す第１の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記二次撮影制御部は、前記撮影データ一時記憶部に一時保存された１つ以上の撮影データの中から、前記識別情報を取得した時刻と一致する撮影時刻の撮影データを前記少なくとも１つの撮影データとして抽出する、
撮影制御システム。
【請求項１４】
撮影制御システムであって、
撮影スポットに向けて設置された撮影カメラと、
前記撮影スポットを含むエリアに被写体がいることを示す第１の被写体情報を取得する被写体情報取得部と、
前記撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記一次撮影制御部は、更に、前記第１の被写体情報と前記第１の被写体情報が取得された第１の時刻を示す第１の時刻情報を、前記撮影データ一時記憶部に一時保存し、前記被写体が前記エリアから出るときに、前記第１の被写体情報と同じ情報である第２の被写体情報を取得し、前記第２の被写体情報が取得された第２の時刻を示す第２の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記識別情報取得部は、ユーザから指定された第３の時刻を示す第３の時刻情報を前記識別情報とともに取得し、
前記第３の時刻は、前記第１の時刻と前記第２の時刻との間の時刻であり、
前記二次撮影制御部は、前記撮影データ一時記憶部に一時保存された１つ以上の撮影データの中から、前記第３の時刻と一致する撮影時刻の撮影データを前記少なくとも１つの撮影データとして、抽出する、
撮影制御システム。
【請求項１５】
撮影制御システムであって、
撮影スポットに向けて設置された撮影カメラと、
前記撮影スポットを含むエリアに被写体がいることを示す第１の被写体情報を取得する被写体情報取得部と、
前記撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記二次撮影制御部は、前記撮影データ一時記憶部に一時保存された１つ以上の撮影データの中から、ユーザから指定された撮影時刻の撮影データを前記少なくとも１つの撮影データとして、抽出する、
撮影制御システム。
【請求項１６】
撮影制御サーバであって、
撮影スポットを含むエリアに前記被写体がいることを示す第１の被写体情報を取得する被写体情報取得部と、
前記撮影スポットに向けて設置された撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記一次撮影制御部は、更に、前記第１の被写体情報が取得された第１の時刻を示す第１の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記二次撮影制御部は、前記撮影データ一時記憶部に一時保存された１つ以上の撮影データの中から、前記識別情報を取得した時刻と一致する撮影時刻の撮影データを前記少なくとも１つの撮影データとして抽出する、
撮影制御サーバ。
【請求項１７】
撮影制御サーバであって、
撮影スポットを含むエリアに前記被写体がいることを示す第１の被写体情報を取得する被写体情報取得部と、
前記撮影スポットに向けて設置された撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記一次撮影制御部は、更に、前記第１の被写体情報と前記第１の被写体情報が取得された第１の時刻を示す第１の時刻情報を、前記撮影データ一時記憶部に一時保存し、前記被写体が前記エリアから出るときに、前記第１の被写体情報と同じ情報である第２の被写体情報を取得し、前記第２の被写体情報が取得された第２の時刻を示す第２の時刻情報を、前記撮影データ一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記識別情報取得部は、ユーザから指定された第３の時刻を示す第３の時刻情報を前記識別情報とともに取得し、
前記第３の時刻は、前記第１の時刻と前記第２の時刻との間の時刻であり、
前記二次撮影制御部は、前記撮影データ一時記憶部に一時保存された１つ以上の撮影データの中から、前記第３の時刻と一致する撮影時刻の撮影データを前記少なくとも１つの撮影データとして、抽出する、
撮影制御サーバ。
【請求項１８】
撮影制御サーバであって、
撮影スポットを含むエリアに前記被写体がいることを示す第１の被写体情報を取得する被写体情報取得部と、
前記撮影スポットに向けて設置された撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存し、
前記被写体情報取得部は、前記第１の被写体情報として、前記識別情報が示す情報と同じ情報を取得し、
前記第１の被写体情報は、前記被写体が前記エリアに入るときに取得され、
前記テーブルは、前記少なくとも１つ以上の撮影データと前記第１の被写体情報とが紐付けられ、
前記二次撮影制御部は、前記テーブルを用いて、前記被写体の識別情報と同じ前記第１の被写体情報に該当する撮影データを少なくとも１つ抽出し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記二次撮影制御部は、前記撮影データ一時記憶部に一時保存された１つ以上の撮影データの中から、ユーザから指定された撮影時刻の撮影データを前記少なくとも１つの撮影データとして、抽出する、
撮影制御サーバ。
【発明の詳細な説明】
【技術分野】
【０００１】
本開示は、所定の撮影スポットにいる被写体を撮影する撮影制御方法、撮影制御システム及び撮影制御サーバに関し、例えば、テーマパーク、アミューズメント施設、及び観光地などの撮影スポットに設置される遠隔操作可能な撮影カメラを用いて撮影を行うための撮影制御方法等に関するものである。
【背景技術】
【０００２】
テーマパークやアミューズメント施設におけるアトラクション、パビリオン等の施設、及び観光地の景観が優れている場所など、ユーザが写真や動画などを撮影することを望む場所（以下「撮影スポット」という。）にカメラを設置し、設置したカメラを用いた撮影を提供するサービスが検討されている。このサービスによれば、ユーザの所有するカメラなどを用いて撮影するよりもブレのない綺麗な写真を得ることができたり、ユーザが立ち入ることができない場所からの撮影も可能となったりするので、ユーザの満足度を高めることができる。
【０００３】
このようなサービスを提供する一例として、遊園地のアトラクションの乗り物（ライド）に乗っているユーザを、カメラの前を通り過ぎる瞬間に、センサー等を用いて自動的に撮影し、撮影後に撮影した写真をユーザに見せて選ばせることで写真を提供するものが数多く見られる。
【０００４】
また、設置したカメラをユーザに直接操作させて撮影させるシステムの一例として、ユーザに操作端末（例えば、リモコン）を貸し出し、操作端末からの指示により設置したカメラでの撮影を行わせるものがある（例えば、特許文献１参照）。しかしながら、このようなサービスは、同じカメラを複数のユーザが使うことが想定されるが、同時にカメラ操作をできるのは１人だけになるので、複数の人が同時にシャッターを切ることはできない。
【０００５】
一方で、動画を撮影しておいて、それぞれのユーザが撮影を指示したタイミングの静止画を動画から切り出すことで、それを実現することは可能である。例えば、カメラで撮影した動画をメモリカードに記録し、撮影後に動画再生モードに切り替えた上で、再生中の動画の中から所望の画像が表示された際に、シャッターボタンを押すことで、画像を静止画としてメモリカードに記録するといった方法である（例えば、特許文献２参照）。
【０００６】
このように、設置されたカメラを用いた撮影システムを利用し、上記したような技術を組み合わせることにより、例えば、アトラクション内の撮影スポットで遊んでいる子供たちを、それぞれの親が、設置された同じカメラを用いて撮影するといったことが可能である。
【先行技術文献】
【特許文献】
【０００７】
【特許文献１】特開平１１−２１５４２１号公報
【特許文献２】特開２００２−１６５１７４号公報
【発明の概要】
【発明が解決しようとする課題】
【０００８】
しかしながら、上記したような従来の撮影方法では、プライバシーの観点において、更なる改善が必要とされていた。
【０００９】
本開示は、被写体を識別する識別情報を知っているユーザが、撮影スポットにいる被写体の撮影データを取得することができるとともに、識別情報を知らない第三者による盗撮等の行為を防止することができる撮影制御方法、撮影制御システム及び撮影制御サーバを提供する。
【課題を解決するための手段】
【００１０】
本開示の一態様に係る撮影制御方法は、撮影制御システムの撮影制御方法であって、撮影スポットを含むエリアに前記被写体がいることを示す第１の被写体情報を取得する被写体情報取得ステップと、前記第１の被写体情報を取得したとき、１以上の撮影データを取得するために前記撮影スポットに向けて設置された撮影カメラで前記撮影スポットを撮影し、前記撮影カメラで撮影された前記１つ以上の撮影データを撮影データ一時記憶部に一時保存し、前記被写体を識別する識別情報を取得し、前記撮影データ一時記憶部に一時保存された１つ以上の撮影データの中から、前記識別情報の取得において取得した前記識別情報に該当する撮影データを少なくとも１つ抽出し、前記抽出した少なくとも１つの撮影データを前記被写体の識別情報に紐付けて撮影データ記憶部に保存し、前記第１の被写体情報の取得において、前記第１の被写体情報として、前記識別情報が示す情報と同じ情報が取得され、前記第１の被写体情報は、前記被写体が前記エリアに入るときに取得され、前記テーブルは、前記少なくとも１つ以上の撮影データと前記第１の被写体情報とが紐付けられ、前記抽出において、前記テーブルを用いて、前記被写体の識別情報と同じ前記第１の被写体情報に該当する撮影データが少なくとも１つ抽出され、更に、前記第１の被写体情報が取得された第１の時刻を示す第１の時刻情報を、前記撮影データ一時記憶部に一時保存し、前記撮影において前記撮影スポットは一定の時間間隔で前記撮影カメラにより繰り返し撮影され、前記撮影において取得される前記１つ以上の撮影データは、前記撮影カメラの撮影時刻が互いに異なる複数の撮影データであり、前記抽出において、前記撮影データ一時記憶部に一時保存された１つ以上の撮影データの中から、前記識別情報を取得した時刻と一致する撮影時刻の撮影データが前記少なくとも１つの撮影データとして抽出される。
【発明の効果】
【００１１】
本開示によれば、被写体を識別する識別情報を知っているユーザが、撮影スポットにいる被写体の撮影データを少なくとも１つ取得することができるとともに、識別情報を知らない第三者による盗撮等の行為を防止することができる。
【００１２】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【図面の簡単な説明】
【００１３】
【図１】本開示の第１の実施形態に係る撮影制御システムの利用風景の一例を示す図である。
【図２】図１に示す撮影カメラの一例の外観を示す図である。
【図３】図１に示す撮影用端末の一例の外観を示す図である。
【図４】図１に示す受付端末の一例の外観を示す図である。
【図５】本開示の第１の実施形態に係る撮影制御システムに使用される被写体識別バーコードカードの一例の外観を示す図である。
【図６】図１に示す撮影用端末の代わりに携帯端末を用いて、撮影者が撮影を行う様子の一例を示す図である。
【図７】本開示の第１の実施形態に係る撮影制御システムの構成の一例を示すブロック図である。
【図８】図７に示す撮影制御システムの一次撮影処理の時間の流れの一例を示すタイムチャートである。
【図９】図７に示す撮影制御システムの一次撮影処理で撮影される撮影データの一例を示すイメージ図である。
【図１０Ａ】図７に示す撮影制御システムの一次撮影処理の被写体ＩＤと撮影データとの対応を管理するテーブルの一例を示す図である。
【図１０Ｂ】図７に示す撮影制御システムの一次撮影処理の被写体ＩＤと撮影データとの対応を管理するテーブルの一例を示す図である。
【図１０Ｃ】図７に示す撮影制御システムの一次撮影処理の被写体ＩＤと撮影データとの対応を管理するテーブルの一例を示す図である。
【図１０Ｄ】図７に示す撮影制御システムの一次撮影処理の被写体ＩＤと撮影データとの対応を管理するテーブルの一例を示す図である。
【図１０Ｅ】図７に示す撮影制御システムの一次撮影処理の被写体ＩＤと撮影データとの対応を管理するテーブルの一例を示す図である。
【図１０Ｆ】図７に示す撮影制御システムの一次撮影処理の被写体ＩＤと撮影データとの対応を管理するテーブルの一例を示す図である。
【図１１】図７に示す撮影制御システムの一次撮影処理の被写体ＩＤと撮影データとの対応を管理するテーブルの一例を示す図である。
【図１２】図７に示す撮影制御システムの一次撮影処理の手順の一例を示すフローチャートである。
【図１３】図７に示す撮影制御システムの二次撮影処理の時間の流れの一例を示すタイムチャートである。
【図１４】図７に示す撮影制御システムの二次撮影処理で撮影される撮影データの一例を示すイメージ図である。
【図１５】図７に示す撮影制御システムの二次撮影処理の被写体ＩＤと、撮影時刻、撮影指示及び撮影データとの対応を管理するテーブルの一例を示す図である。
【図１６】図７に示す撮影制御システムの二次撮影処理の手順の一例を示すフローチャートである。
【図１７】本開示の第２の実施形態に係る撮影制御システムの利用風景の一例を示す図である。
【図１８】図１７に示す撮影制御システムの利用風景における撮影シーンの一例を示す図である。
【図１９】図１８に示す被写体の被写体識別バーコードタグの装着例を示す図である。
【図２０】本開示の第２の実施形態に係る撮影制御システムの構成の一例を示すブロック図である。
【図２１】図２０に示す撮影制御システムの一次撮影処理の時間の流れの一例を示すタイムチャートである。
【図２２】図２０に示す撮影制御システムの一次撮影処理の撮影データを管理するテーブルの一例を示す図である。
【図２３】図２０に示す撮影制御システムの一次撮影処理の手順の一例を示すフローチャートである。
【図２４】図２０に示す撮影制御システムの二次撮影処理の被写体ＩＤと撮影データとの対応を管理するテーブルの一例を示す図である。
【図２５】図２０に示す撮影制御システムの二次撮影処理の手順の一例を示すフローチャートである。
【図２６】本開示の第３の実施形態に係る撮影制御システムの利用風景の一例を示す図である。
【図２７】図２６に示す撮影制御システムの利用風景における撮影シーンの一例を示す図である。
【図２８】図２７に示す被写体が装着する被写体識別リストバンドの一例の外観を示す図である。
【図２９】本開示の第３の実施形態に係る撮影制御システムの構成の一例を示すブロック図である。
【図３０】図２９に示す撮影制御システムの撮影処理の被写体ＩＤと撮影データとの対応を管理するテーブルの一例を示す図である。
【図３１】図２９に示す撮影制御システムの撮影処理の手順の一例を示すフローチャートである。
【発明を実施するための形態】
【００１４】
（本開示の基礎となった知見）
上記の特許文献１では、ユーザに操作端末（例えば、リモコン）を貸し出し、操作端末からの指示により、設置したカメラでの撮影を行わせているので、被写体に無関係の第三者が、設置されたカメラを利用して撮影を行い、撮影データを取得することが可能であり、プライバシーの観点で望ましくない。
【００１５】
また、上記特許文献２では、再生中の動画の中から所望の画像が表示された際に、シャッターボタンを押すことで、画像を静止画としてメモリカードに記録しているので、設置されたカメラを用いて、アトラクション内の撮影スポットで遊んでいる複数の子供たちを動画で撮影し、それぞれの親が動画の中から自身の子供の静止画を取得することができるが、ある親が自身の子供でない子供の静止画を取得することが可能であり、上記と同様にプライバシーの観点で望ましくない。また、撮影したい被写体とは関係のない撮影データによって、撮影用の記憶装置を無駄に消費してしまうことにもなる。
【００１６】
本開示は、被写体を識別する識別情報を知っているユーザが、撮影スポットにいる被写体の撮影データを取得することができるとともに、識別情報を知らない第三者による盗撮等の行為を防止することができる撮影制御方法、撮影制御システム及び撮影制御サーバを提供する。
【００１７】
本開示の一態様に係る撮影制御方法は、所定の撮影スポットにいる被写体を撮影する撮影制御システムの撮影制御方法である。撮影制御方法は、撮影スポットを含むエリアに被写体がいることを示す被写体情報を取得し、前記第１の被写体情報を取得したとき、１以上の撮影データを取得するために前記撮影スポットに向けて設置された撮影カメラで前記撮影スポットを撮影し、前記撮影カメラで撮影された１つ以上の撮影データを撮影データ一時記憶部に一時保存し、前記被写体を識別する識別情報を取得し、前記撮影データ一時記憶部に一時保存された１つ以上の撮影データの中から、前記識別情報の取得おいて取得した前記識別情報に該当する撮影データを少なくとも１つ抽出し、前記抽出した少なくとも１つの撮影データを前記被写体の識別情報に紐付けて撮影データ記憶部に保存する。
【００１８】
この構成によると、撮影スポットに被写体がいることを示す第１の被写体情報を取得したとき、撮影スポットに向けて設置された撮影カメラで撮影された１つ以上の撮影データを撮影データ一時記憶部に一時保存している。この場合、１つ以上の撮影データの中には、撮影スポットにいる被写体を撮影した撮影データを含み得る。また、撮影制御方法は被写体を識別する識別情報を取得し、撮影データ一時記憶部に一時保存された１つ以上の撮影データの中から、取得した被写体の識別情報に該当する撮影データを少なくとも１つ抽出し、抽出した撮影データを被写体の識別情報に紐付けて撮影データ記憶部に保存しているので、被写体を識別する識別情報を知っているユーザのみが被写体の識別情報に該当する撮影スポットにいる被写体を撮影した撮影データを取得することができる。
【００１９】
この結果、撮影スポットに向けて設置された撮影カメラを用いて撮影を行う撮影制御システムにおいて、被写体を識別する識別情報を知っているユーザは、識別情報に該当する撮影データを取得することができるので、撮影スポットにいる被写体が撮影された撮影データを取得でき、また、識別情報を知らない第三者は、撮影スポットにいる被写体が撮影された撮影データを取得できないので、第三者による盗撮等の行為を防止することもできる。
【００２０】
前記被写体情報の取得において、前記第１の被写体情報として、前記識別情報が示す情報と同じ情報が取得されてもよい。前記第１の被写体情報は、前記被写体が前記エリアに入るときに取得されてもよい。
【００２１】
この構成によると、被写体が撮影スポットを含むエリアに入る際に、被写体が保有する第１の被写体情報を取得することで、自動的に撮影カメラによる被写体の撮影を開始することができ、撮影された１つ以上の撮影データの中から被写体の撮影された画像を取得することができる。
【００２２】
前記第１の被写体情報の取得において、前記第１の被写体情報として、前記エリア内に動体が検出されたことを示す動体検出情報が取得されるようにしてもよい。
【００２３】
この構成によると、被写体やユーザが明示的に撮影開始を指示しなくても、被写体の撮影が開始され、撮影された１つ以上の撮影データからユーザが被写体の撮影された画像を取得することができる。
【００２４】
前記第１の被写体情報の取得において、前記第１の被写体情報として、前記識別情報の取得において取得した前記識別情報が取得されるようにしてもよい。
【００２５】
この構成によると、ユーザが被写体自身である場合に、撮影スポットで所望するタイミングで撮影指示を出すことができる。
【００２６】
前記撮影において、前記撮影スポットは一定の時間間隔で前記撮影カメラにより繰り返し撮影されてもよい。前記撮影において、撮影開始から一定時間が経過した際に撮影を終了されるようにしてもよい。
【００２７】
この構成によると、被写体が前記エリアを離れる際に識別情報を通知しなくても、撮影が自動的に停止される。
【００２８】
前記撮影制御方法は、更に、前記第１の被写体情報が取得された第１の時刻を示す第１の時刻情報を、前記一時記憶部に一時保存し、前記被写体が前記エリアから出るときに、前記第１の被写体情報と同じ情報である第２の被写体情報を取得し、前記第２の被写体情報が取得された第２の時刻を示す第２時刻情報を、前記一時記憶部に一時保存してもよい。
【００２９】
前記撮影において前記撮影スポットは一定の時間間隔で前記撮影カメラにより繰り返し撮影されてもよい。前記撮影において取得される前記１つ以上の撮影データは、前記撮影カメラの撮影時刻が互いに異なる複数の撮影データであってもよい。
【００３０】
前記識別情報の取得は、前記第２の被写体情報の取得よりも前に行われてもよい。前記識別情報の取得において、ユーザから指定された第３の時刻を示す第３の時刻情報が前記識別情報とともに取得されてもよい。前記第３の時刻は、前記第１の時刻よりも後の時刻であってもよい。
【００３１】
前記抽出において、前記撮影データ一時記憶部に一時保存された１つ以上の撮影データの中から、前記第３の時刻と一致する撮影時刻の撮影データが前記少なくとも１つの撮影データとして抽出されてもよい。
【００３２】
この構成によると、撮影データ一時記憶部から被写体が撮影された撮影データを抽出する手順を、被写体の識別情報の入力と、撮影データの抽出指示の入力との２ステップから、被写体の識別情報の入力だけの１ステップに短縮することができる。
【００３３】
前記撮影制御方法は、更に、前記第１の被写体情報と前記第１の被写体情報が取得された第１の時刻を示す第１の時刻情報を、前記一時記憶部に一時保存し、前記被写体が前記エリアから出るときに、前記第１の被写体情報と同じ情報である第２の被写体情報を取得し、前記第２の被写体情報が取得された第２の時刻を示す第２の時刻情報を、前記一時記憶部に一時保存してもよい。前記撮影において前記撮影スポットは一定の時間間隔で前記撮影カメラにより繰り返し撮影されてもよい。前記撮影において取得される前記１つ以上の撮影データは、前記撮影カメラの撮影時刻が互いに異なる複数の撮影データであってもよい。
【００３４】
前記識別情報の取得において、ユーザから指定された第３の時刻を示す第３の時刻情報が前記識別情報とともに取得されてもよい。前記第３の時刻は、前記第１の時刻と前記第２の時刻との間の時刻であってもよい。
【００３５】
前記抽出において、前記撮影データ一時記憶部に一時保存された１つ以上の撮影データの中から、前記第３の時刻と一致する撮影時刻の撮影データが前記少なくとも１つの撮影データとして、抽出されてもよい。
【００３６】
この構成によると、ユーザが被写体を直接見ながら撮影指示として抽出指示を行った場合に、撮影データ一時記憶部に一時保存されている撮影データの中から所望のタイミングの撮影データを取得することができる。
【００３７】
前記撮影において前記撮影スポットは一定の時間間隔で前記撮影カメラにより繰り返し撮影されてもよい。前記撮影において取得される前記１つ以上の撮影データは、前記撮影カメラの撮影時刻が互いに異なる複数の撮影データであってもよい。
【００３８】
前記抽出において、前記撮影データ一時記憶部に一時保存された１つ以上の撮影データの中から、ユーザから指定された撮影時刻の撮影データが前記少なくとも１つの撮影データとして、抽出されるようにしてもよい。
【００３９】
この構成によると、撮影データの撮影から撮影データの抽出までの間に時間の経過があった場合でも、撮影データを閲覧しながら所望するタイミングの撮影データを取得することができる。
【００４０】
前記撮影において、前記撮影スポットは一定の時間間隔で前記撮影カメラにより繰り返し撮影されてもよい。前記撮影において取得される前記１以上の撮影データは、前記撮影カメラによる撮影時刻が互いに異なる複数の撮影データであってもよい。
【００４１】
前記識別情報の取得において、前記識別情報は、前記撮影データ一時記憶部に一時保存された前記複数の撮影データのうち、前記識別情報に対応する情報を含む少なくとも１つの撮影データから取得されてもよい。前記抽出においては、前記識別情報が取得された前記少なくとも１つの撮影データが前記撮影データ一時記憶部から抽出されてもよい。
【００４２】
この構成によると、識別情報で指定した被写体が撮影スポットにいない時間帯の撮影データを取得されることがなくなる。
【００４３】
前記識別情報の取得において前記少なくとも１つの撮影データから前記識別情報に対応する情報を検出することで、前記識別情報は取得されてもよい。
【００４４】
この構成によると、撮影された撮影データの中から、識別情報によって指定された被写体が写っている撮影データのみを抽出することができる。
【００４５】
前記識別情報は、バーコードを用いて表されるようにしてもよい。
【００４６】
この構成によると、識別情報として電子的なものではなく、物理的な形態を有するバーコードが印刷等された物を用いるため、撮影スポットに入場する際にかざす識別情報と、撮影される撮影データに写る識別情報として、同じバーコードが印刷等された物を用いることができ、識別情報の認識も容易に可能となる。
【００４７】
前記識別情報は、前記被写体の顔画像の特徴を示す特徴情報であってもよい。
【００４８】
この構成によると、被写体が持つ識別情報と、被写体の顔画像の特徴情報とを予め紐付けしておき、撮影された撮影データからの被写体の撮影データの抽出に顔認証を用いることができるので、識別情報を示す物理的な形態を有するタグなどを撮影カメラで撮影できるように被写体が携行しなくてもよい。
【００４９】
前記識別情報は、利用可能な前記撮影カメラ及び利用可能な日時のうち少なくとも一方が制限される利用条件を有するようにしてもよい。
【００５０】
この構成によると、被写体の識別情報に応じて、利用できる撮影カメラを制限したり、利用できる日時を制限したりすることができるので、被写体の識別情報に対して、撮影カメラの利用料を支払った場合にのみ及び／又は利用料を支払った日時にのみ撮影ができるといった使い方が可能となる。
【００５１】
上記撮影制御方法は、前記第１の被写体情報の取得において取得した前記第１の被写体情報と、前記識別情報の取得において取得した前記識別情報とが一致する場合、前記被写体が撮影可能になっている撮影スポットをユーザが操作する端末に通知してもよい。
【００５２】
この構成によると、被写体が撮影可能になっている撮影スポットをユーザが操作する端末に通知しているので、例えば、撮影用端末に複数の撮影スポットのリストを表示し、被写体が入口でバーコード等をかざした受付端末のある撮影スポットをハイライト表示することにより、ユーザは、被写体がどこの撮影スポットにいるかがわかり、その撮影スポットでの撮影を行うことが可能となる。
【００５３】
前記撮影カメラは、複数の撮影カメラであり、前記撮影データ一時記憶部は、複数の撮影データ一時記憶部であり、前記一時保存において、前記複数の撮影カメラで撮影された複数の撮影データが前記複数の撮影データ一時記憶部に一時保存され、前記抽出において、前記複数の撮影データ一時記憶部に一時保存された複数の撮影データから、前記識別情報の取得において取得した前記識別情報に該当する撮影データが少なくとも１つ抽出されてもよい。
【００５４】
この構成によると、複数の撮影カメラで撮影を行い、複数の撮影カメラで撮影した撮影データを複数の撮影データ一時記憶部に一時保存しているとき、一つの撮影用端末から複数の撮影カメラの撮影データを取得することができる。
【００５５】
前記抽出において、前記少なくとも１つの撮影データは、前記複数の撮影データ一時記憶部に一時保存された複数の撮影データから抽出され、前記保存において、前記少なくとも１つの撮影データは、前記識別情報に紐付けて前記撮影データ記憶部に保存されてもよい。
【００５６】
この構成によると、被写体の識別情報を用いて、複数の撮影データ一時記憶部に保存された撮影データをまとめて一つの撮影データ記憶部に保存することができるので、一つの撮影データ記憶部から複数の撮影カメラで撮影した撮影データを取得することが可能となる。
【００５７】
前記撮影カメラは、複数の撮影カメラであり、前記一時保存において、前記複数の撮影カメラにより撮影された撮影データが前記撮影データ一時記憶部に一時保存されてもよい。
【００５８】
この構成によると、複数の撮影カメラで撮影された複数の撮影データを、一つの撮影用端末からまとめて取得することができる。
【００５９】
前記撮影カメラは、前記撮影スポットを互いに異なる撮影状態で撮影する複数の撮影カメラを含み、前記撮影において、前記複数の撮影カメラに対して同時に撮影指示を出してもよい。
【００６０】
この構成によると、同じ撮影スポットにいる被写体を、異なる撮影状態で同時に撮影することができ、例えば、複数のアングルから同時に撮影したり、異なるズーム倍率で同時に撮影したりすることが可能となる。
【００６１】
また、本開示は、以上のような特徴的な処理を実行する撮影制御方法として実現することができるだけでなく、撮影制御方法が実行する特徴的な処理に対応する特徴的な構成を備える撮影制御システム及び撮影制御サーバなどとして実現することもできる。したがって、以下の他の態様でも、上記の撮影制御方法と同様の効果を奏することができる。
【００６２】
本開示の他の態様に係る撮影制御システムは、撮影スポットに向けて設置された撮影カメラと、前記撮影スポットを含むエリアに被写体がいることを示す第１の被写体情報を取得する被写体情報取得部と、前記撮影カメラを制御する一次撮影制御部と、前記撮影カメラで撮影された１つ以上の撮影データを一時保存する撮影データ一時記憶部と、前記被写体を識別する識別情報を取得する識別情報取得部と、前記撮影データ一時記憶部から撮影データを少なくとも１つ抽出する二次撮影制御部と、前記二次撮影制御部で抽出された少なくとも１つの撮影データを保存する撮影データ記憶部とを備え、前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、前記二次撮影制御部は、前記撮影データ一時記憶部に一時保存された１つ以上の撮影データの中から、前記識別情報取得部が取得した前記被写体の識別情報に該当する撮影データを少なくとも１つ抽出し、抽出した少なくとも１つの撮影データを前記被写体の識別情報に紐付けて前記撮影データ記憶部に保存する。
【００６３】
本開示の他の態様に係る撮影制御サーバは、撮影スポットまたは前記撮影スポットの周辺に前記被写体がいることを示す第１の被写体情報を取得する被写体情報取得部と、前記撮影スポットに向けて設置された撮影カメラを制御する一次撮影制御部と、前記撮影カメラで撮影された１つ以上の撮影データを一時保存する撮影データ一時記憶部と、前記被写体を識別する識別情報を取得する識別情報取得部と、前記撮影データ一時記憶部から撮影データを少なくとも１つ抽出する二次撮影制御部と、前記二次撮影制御部で抽出された少なくとも１つの撮影データを保存する撮影データ記憶部とを備え、前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、前記二次撮影制御部は、前記撮影データ一時記憶部に一時保存された１つ以上の撮影データの中から、前記識別情報取得部が取得した前記被写体の識別情報に該当する撮影データを少なくとも１つ抽出し、抽出した少なくとも１つの撮影データを前記被写体の識別情報に紐付けて前記撮影データ記憶部に保存する。
【００６４】
また、上記のような撮影制御方法に含まれる特徴的な処理をコンピュータに実行させるコンピュータプログラムとして実現することもできる。そして、このようなコンピュータプログラムを、ＣＤ−ＲＯＭ等のコンピュータ読み取り可能な非一時的な記録媒体あるいはインターネット等の通信ネットワークを介して流通させることができるのは、言うまでもない。
【００６５】
なお、以下で説明する実施の形態は、いずれも本開示の一具体例を示すためのものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００６６】
以下、本開示の各実施の形態に係る撮影制御システムについて図面を参照しながら説明する。
【００６７】
（１．実施の形態１）
本開示の第１の実施の形態に係る撮影制御システムは、テーマパーク、アミューズメント施設や観光地などにおける撮影スポットに設置された撮影カメラにより撮影された撮影データをユーザに提供するものである。
【００６８】
本実施の形態では、例えば、撮影用端末又は個人所有の携帯端末を、ユーザである撮影者に使用させて、撮影カメラにより撮影された１つ以上の撮影データの中から撮影者の満足する写真などの撮影データを提供するサービスを実現するためのシステムである。
【００６９】
本実施の形態では、アミューズメント施設の各パビリオンを撮影スポットとして、撮影者（ユーザ）の子供（被写体）が撮影スポットで遊んでいる様子を撮影カメラで撮影する場合を例に挙げて説明する。なお、本実施の形態では、パビリオンとは、テーマパークなどに設置された個別のアミューズメントエリアのことで、定められた出入口のある閉エリアであるものとする。
【００７０】
＜１−１．概要＞
図１は、本開示の実施の形態１に係る撮影制御システムの利用風景の一例を示す図である。図１において、パビリオン１０は、撮影スポットを含むエリアである。パビリオン１０には、パビリオン入口１１、及びパビリオン出口１２が設けられている。パビリオン入口１１付近、及びパビリオン出口１２付近には、それぞれ、受付端末１５が設置されている。また、パビリオン１０の中には、撮影カメラ１３が撮影スポットに向けて設置されている。また、パビリオン１０の外には、撮影用端末１４、及び受付端末１５が設置されている。
【００７１】
図２は、図１に示す撮影カメラ１３の一例の外観を示す図である。図２に示すように、パビリオン１０に設置された撮影カメラ１３は、ポール１３ａに取り付けられ、撮影スポットの中にいる人の撮影が可能な角度で設置されている。なお、撮影カメラ１３は、ポール１３ａ以外に取り付けられていてもよい。撮影カメラ１３は、撮影の指示を受けると撮影スポットを１度だけ撮影する。または、撮影カメラ１３は、撮影の指示を受けると撮影スポットを一定の時間間隔で繰り返し撮影するものであってもよい。一定の時間間隔とは、任意の値でよい。
【００７２】
また、撮影カメラ１３は、撮影スポットの撮影を行ったときの撮影時刻に関する情報（撮影時刻情報ともいう）を撮影データと関連付ける。撮影時刻情報は対応する撮影データと別であってもよいし、撮影データの中に含まれていてもよい。このようにすることで、撮影時刻に基づいて撮影データを特定することができる。以後では、撮影カメラ１３により撮影された撮影データは、撮影時刻と関連付けられているものを例に説明をする。
【００７３】
撮影の指示を受けると、撮影カメラ１３が撮影を１度だけ行う構成の場合、この撮影により得られる撮影データは、静止画に対応する画像データ（写真データともいう）を含む。
【００７４】
撮影の指示を受けると、撮影カメラ１３が撮影を繰り返し行う構成の場合、それぞれの撮影において得られるフレームは、静止画に対応する画像フレームであるとして説明を行う。
【００７５】
例えば、撮影カメラ１３による撮影を行う間隔を短くすれば、撮影により得られた複数の撮影データを撮影時刻の順に連続して表示をした場合、動画のような再生を行うこともできる。
【００７６】
撮影カメラ１３が撮影を行うことで撮影データが１つ以上得られる。
【００７７】
図３は、図１に示す撮影用端末１４の一例の外観を示す図である。図３に示すように、撮影用端末１４は、ポール１４ａに取り付けられ、図１に示すように、複数の撮影用端末１４がパビリオン１０の外に設置されている。図１では、複数の撮影用端末１４がパビリオン１０の外に設置されているが、これに限定をされる必要はなく、撮影用端末１４は、パビリオン１０の外に１つ設置されていればよい。ここで、撮影用端末１４を操作するものを撮影者ということにする。撮影者は、後述する条件を満たす場合に、撮影用端末１４を用いて、撮影カメラ１３が撮影した撮影データを画像として閲覧しながら撮影の指示を行うことができる。撮影の指示に関する詳細は後述する。本実施の形態では、パビリオン１０の中にいる人物が子供である場合を例に説明をするが、これに限定はされない。例えば、パビリオン１０の中にいる人物が、大人であってもよい。本実施の形態では、撮影者が、パビリオン１０の中にいる子供の親である場合を例にして説明をするがこれに限定はされない。例えば、撮影者は、パビリオン１０の中にいる人物の知人であってもよい。また、パビリオン１０の中にいる人物が、パビリオン出口１２から出場した後、撮影用端末を操作してもよい。この場合、パビリオン１０の中にいた人物が撮影者となる。
【００７８】
図４は、図１に示す受付端末１５の一例の外観を示す図である。図４に示すように、受付端末１５は、ポール１５ａに取り付けられ、図１に示すように、パビリオン入口１１とパビリオン出口１２とにそれぞれ設置される。
【００７９】
パビリオン入口１１に設置された受付端末１５は、例えば、パビリオン入口１１から入場する人物を検出する。パビリオン出口１２に設置された受付端末１５は、例えば、パビリオン出口１２から出場する人物を検出する。
【００８０】
撮影カメラ１３、撮影用端末１４、及び受付端末１５は、それぞれ、ネットワーク接続されていて、通信によって相互に必要な情報のやり取りが可能となっている。撮影カメラ１３、撮影用端末１４、及び受付端末１５は、それぞれ、撮影制御サーバ２０とネットワークを介して接続する。撮影制御サーバ２０の詳細は、後述する。
【００８１】
当然のことながら、撮影カメラ１３、撮影用端末１４、受付端末１５、および後述する撮影制御サーバ２０は、それぞれ、通信部（図示せず）を有し、この通信部を用いて必要な情報を送信したり受信したりする。なお、通信部は、通信回路を含んでもよい。
【００８２】
説明を簡単にするため、撮影カメラ１３の通信部が情報を送信することを、撮影カメラ１３が情報を出力するといい、撮影カメラ１３の通信部が情報を受信することを撮影カメラ１３が情報を受け取る（または取得する）ということにする。撮影カメラ１３が出力する情報、および受け取る情報の詳細については、後述する。
【００８３】
また、撮影用端末１４の通信部が情報を送信することを、撮影用端末１４が情報を出力するといい、撮影用端末１４の通信部が情報を受信することを撮影用端末１４が情報を受け取る（又は取得する）ということにする。撮影用端末１４が出力する情報、および、受け取る情報の詳細については後述する。
【００８４】
また、受付端末１５の通信部が情報を送信することを、受付端末１５が情報を出力するといい、受付端末１５の通信部が情報を受信することを受付端末１５が情報を受け取る（又は取得する）ということにする。受付端末１５が出力する情報、および受け取る情報の詳細については、後述する。
【００８５】
また、撮影制御サーバ２０の通信部が情報を送信することを、撮影制御サーバ２０が情報を出力するといい、撮影制御サーバ２０の通信部が情報を受信することを撮影制御サーバ２０が情報を受け取る（又は取得する）ということにする。撮影制御サーバ２０が出力する情報、および受け取る情報の詳細については、後述する。
【００８６】
また、撮影カメラ１３で撮影された撮影データは、インターネットを介して撮影者が所有する携帯端末に提供できるようにするため、このネットワークは、インターネットに対応するネットワークを含むものとする。ネットワークは、無線のネットワークおよび有線のネットワークのうちの少なくとも一方を含む。
【００８７】
本実施の形態では、パビリオン１０の中にいる人物が被写体である。被写体となる人物を識別するための被写体の識別情報（以下「被写体ＩＤ」という）として、バーコード、例えば、１次元バーコードを印刷したカードを用いる。このカードは、被写体識別バーコードカードともいう。被写体識別バーコードカードは、パビリオン１０に入場する前に、被写体となる人物に与えられる。この者は、この被写体識別バーコードをパビリオン入口１１に設置された受付端末１５にかざしてから、パビリオン１０に入場する。
【００８８】
ここで、被写体の識別情報は、バーコードを用いて表され、物理的な形態を有するバーコードが印刷等された物を用いることができる。バーコードは、上記の１次元バーコードに特に限定されず、ＱＲコード（登録商標）（２次元バーコード）、カラーバーコード等の他のバーコードを用いてもよい。
【００８９】
図５は、本実施の形態の撮影制御システム１に使用される被写体識別バーコードカードの一例の外観を示す図である。図５に示す被写体識別バーコードカード１６には、被写体ＩＤを示すバーコードが印刷されている。被写体ＩＤを示すバーコードの値は、図５では、例えば、「ＡＦＨ３Ｇ７ＧＨ」である。この被写体ＩＤを用いて、撮影者は、被写体ＩＤの被写体識別バーコードカード１６を持つ人物の撮影及び撮影された撮影データの取得を行う。なお、複数の人物をパビリオン１０に入場させる場合、それぞれの人物に与える被写体識別バーコードカード１６の被写体ＩＤの値は互いに異なるものとする。
【００９０】
再び、図１を参照して、被写体となる人物は、パビリオン１０に入場する際に、パビリオン入口１１に設置された受付端末１５に被写体識別バーコードカード１６をかざすと、この受付端末１５は、後述するパビリオン１０への入場処理を行う。入場処理は、例えば、被写体識別バーコードカード１６に印刷されたバーコードを読み取って、バーコードが示す値（被写体ＩＤ）を検出（または取得）する処理、検出した被写体ＩＤを被写体情報として撮影制御サーバ２０へ出力する処理を含む。パビリオン入口１１に設置された受付端末１５から出力される被写体情報を第１の被写体情報ともいう。
【００９１】
また、被写体となる人物が、パビリオン１０から出場する際に、パビリオン出口１２に設置された受付端末１５に被写体識別バーコードカード１６をかざすと、この受付端末１５は、後述するパビリオン１０からの出場処理を行う。出場処理は、例えば、被写体識別バーコードカード１６に印刷されたバーコードを読み取って、被写体ＩＤを検出（または取得）する処理、検出した被写体ＩＤを被写体情報として出力する処理を含む。パビリオン出口１２に設置された受付端末１５から出力される被写体情報を第２の被写体情報ともいう。
【００９２】
被写体識別バーコードカード１６を受付端末１５にかざして入場した人が撮影スポットであるパビリオン１０の中に少なくとも１人いる場合に、撮影カメラ１３は、撮影を開始又は撮影を継続する。撮影スポットに入場した人が１人もいなくなると、撮影カメラ１３は、撮影を停止（または終了）する。撮影カメラ１３は、例えば、撮影の指示を受け取ると、撮影を開始してもよい。撮影カメラ１３は、例えば、撮影の停止の指示を受け取ると、撮影を停止してもよい。
【００９３】
撮影カメラ１３での撮影による撮影データは、後から写真データ（静止画データ）として切り出したり、動画データとして切り出したりすることができるものである。しかしながら、これらのデータがそのまま全て撮影者に提供されるというものではない。
【００９４】
被写体となる人物が子供であり、撮影者がこの子供の親である場合を例に説明をする。この場合、撮影者は、撮影用端末１４に撮影者の子供の被写体識別バーコードカード１６の被写体ＩＤを入力することで、撮影カメラ１３が撮影した１つ以上の撮影データのうち、撮影者の子供がパビリオン１０にいる時間帯の撮影データのみを撮影用端末１４が受け取る。
【００９５】
撮影用端末１４は、子供がパビリオン１０にいる時間帯の撮影データをディスプレイに表示する。これにより、撮影者は、受け取った撮影データを閲覧することができる。また、撮影者は、撮影用端末１４を操作して、ディスプレイに表示される撮影データのうち、撮影者の欲しい撮影データの取得のための指示（撮影指示ともいう）の入力を更に行うことで、被写体である子供の画像や動画を取得することができる。
【００９６】
例えば、撮影カメラ１３が１０時１０分から１０時３５分までの間にパビリオン１０にいる人の撮影を一定の時間間隔（例えば、１／６０秒毎）で繰り返し行ったとする。これにより、複数の撮影データが得られる。
【００９７】
これは、１０時１０分から１０時３５分までの間、パビリオン１０の中に被写体となる人物が少なくとも１人いることを意味する。また、１０時１０分から１０時３５分までの間に撮影カメラ１３により撮影された複数の撮影データは、例えば、後述する撮影制御サーバ２０の第１メモリ（図示せず）に一時保存されている。
【００９８】
また、複数の撮影データは、これらの中からパビリオンの中の被写体となる人物がいる時間帯の撮影データを取り出せるようにこの人物の被写体ＩＤおよびこの人物がパビリオンの中いる時間に関する情報と紐付けて撮影制御サーバ２０の第１メモリに一時保存されている。
【００９９】
人物の被写体ＩＤとは、この人物が持っている被写体識別バーコードカード１６に印刷されたバーコードが示す値のことである。被写体ＩＤの人物とは、その値が被写体ＩＤであるバーコードが印刷された被写体識別バーコードカード１６を持つ人物である。
【０１００】
例えば、被写体ＩＤ１の人物が子供でありこの子供が１０時１５分から１０時２０分の間にパビリオン１０に入場していた場合、この子供の親である撮影者は、撮影用端末１４に被写体ＩＤ１を入力すると、入力された被写体ＩＤ１は、被写体識別情報として撮影制御サーバ２０へ出力される。
【０１０１】
撮影制御サーバ２０は、第１メモリに一時保存された１つ以上の撮影データの中から、被写体識別情報が示す被写体ＩＤと紐付けた撮影データを１つ以上取り出し（または抽出し）、撮影用端末１４に出力する。取り出される撮影データとは、被写体ＩＤの人物がパビリオン１０の中にいる時間帯に撮影された撮影データである。取り出される撮影データは１つ以上あればよいが、ここでは、取り出される撮影データは、複数ある場合を説明する。
【０１０２】
撮影用端末１４は、例えば、受け取った複数の撮影データを撮影時刻の順にディスプレイ（図示せず）に表示する。これにより、撮影用端末１４を操作する撮影者は、ディスプレイに表示される撮影データを閲覧できる。
【０１０３】
撮影データを閲覧中に撮影者は、撮影用端末１４を更に操作し、ディスプレイに表示される撮影データのうち、撮影者が欲する撮影データの取得を指示する。この指示（撮影指示）は、撮影制御サーバ２０に出力される。
【０１０４】
撮影指示を受け取った、撮影制御サーバ２０は、一時保存された複数の撮影データの中から指示された撮影データを１つ以上取り出し、取り出した撮影データを被写体識別情報が示す被写体ＩＤおよび撮影時刻と紐付けて第２メモリ（図示せず）に保存する。
【０１０５】
例えば、撮影者は、被写体ＩＤ１のカードを持つ子供がパビリオン内にいる１０時１７分に撮影された撮影データを取得することはできるが、被写体ＩＤ１の被写体識別バーコードカード１６を持つ子供がパビリオン１０にいない１０時１３分に撮影された撮影データを取得することはできない。被写体ＩＤ１は、１０時１３分に撮影された撮影データと紐付けて保存されていないからである。
【０１０６】
当然のことながら、撮影者は、撮影カメラ１３による撮影が行われていない１０時４０分の撮影データを取得することはできない。そのような撮影データは、そもそも、撮影制御サーバ２０に一時保存されていないからである。
【０１０７】
また、撮影制御サーバ２０は、撮影指示された撮影データを、例えば、インターネット上にある被写体ＩＤ専用のクラウドサーバ（図示せず）に出力してもよい。このクラウドサーバは、撮影データをメモリ（図示せず）に保存する。撮影者は、例えば、自身が所持する携帯端末（図示せず）を操作し、クラウドサーバのメモリにアクセスすることで、撮影者の子供の写真の撮影データを取得することもできる。
【０１０８】
また、撮影者は、例えば、携帯端末を操作し、撮影制御サーバ２０の第２メモリに保存された被写体ＩＤ１と紐づく撮影データへアクセスし、撮影者の子供の写真の撮影データを撮影制御サーバ２０から取得してもよい。このとき、撮影制御サーバ２０は、携帯端末から被写体ＩＤ１を受け取った場合、被写体ＩＤ１と紐づく撮影データへのアクセスを許可してもよい。
【０１０９】
また、携帯端末は、取得した撮影データを携帯端末のディスプレイ（図示せず）に表示したり、携帯端末のメモリ（図示せず）に保存したりすることもできる。
【０１１０】
このように、本実施の形態の撮影制御システムは、例えば、撮影者の子供、すなわち被写体が被写体識別バーコードカード１６を用いて撮影スポットであるパビリオン１０の中にいることを撮影制御システム１（より具体的には、撮影制御サーバ２０）に知らせることで、撮影カメラ１３が撮影スポットを撮影する。これにより、撮影カメラ１３が撮影した１つ以上の撮影データには撮影スポットにいる被写体となる人物が写る撮影データを含み得る。撮影者は撮影スポットに被写体となる人物がいる時間帯に撮影カメラ１３で撮影された１つ以上撮影データの中から所望のタイミングの撮影データを取得することができる。
【０１１１】
なお、本実施の形態の撮影制御システムでは、撮影用端末１４が提供する機能と同等の機能を、撮影者が所持する携帯端末が提供できるのであれば、この携帯端末を撮影用端末１４として用いてもよい。撮影用端末１４が提供する機能とは、例えば、撮影者の子供の被写体ＩＤを入力し、入力した被写体ＩＤを撮影制御システム１に出力する機能、撮影データの取得を指示する機能などである。
【０１１２】
図６は、撮影用端末１４として、スマートフォンなどの個人所有の携帯端末を用いて、撮影者が撮影を行う様子の一例を示す図である。図６に示すように、撮影者は、携帯端末１７を所有している。例えば、撮影者は、携帯端末１７に、撮影用端末１４と同様の機能を持つプログラムをインストールし、そのプログラムに被写体となる人物の持つカードの被写体ＩＤを入力しておく。この場合、撮影者の携帯端末１７を用いて、撮影用端末１４と同様の機能をインターネット経由で利用することが可能となる。
【０１１３】
＜１−２．構成＞
次に、本実施の形態の撮影制御システムの構成について説明する。
【０１１４】
図７は、本実施の形態の撮影制御システムの構成の一例を示すブロック図である。図７に示す撮影制御システム１は、撮影カメラ１３、撮影用端末１４、受付端末１５及び撮影制御サーバ２０を備える。受付端末１５は、被写体情報検出部２１を備え、撮影用端末１４は、被写体識別情報入力部２２を備える。撮影制御サーバ２０は、撮影データ一時記憶部２４、一次撮影制御部２５、二次撮影制御部２６、及び撮影データ記憶部２７を備える。
【０１１５】
なお、撮影制御システム１では、パビリオン入口１１に設置される受付端末１５と、パビリオン出口１２に設置される受付端末１５の２台を使用するが、図７では、図示を簡略化するため、１台の受付端末１５として図示している。また、撮影カメラ１３、撮影用端末１４及び受付端末１５と、撮影制御サーバ２０とは、所定の通信部を介してネットワーク接続されており、通信によって相互に必要な情報のやり取りが可能となっているが、図示を簡略化するため、各通信部の図示を省略している。
【０１１６】
撮影制御サーバ２０は、ハードウェア構成として、ＣＰＵなどのプロセッサ、プログラムを記憶したメモリ、および通信回路を備えるコンピュータである。プロセッサが、プログラムを実行することにより、このコンピュータは、撮影制御サーバ２０として機能する。
【０１１７】
また、撮影用端末１４の被写体識別情報入力部２２には撮影ボタンが組み込まれているが、図示を簡略化するため、撮影ボタンの図示を省略している。
【０１１８】
受付端末１５は、被写体情報検出部２１を含む。被写体情報検出部２１は、例えば、バーコードリーダを含む。バーコードリーダは、被写体識別バーコードカード１６に印刷されたバーコードを読み取って、バーコードが示す値（被写体ＩＤ）を検出（または取得）する。受付端末１５は、取得した被写体ＩＤを被写体情報として撮影制御サーバ２０へ出力する。
【０１１９】
受付端末１５は、また、タイマー（図示せず）を含んでもよい。この場合、受付端末１５は、被写体情報検出部２１により被写体ＩＤが検出されたときの時刻（検出時刻）を、タイマーを用いて特定し、特定した検出時刻を撮影制御サーバ２０へ出力してもよい。
【０１２０】
また、受付端末１５は、被写体情報を撮影制御サーバ２０へ出力するとき、受付端末１５を特定する情報を一緒に送信してもよい。なお、検出時刻および受付端末１５を特定する情報の少なくとも一つは、被写体情報に含めて出力されてもよい。撮影制御サーバ２０が受け取った被写体情報および検出時刻は、一次撮影制御部２５に出力される。
【０１２１】
なお、受付端末１５は、ハードウェア構成として、ＣＰＵなどのプロセッサ、プログラムを記憶したメモリ、通信回路、およびバーコードリーダを備えるコンピュータである。プロセッサがプログラムを実行することにより、コンピュータは、受付端末１５として機能する。
【０１２２】
上記のように、本実施の形態では、受付端末１５は、パビリオン入口１１およびパビリオン出口１２にそれぞれ設置される。
【０１２３】
パビリオン１０に入場する人物が、パビリオン入口１１の受付端末１５に被写体識別バーコードカード１６をかざすと、この受付端末１５は、被写体ＩＤを取得する。この受付端末１５は、この被写体ＩＤを被写体情報として撮影制御サーバ２０に出力する。撮影制御サーバ２０は受け取った被写体情報を一次撮影制御部２５に出力する。このようにすることで、一次撮影制御部２５は、パビリオン入口１１の受付端末１５からの被写体情報を受け取る（又は取得する）ことができる。
【０１２４】
パビリオン入口１１の受付端末１５から出力される被写体情報は、また、被写体情報が示す被写体ＩＤの被写体識別バーコードカード１６を持つ人物が、パビリオン１０に入場したこと、つまりこの人物がパビリオン１０の中にいることを示す情報でもある。
【０１２５】
以後の説明では、被写体ＩＤの被写体識別バーコードカード１６を持つ人物を被写体ＩＤの人物ということもある。
【０１２６】
パビリオン１０から出場する人物が、パビリオン出口１２の受付端末１５に被写体識別バーコードカード１６をかざすと、この受付端末１５は、被写体ＩＤを取得する。この受付端末１５は、この被写体ＩＤを被写体情報として撮影制御サーバ２０に出力する。撮影制御サーバ２０は、パビリオン出口１２の受付端末１５から受け取った被写体情報を一次撮影制御部２５に出力する。このようにすることで、一次撮影制御部２５は、パビリオン出口１２の受付端末１５からの被写体情報を受け取る（又は取得する）ことができる。
【０１２７】
パビリオン出口１２の受付端末１５から出力される被写体情報は、被写体情報が示す被写体ＩＤの人物が、パビリオン１０から出場したことを示す。
【０１２８】
一次撮影制御部２５は、被写体情報検出部２１から被写体が撮影スポットに出入りしたことを示す情報として被写体情報を受け取ると、撮影カメラ１３の撮影制御を行う。例えば、撮影スポットに被写体である人物が１人もいない状態で、パビリオン入口１１の受付端末１５から被写体情報を受け取ると、一次撮影制御部２５は、撮影カメラ１３による撮影を開始する指示（撮影開始指示と称す）を出力する。撮影制御サーバ２０は、撮影開始指示を撮影カメラ１３へ出力する。撮影カメラ１３は、撮影開始指示を受け取る（又は取得する）と撮影を開始する。撮影カメラ１３は、撮影をする度に得られる撮影データをこの撮影データの撮影時刻と紐付ける。以後の説明では特に言及しないが、撮影データには撮影時刻が紐づいているものとして説明をする。
【０１２９】
撮影カメラ１３は、撮影した撮影データを、逐次、撮影制御サーバ２０に出力する。一次撮影制御部２５は、撮影制御サーバ２０が受け取った（または取得した）撮影データを逐次、撮影データ一時記憶部２４に一時的に保存する。撮影データは、逐次、撮影データ一時記憶部２４に追加されていくことになる。
【０１３０】
また、一次撮影制御部２５は、撮影制御サーバ２０が備えるタイマー（図示せず）を用いて、被写体情報を受け取った時刻（開始時刻）を特定する。開始時刻は、第１の時刻とも言う。
【０１３１】
なお、一次撮影制御部２５が、パビリオン入口１１に設置される受付端末１５から出力された被写体情報および検出時刻（被写体情報が示す被写体ＩＤを検出した時刻）を受け取る場合、この検出時刻を開始時刻としてもよい。検出時刻と、開始時刻は、同時刻とみなせるからである。
【０１３２】
また、パビリオン１０に最初に入場した人物に対応する被写体ＩＤの開始時刻を、一次撮影制御部２５が撮影の開始を指示する時刻または、撮影カメラ１３が実際に撮影を開始する時刻としてもよい。上述の検出時刻、被写体情報を受け取った時刻、撮影の開始を指示する時刻、撮影を開始する時刻は、同時刻とみなせるからである。
【０１３３】
また、一次撮影制御部２５は、被写体ＩＤおよび開始時刻を示す開始時刻情報を撮影データと紐付ける情報をテーブルとして撮影データ一時記憶部２４に一時保存する。開始時刻情報は第１の時刻情報とも言う。
【０１３４】
また、パビリオン出口１２の受付端末１５からの被写体情報を受け取ると、一次撮影制御部２５は、撮影制御サーバ２０が備えるタイマー（図示せず）を用いて、被写体情報を受け取った時刻（終了時刻）を特定する。終了時刻は、第２の時刻ともいう。一次撮影制御部２５は、被写体情報が示す被写体ＩＤと同じ被写体ＩＤをパビリオン入口１１の受付端末１５から受け取っている。従って、被写体ＩＤに関する情報は、撮影データ一時記憶部２４のテーブルにすでに保存されている。
【０１３５】
一次撮影制御部２５は、撮影データ一時記憶部２４のテーブルを参照し、パビリオン出口１２の受付端末１５から受け取った被写体情報が示す被写体ＩＤと同じ被写体ＩＤを特定する。そして特定した被写体ＩＤの終了時刻として特定した終了時刻を示す終了時刻情報をテーブルに保存する。終了時刻情報は、第２の時刻情報ともいう。
【０１３６】
よってテーブルを用いて、被写体ＩＤ、開始時刻情報が示す開始時刻および終了時刻情報が示す終了時刻が撮影データと紐付けられる。
【０１３７】
例えば、情報を撮影データ一時記憶部２４にテーブルを保存することで以下の利点がある。
【０１３８】
上述の特定した被写体ＩＤを例にすれば、この被写体ＩＤと紐付けた開始時刻と終了時刻とで特定される時間帯が被写体ＩＤの人物が撮影スポットであるパビリオン１０の中にいる時間帯である。よって、上述の時間帯では、撮影カメラ１３の撮影対象は、被写体ＩＤの人物である。よって、被写体ＩＤと紐付けた開始時刻から終了時刻までの間において、撮影カメラが撮影する対象は、被写体ＩＤの人物であることを示す。つまり、撮影データ一時記憶部２４に記憶される複数の撮影データのうち、撮影時刻が上述の時間帯に含まれる撮影データの画像には、被写体ＩＤの人物の画像が含まれ得る。
【０１３９】
よって被写体ＩＤを特定できれば、上述のテーブルを参照することで、撮影データ一時記憶部２４のテーブルに一時保存された複数の撮影データの中から、被写体ＩＤの人物がパビリオン１０の中にいる時間帯に撮影された撮影データを特定することができる。
【０１４０】
なお、一次撮影制御部２５が、パビリオン出口１２に設置される受付端末１５から出力された被写体情報および検出時刻（被写体情報が示す被写体ＩＤを検出した時刻）を受け取る場合、この検出時刻を終了時刻としてもよい。検出時刻と、被写体情報を受け取った時刻とは同時刻とみなせるからである。
【０１４１】
また、一次撮影制御部２５は、パビリオン出口１２に設置される受付端末１５からの被写体情報を受け取ると、更に、撮影スポットに被写体となる人物が１人もいないかどうかを判定する。撮影スポットに被写体となる人物が１人もいなければ、一次撮影制御部２５は、撮影カメラ１３による撮影を停止する指示（撮影停止指示と称す）を出力する。撮影制御サーバ２０は、撮影停止指示を撮影カメラ１３へ出力する。撮影カメラ１３は、撮影停止指示を受け取ると撮影を停止する。
【０１４２】
なお、パビリオン１０から最後に出場する人物に対応する被写体ＩＤの終了時刻は一次撮影制御部２５が撮影の停止を指示する時刻または、撮影カメラ１３が実際に撮影を停止する時刻としてもよい。
【０１４３】
また、一次撮影制御部２５は、パビリオン１０に最初に入場する人物に対応する被写体ＩＤの開始時刻からパビリオン１０から最後に退場する人物に対応する被写体ＩＤの終了時刻までの間に撮影された１つ以上の撮影データは、撮影データ一時記憶部２４において、まとめて管理される。
【０１４４】
このようにすることで、一次撮影制御部２５は、少なくとも１人の人物が被写体として撮影スポットにいる間は、撮影カメラ１３に撮影を行わせ、撮影スポットから被写体となる人物が誰もいなくなると、一次撮影制御部２５は、撮影カメラ１３による撮影を停止させることができる。
【０１４５】
また、一次撮影制御部２５は、撮影カメラ１３で撮影された撮影データを撮影データ一時記憶部２４に一時保存する。また、一次撮影制御部２５は、受け取った被写体情報が示す被写体ＩＤを撮影データ一時記憶部２４のテーブルに追加する。これにより、どの時間帯の撮影データが、どの被写体ＩＤの人物が撮影対象となっているかをテーブルを参照することで後から確認することができるようにしている。
【０１４６】
撮影カメラ１３は、一次撮影制御部２５からの制御によって、撮影の開始及び停止を含む撮影の制御が行われる。例えば、撮影カメラ１３は、撮影を全て静止画で行い、例えば、１秒間に６０フレームの静止画を撮影する。撮影カメラ１３は、静止画を撮影したときの撮影時刻を静止画と紐付ける。
【０１４７】
撮影された撮影データは、随時、一次撮影制御部２５の制御に従って、撮影カメラ１３から撮影制御サーバ２０へ出力される。また、撮影制御サーバ２０が受け取った撮影データは、一次撮影制御部２５の制御に従って、撮影データ一時記憶部２４に一時保存される。
【０１４８】
または、撮影カメラ１３が撮影データの保存を指示してもよい。この場合、この指示は一次撮影制御部２５に出力される。一次撮影制御部２５は、受け取った指示に従って、撮影データを撮影データ一時記憶部２４に一時保存してもよい。
【０１４９】
撮影データ一時記憶部２４は、撮影カメラ１３で撮影された撮影データ、例えば、静止画や動画の画像データを、一時保存するメモリ装置（第１メモリ）であり、例えば、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）などの不揮発性メモリで実現され、撮影データを一時的に保持する機能を備える。
【０１５０】
撮影用端末１４は、被写体識別情報入力部２２および通信部（図示せず）を備える。また、撮影用端末１４は、ディスプレイ（図示せず）を備えてもよい。被写体識別情報入力部２２は、被写体を識別する識別情報（被写体ＩＤ）を外部から取得する機能を備える。被写体識別情報入力部２２は、例えば、キーボードまたはタッチパネルなどであり、キーボードまたはタッチパネルを操作することにより入力される被写体ＩＤを取得する。このように構成をすることで、被写体識別情報入力部２２は、被写体ＩＤを外部から取得することができる。被写体識別情報入力部２２は、取得した被写体ＩＤを被写体識別情報として出力する。撮影用端末１４は、この被写体識別情報を撮影制御サーバ２０に出力する。撮影制御サーバ２０は、受け取った被写体識別情報を、二次撮影制御部２６に出力する。
【０１５１】
例えば、被写体識別情報入力部２２は、図３の撮影用端末１４のような複数の撮影者が交代で利用する端末の形態に組み込まれた被写体ＩＤ入力機能として提供され、撮影用端末１４を使用する撮影者が交代する際に、撮影用端末１４のタッチパネルを操作して、撮影者に被写体の被写体ＩＤを入力させる。また、図６の個人所有の携帯端末１７の撮影機能の一部として被写体識別情報入力部２２が組み込まれる場合は、被写体がパビリオン１０に入場する前に、予め携帯端末１７の専用プログラムのバーコード読み取り機能を利用して被写体識別バーコードカード１６のバーコードを撮影し、被写体ＩＤを取得しておくことも可能である。
【０１５２】
また、被写体識別情報入力部２２は、撮影者が撮影指示等を入力するための入力部としての機能を有している。被写体識別情報入力部２２は、入力された撮影指示を出力する。撮影者からの撮影指示を被写体識別情報入力部２２が受け取ると、被写体識別情報入力部２２は、撮影指示を出力する。撮影用端末１４は、被写体識別情報入力部２２からの撮影指示を撮影制御サーバ２０へ出力する。撮影制御サーバ２０は、受け取った撮影指示を二次撮影制御部２６に出力する。
【０１５３】
二次撮影制御部２６は、受け取った撮影指示に従って、撮影データ一時記憶部２４に一時保存した複数の撮影データの中から撮影指示された撮影データを１つ以上抽出し、撮影データ記憶部２７に抽出した撮影データを保存する。
【０１５４】
例えば、撮影者は、撮影用端末１４又は携帯端末１７のディスプレイに表示される、撮影カメラ１３で撮影された複数の撮影データの画像を見ながら、取得したい撮影データが表示されるタイミングで、撮影用端末１４の被写体識別情報入力部２２に備えられた撮影用のボタンを押下したり、又は、携帯端末１７で動作する撮影プログラムが表示するボタンにタッチしたりすることで、被写体識別情報入力部２２は、撮影指示を出力する。
【０１５５】
撮影指示には、例えば、被写体ＩＤおよび指示したタイミングで表示されていた撮影データの撮影時刻の情報などが含まれていてもよい。撮影用端末１４は、被写体識別情報入力部２２から出力された撮影指示を撮影制御サーバ２０へ出力する。
【０１５６】
撮影制御サーバ２０は受け取った撮影指示を二次撮影制御部２６へ出力する。二次撮影制御部２６は、撮影指示を受け取ると、撮影データ一時記憶部２４に一時保存した１つ以上の撮影データの中から指示された撮影データを抽出し、抽出した撮影データを被写体ＩＤと紐付けて撮影データ記憶部２７に保存する。
【０１５７】
このようにすることで、撮影者は、撮影指示を出し、指示されたタイミングでディスプレイに表示された撮影データの取得を行うことができる。
【０１５８】
なお、撮影用端末１４又は撮影者の携帯端末１７のディスプレイに表示される撮影データは、撮影データ一時記憶部２４に一時保存されている複数の撮影データのうち、被写体ＩＤの人物が撮影スポットにいる時間帯の撮影データのみとする。
【０１５９】
二次撮影制御部２６は、撮影者が撮影指示を出した時点で撮影用端末１４又は携帯端末１７のディスプレイに表示されていた画像に対応する撮影データを撮影データ一時記憶部２４に一時保存された複数の撮影データの中から抽出し、被写体ＩＤと紐付けて撮影データ記憶部２７にその被写体の撮影データとして保存する。
【０１６０】
撮影データ記憶部２７は、二次撮影制御部２６で抽出された撮影データを保存するメモリ装置（第２メモリ）であり、例えば、ハードディスクなどの不揮発性メモリで実現され、撮影データを保存する機能を備える。なお、図７では、撮影制御サーバ２０が撮影データ記憶部２７を含む構成を開示しているが、これに限定されない。例えば、撮影データ記憶部２７は、撮影制御サーバ２０とは物理的に別体のクラウドサーバ（図示せず）が備えてもよい。この場合、撮影制御サーバ２０とクラウドサーバとはインターネットを含むネットワークを介して接続されており、二次撮影制御部２６で抽出された撮影データおよびこの撮影データに紐付く被写体ＩＤなどの情報がこのクラウドサーバに出力される。
【０１６１】
クラウドサーバは、撮影制御サーバ２０から受け取った撮影データを撮影データ記憶部２７に保存すればよい。また、クラウドサーバは、例えば、撮影者の携帯端末から被写体ＩＤを受け取ったとき、受け取った被写体ＩＤが、撮影データに紐付く被写体ＩＤと一致する場合にのみ、撮影データを撮影データ記憶部２７から取り出して、撮影者の携帯端末に出力してもよい。このようにすれば、被写体ＩＤを知る撮影者のみがインターネットを介して撮影データを取得することが可能である。
【０１６２】
上記の被写体情報検出部２１、一次撮影制御部２５、被写体識別情報入力部２２、及び二次撮影制御部２６は、例えば、プロセッサがメモリに格納されたプログラムを実行することにより機能し、上述の各機能部を制御する。
【０１６３】
＜１−３．動作＞
次に、図７に示す撮影制御システム１の動作について説明する。撮影制御システム１の動作は、一次撮影処理及び二次撮影処理の組み合わせで実行される。
【０１６４】
＜１−３−１．一次撮影処理＞
はじめに、撮影制御システム１の一次撮影処理の動作について説明する。
【０１６５】
図８は、図７に示す撮影制御システム１の一次撮影処理の時間の流れの一例を示すタイムチャートである。本タイムチャートは、パビリオン入口１１の受付端末１５が備える被写体情報検出部２１で取得された被写体ＩＤと同じ被写体ＩＤが、パビリオン出口１２の受付端末１５が備える被写体情報検出部２１で取得されるまでの時間と、一次撮影制御部２５が撮影カメラ１３に撮影の開始を指示してから撮影の停止を指示するまでの時間とを示している。
【０１６６】
以下の説明では、被写体ＩＤの人物のことを、被写体ＩＤの被写体ともいう。また、人物を被写体ということもある。
【０１６７】
例えば、被写体ＩＤ１の被写体は、時刻ｔ１にパビリオン入口１１の受付端末１５に被写体識別バーコードカード１６をかざして撮影スポットであるパビリオン１０に入場する。その後、被写体ＩＤ１の被写体は、時刻ｔ４にパビリオン出口１２の受付端末１５が備える被写体情報検出部２１に同じ被写体識別バーコードカード１６をかざしてパビリオン１０から出場する。時刻ｔ１から時刻ｔ４までの時間バーＩＤ１は、被写体ＩＤ１の被写体がパビリオンにいた時間帯を示している。
【０１６８】
時刻ｔ１から時刻ｔ６までの時間バーＲ１は、時刻ｔ１に一次撮影制御部２５により撮影開始が指示され、時刻ｔ６に一次撮影制御部２５により撮影停止が指示されるまでの間に撮影された撮影データＲ１を示している。
【０１６９】
同様に、時間バーＩＤ２は、被写体ＩＤ２の被写体がパビリオンにいた時間帯が時刻ｔ２から時刻ｔ６であることを示し、時間バーＩＤ３は、被写体ＩＤ３の被写体がパビリオンにいた時間帯が時刻ｔ３から時刻ｔ５であることを示している。また、時間バーＩＤ４は、被写体ＩＤ４の被写体がパビリオンにいた時間帯が時刻ｔ７から時刻ｔ８であることを示し、時間バーＲ２は、時刻ｔ７から時刻ｔ８まで撮影した撮影データＲ２を示している。
【０１７０】
図９は、図７に示す撮影制御システム１の一次撮影処理で撮影される撮影データの一例を示すイメージ図である。図９に示す撮影データは、一次撮影制御部２５からの撮影指示を受け、撮影カメラ１３が撮影した撮影データＲ１に対応する撮影データ３１、撮影データＲ２に対応する撮影データ３２を示しており、本実施の形態では、撮影は全て静止画で行い、１秒間に６０フレームを撮影するため、撮影データ一時記憶部２４には６０分の１秒毎に１枚の静止画に対応する画像データ（撮影データ）とこの静止画に紐付く撮影時刻が保存されることになる。この例では、撮影データ一時記憶部２４には、複数の撮影データが一時保存される。
【０１７１】
図９の撮影データ３１は、撮影データＲ１を示している。ｆｒａｍｅ０、ｆｒａｍｅ１、ｆｒａｍｅ２、…、ｆｒａｍｅＸＸＸは、それぞれ、撮影カメラにより撮影された静止画に対応する撮影データであり、これらを１つにまとめて撮影データＲ１という。
【０１７２】
撮影データとは、上述したとおり、静止画の画像データである。上述したように時刻ｔ１に一次撮影制御部２５が撮影開始を指示し、撮影カメラ１３がこの撮影開始の指示を受け取って最初に撮影を行ったときの時刻が、ｆｒａｍｅ０の撮影時刻である。
【０１７３】
なお、一次撮影制御部２５が撮影開始を指示した時刻と、ｆｒａｍｅ０の撮影時刻とは、同時刻とみなせるため、以下では、説明を簡単にするために、ｆｒａｍｅ０の撮影時刻を時刻ｔ１として説明をする。
【０１７４】
ｆｒａｍｅ０は、時刻ｔ１に撮影された画像データ、ｆｒａｍｅ１は、時刻ｔ１＋１／６０秒に撮影された画像データ、ｆｒａｍｅＸＸＸは、時刻ｔ６に撮影された画像データを示している。
【０１７５】
上述したように時刻ｔ６に一次撮影制御部２５が撮影停止を指示し、撮影カメラ１３がこの撮影停止の指示を受け取って、停止を行う直前に撮影された撮影データの撮影時刻がｆｒａｍｅＸＸＸの撮影時刻である。よって、ｆｒａｍｅＸＸＸの撮影時刻と、時刻ｔ６とには違いがあるが、同時刻とみなせので、ｆｒａｍｅＸＸＸの撮影時刻を時刻ｔ６としている。また、図９の撮影データ３２は、撮影データＲ２を示している。
【０１７６】
図１０Ａは、図７に示す撮影制御システム１の一次撮影処理において、撮影カメラ１３の撮影対象となる被写体の被写体ＩＤと撮影データとの対応を管理するテーブルの途中経過の一例を示す図であり、図８の時刻ｔ４時点において、撮影データ一時記憶部２４に保存されたテーブルの内容を表したものである。
【０１７７】
図１０Ａに示すテーブルは、撮影データＲ１に含まれる撮影データのうち、どの被写体が撮影対象となっているかを示している。このテーブルに相当するデータは、撮影データとともに撮影データ一時記憶部２４に一時保存される。例えば、図１０Ａに示すように、被写体ＩＤ１の被写体は、撮影データＲ１の中に含まれる撮影データのうち、時刻ｔ１から時刻ｔ４の間に撮影された撮影データの中に含まれている。言い換えれば、時刻ｔ１から時刻ｔ４の間においては、被写体ＩＤ１の被写体が撮影カメラ１３の撮影対象であること、つまり被写体ＩＤ１の被写体が撮影スポットであるパビリオン１０の中にいることを示している。
【０１７８】
また、被写体ＩＤ２の被写体が撮影対象となっている時間帯は、時刻ｔ２から開始されていることを示しているが、被写体ＩＤ２に対応する終了時刻がまだ入っていない。これは、時刻ｔ４の時点において被写体ＩＤ２の被写体が、撮影スポットにいることを示している。同様に、被写体ＩＤ３の被写体は、時刻ｔ３から撮影スポットにいることを示している。
【０１７９】
例えば、時刻ｔ１から時刻ｔ２までの時間においては、被写体ＩＤ１の被写体のみが撮影カメラ１３の撮影対象である。時刻ｔ２から時刻ｔ３までの時間においては、被写体ＩＤ１の被写体に加え、被写体ＩＤ２の被写体が撮影カメラ１３の撮影対象である。
【０１８０】
時刻ｔ３から時刻ｔ４までの時間においては、被写体ＩＤ１および被写体ＩＤ２の被写体に加え、被写体ＩＤ３の被写体が撮影カメラ１３の撮影対象である。
【０１８１】
このように、撮影データＲ１のうち、例えば、時刻ｔ４の時点において、時刻ｔ３から時刻ｔ４までの間に撮影された撮影データは、被写体ＩＤ１〜被写体ＩＤ３の被写体のそれぞれが撮影対象であることを示す。
【０１８２】
図１１は、図７に示す撮影制御システム１の一次撮影処理の被写体ＩＤと撮影データとの対応を管理するテーブルの一例を示す図であり、図１０Ａの時刻ｔ４から時間が経過し、図８の時刻ｔ８時点において、撮影データ一時記憶部２４に保存された内容を表したものである。
【０１８３】
図１１に示すテーブルは、時刻ｔ６時点では、パビリオン１０の中に被写体である人物がいなくなった状態となり撮影カメラ１３による撮影が停止したことを示す。つまり、図１１に示すテーブルは、時刻ｔ６時点では、撮影カメラ１３による撮影は、停止したことを示している、また、時刻ｔ７時点から新たに撮影を開始した、被写体ＩＤ４の被写体に対する撮影データは、撮影データＲ１とは別の撮影データＲ２であり、時刻ｔ８に撮影を停止していることを示している。
【０１８４】
図１２は、図７に示す撮影制御システム１の一次撮影処理の手順の一例を示すフローチャートである。
【０１８５】
撮影制御システム１が一次撮影処理を開始すると、最初に、一次撮影制御部２５は、内部の被写体カウンタの値を０に設定する（ステップＳ１００１）。被写体カウンタの値が０であるとは、パビリオン１０に被写体となる人物、すなわち被写体識別バーコードカード１６をかざしてパビリオン１０に入場した人物が１人もいない状態であることを示している。通常、この処理は、パビリオン１０の開場前に準備されておく必要がある。
【０１８６】
次に、一次撮影制御部２５は、パビリオン１０に入場する被写体がいるかどうかを判定する（ステップＳ１００２）。例えば、パビリオン入口１１の受付端末１５が備える被写体情報検出部２１は、新しい被写体の被写体ＩＤを検出すると、この被写体ＩＤを被写体情報として出力する。この被写体情報は、上述したように、一次撮影制御部２５へ出力される。
【０１８７】
よって、ステップＳ１００２において一次撮影制御部２５は、パビリオン入口１１の受付端末１５から被写体情報を受け取ったかどうかをチェックすることで、パビリオン１０へ入場する被写体がいるかどうかを判定する。
【０１８８】
よって、パビリオン入口１１の受付端末１５からの被写体情報を受け取った場合、一次撮影制御部２５は、パビリオン１０に入場する被写体がいると判定し（ステップＳ１００２でＹｅｓ）、被写体情報が示す被写体ＩＤと被写体情報を受け取った時刻（開始時刻）を紐付ける情報をテーブルとして撮影データ一時記憶部２４に保存する。その後、ステップＳ１００３へ進む。
【０１８９】
ステップＳ１００３において、一次撮影制御部２５は、被写体カウンタの値に受けとった被写体情報の数に相当する値を加算する。パビリオン入口１１に受付端末１５が１台しか設置されていない場合は、ステップＳ１００３において、被写体カウンタの値に加算する値は常に１となる。しかしながら、パビリオン入口１１に複数の受付端末１５が設置されている場合は、一次撮影制御部２５は、これらの受付端末１５から同時に被写体情報を受け取る場合がある。この場合、受け取った被写体情報に対応する数が被写体カウンタの値に加算される場合もある。
【０１９０】
一方、ステップＳ１００２において、パビリオン１０に入場する被写体はいないと判定した場合（ステップＳ１００２でＮｏ）、つまり、被写体情報を受け取っていない場合、ステップＳ１００４へ進む。
【０１９１】
次に、ステップＳ１００４において、一次撮影制御部２５は、パビリオン１０から出場する被写体がいるかどうかを判定する。例えば、パビリオン出口１２の受付端末１５が備える被写体情報検出部２１は、被写体の被写体ＩＤを検出すると、この被写体ＩＤを被写体情報として出力する。この被写体情報は、上述したように、一次撮影制御部２５に出力される。
【０１９２】
よって、ステップＳ１００４において一次撮影制御部２５は、パビリオン出口１２の受付端末１５から被写体情報を受け取ったかどうかをチェックすることで、パビリオン１０から出場する被写体がいるかどうかを判定する。被写体情報を受け取った場合、パビリオン１０から出場する被写体がいると判定し（ステップＳ１００４でＹｅｓ）、撮影データ一時記憶部２４のテーブルを参照し、パビリオン出口１２の受付端末１５から受け取った被写体情報が示す被写体ＩＤと同じ被写体ＩＤを特定する。そして特定した被写体ＩＤの終了時刻として、被写体情報を受け取った時刻をテーブルに保存する。その後、ステップＳ１００５へ進む。
【０１９３】
ステップＳ１００５において、一次撮影制御部２５は、被写体カウンタの値から受け取った被写体情報の数に相当する値を減算する（ステップＳ１００５）。パビリオン出口１２に受付端末１５が１台しか設置されていない場合は、ステップＳ１００５において、被写体カウンタの値からに減算される値は常に１となる。しかしながら、パビリオン出口１２に複数の受付端末１５が設置されている場合は、一次撮影制御部２５は、こられの受付端末１５から同時に被写体情報を受け取る場合がある。この場合、受け取った被写体情報に対応する値が被写体カウンタの値から減算される場合もある。
【０１９４】
ここまでの処理を行った時点でのパビリオン１０に入場した人物の数は、被写体カウンタの値である。つまり上述の時点において、撮影カメラ１３の内の撮影スポットでの撮影対象となる被写体の人数すなわち被写体ＩＤの数が確定する。
【０１９５】
次に、一次撮影制御部２５は、被写体カウンタの値が０より大きいかどうかをチェックする。つまり、一次撮影制御部２５は、撮影スポットに撮影対象となる被写体がいるかどうかをチェックする（ステップＳ１００６）。
【０１９６】
被写体カウンタの値が０より大きい場合は、撮影スポットに被写体がいると判定され、ステップＳ１００７に進む。一方、被写体カウンタの値が０の場合は、撮影スポットに被写体が１人もいないと判定され、ステップＳ１００９に進む。
【０１９７】
ステップＳ１００７では、一次撮影制御部２５は、撮影カメラ１３の撮影が停止しているかどうかを判定する。一次撮影制御部２５は、撮影カメラ１３の撮影が停止している場合は、撮影カメラ１３に撮影の開始を指示する（ステップＳ１００８）。撮影の開始の指示は、撮影制御サーバ２０から撮影カメラ１３に出力される。一次撮影制御部２５は、撮影カメラ１３が撮影した撮影データを撮影データＲ１として、撮影データ一時記憶部２４に保存する。
【０１９８】
一次撮影制御部２５は、撮影データＲ１に関する情報をステップＳ１００２における被写体情報が示す被写体ＩＤおよび開始時刻と紐付けるテーブルに保存する。このテーブルは、撮影データ一時記憶部２４に保存される。
【０１９９】
撮影カメラ１３が撮影した撮影データは、撮影制御サーバ２０へ出力される。一次撮影制御部２５は、撮影制御サーバ２０が受け取った撮影データを撮影データ一時記憶部２４に保存する。より具体的には、一次撮影制御部２５は、撮影制御サーバ２０が受け取った複数の撮影データを撮影データＲ１として保存する。
【０２００】
撮影制御サーバ２０から撮影の停止の指示を受け取るまで、撮影カメラ１３は、撮影データが得られる度に、この撮影データを撮影制御サーバ２０へ出力し、一次撮影制御部２５は、撮影制御サーバ２０が受け取った撮影データを撮影データＲ１として撮影データ一時記憶部２４に保存する処理を繰り返す。
【０２０１】
ステップＳ１００８の後、ステップＳ１００２に戻る。
【０２０２】
一方、撮影カメラ１３の撮影が停止していない場合とは、撮影カメラ１３が一定の時間間隔（例えば、１／６０秒毎）で撮影を行う動作を行っている（撮影中）ことを示す。
【０２０３】
撮影カメラ１３の撮影が停止していない場合（ステップＳ１００７でＮｏの場合）、ステップＳ１００２に戻る。
【０２０４】
また、ステップＳ１００９では、一次撮影制御部２５は、撮影カメラ１３の撮影中かどうかを判定し、撮影カメラ１３の撮影中の場合は、撮影カメラ１３での撮影の停止を指示し（ステップＳ１０１０）、ステップＳ１００２に戻る。撮影の停止の指示は、撮影制御サーバ２０から撮影カメラ１３に出力される。撮影カメラ１３は、撮影の停止の指示を受け取ると、撮影を停止する。
【０２０５】
一方、撮影カメラ１３が撮影中でない場合（ステップＳ１００９でＮｏの場合）は、ステップＳ１００２に戻る。
【０２０６】
次に、撮影制御システム１の一次撮影処理の具体的な一例について説明する。以下の説明は、図８に示すタイムチャートに従って、図１２に示すフローチャートによってどのように処理されるかを説明する。
【０２０７】
パビリオン１０に被写体がいない状態、すなわち、一次撮影制御部２５において被写体カウンタの値が０の状態では、撮影カメラ１３による撮影は停止している。これは図８のタイムチャートの時刻ｔ０から時刻ｔ１、時刻ｔ６から時刻ｔ７の時間帯に相当し、図１２のフローチャートのステップＳ１００１直後の状態に相当する。
【０２０８】
最初の被写体が、時刻ｔ１にパビリオン入口１１の受付端末１５に被写体ＩＤ１の被写体識別バーコードカード１６をかざすことで、被写体情報検出部２１は、バーコードを読み取って被写体ＩＤ１を検出し、被写体情報として検出した被写体ＩＤ１を出力する。被写体情報は、上述したように、一次撮影制御部２５に出力される。
【０２０９】
一次撮影制御部２５は、ステップＳ１００２において、被写体情報を受けとったので、パビリオン１０に被写体ＩＤ１の被写体が入場すると判定し、ステップＳ１００３に進む。
【０２１０】
このとき、一次撮影制御部２５は、被写体情報が示す被写体ＩＤ１および被写体情報を受け取った時刻（開始時刻）を紐付ける情報をテーブルとして撮影データ一時記憶部２４に保存する。
【０２１１】
ステップＳ１００３では、被写体カウンタの値に１を加算する。この時点で、被写体カウンタの値は１となる。ステップＳ１００４では、パビリオン出口１２に設置された受付端末１５から被写体情報の通知を受け取っていないので、新たにパビリオン１０から出場した被写体はいないと判定し、ステップＳ１００６へ進む。ステップＳ１００６では、被写体カウンタの値が０より大きいと判定し、ステップＳ１００７へ進む。このとき、撮影カメラ１３での撮影は停止しているので、ステップＳ１００８に進み、ステップＳ１００８において、撮影カメラ１３に撮影の開始を指示し、ステップＳ１００２に戻る。
【０２１２】
撮影の開始の指示を受けた撮影カメラ１３は、６０分の１秒に１回撮影を行う動作を繰り返し行う。一次撮影制御部２５は、撮影された静止画データを、撮影データ一時記憶部２４に撮影時刻順に撮影データＲ１として保存する。１枚目の撮影データは、被写体がパビリオン１０に入場した直後のデータとなるため、時刻ｔ１の撮影データとして保存され、図９ではｆｒａｍｅ０となる。また、２枚目の撮影は、時刻ｔ１＋６０分の１秒に行われ、図９ではｆｒａｍｅ１となる。以降、撮影カメラ１３は、一次撮影制御部２５が撮影終了を指示するまで撮影を繰り返す。
【０２１３】
また、一次撮影制御部２５は、被写体ＩＤ１の被写体に紐付く撮影データが撮影データＲ１であることを示すために、撮影データ一時記憶部２４に一時保存するテーブルに「Ｒ１」を追加する。
【０２１４】
撮影開始直後におけるテーブルは、被写体ＩＤ１に対応するＩＤ１、開始時刻ｔ１、及び撮影データＲ１の組み合わせの情報が保存され、この時点では、終了時刻は未設定となる。このときの、テーブルの内容が図１０Ｂである。
【０２１５】
次に、時刻ｔ２になると、パビリオン入口１１の受付端末１５に被写体ＩＤ２の被写体識別バーコードカード１６がかざされ、この受付端末１５の被写体情報検出部２１は、バーコードを読み取って被写体ＩＤ２を取得し、被写体情報として被写体ＩＤ２を出力する。被写体情報は、上述したように、一次撮影制御部２５へ出力される。一次撮影制御部２５は、図１２に示すループ処理を行っている最中である。
【０２１６】
一次撮影制御部２５は、ステップＳ１００２において、被写体情報が示す被写体ＩＤ２の被写体がパビリオン１０に入場したと判定し、ステップＳ１００３に進む。
【０２１７】
このとき、一次撮影制御部２５は、被写体情報が示す被写体ＩＤ２および被写体情報を受け取った時刻ｔ２（開始時刻）を撮影データＲ１と紐付ける情報をテーブルとして撮影データ一時記憶部２４に保存する。このときの撮影データ一時記憶部２４に保存されるテーブルの内容が図１０Ｃである。
【０２１８】
ステップＳ１００３では、被写体カウンタの値に１を加算する。この時点で、被写体カウンタの値は２となる。ステップＳ１００４では、パビリオン出口１２の受付端末１５から被写体情報の通知を受け取っていないので、新たにパビリオン１０から出場した被写体がいないと判定しステップＳ１００６へ進む。ステップＳ１００６では、被写体カウンタの値が０より大きいと判定し、ステップＳ１００７へ進み、撮影カメラ１３での撮影がすでに開始されているので、ステップＳ１００２に戻る。
【０２１９】
同様に、時刻ｔ３になると、パビリオン入口１１の受付端末１５に被写体ＩＤ３の被写体識別バーコードカード１６がかざされ、この受付端末１５の被写体情報検出部２１は、バーコードを読み取って被写体ＩＤ３を取得し、被写体情報として、被写体ＩＤ３を出力する。被写体情報は、上述したように、一次撮影制御部２５へ出力される。一次撮影制御部２５は、図１２に示すループ処理を行っている最中である。
【０２２０】
一次撮影制御部２５は、上述と同様にステップＳ１００２〜ステップＳ１００３を行うことにより、被写体カウンタの値は３となり、被写体ＩＤ３、開始時刻ｔ３、及び撮影データＲ１の組み合わせの情報を撮影データ一時記憶部２４のテーブルに保存する。このときのテーブルの内容は、図１０Ｄに示すとおりである。
【０２２１】
次に、時刻ｔ４になると、パビリオン出口１２の受付端末１５に被写体ＩＤ１の被写体識別バーコードカード１６がかざされ、この受付端末１５の被写体情報検出部２１は、バーコードを読み取って被写体ＩＤ１を取得し、被写体情報として、取得した被写体ＩＤ１を出力する。被写体情報は、上述したように、一次撮影制御部２５へ出力される。一次撮影制御部２５は、図１２に示すループ処理を行っている最中である。
【０２２２】
一次撮影制御部２５は、ステップＳ１００２では、パビリオン入口１１の受付端末１５から被写体情報を受け取っていないので、新たにパビリオン１０に入場した被写体がいないと判定し、ステップＳ１００４へ進む。ステップＳ１００４において、パビリオン出口１２に設置された受付端末１５からの被写体情報を受け取ったので、パビリオン１０から被写体ＩＤ１の被写体が出場したと判定し、ステップＳ１００５に進む。このとき、ステップＳ１００４において、被写体情報を受け取ったときの時刻を被写体ＩＤ１の終了時刻として、撮影データ一時記憶部２４のテーブルに保存する。この時点におけるテーブルの内容が、図１０Ａに示したテーブルである。
【０２２３】
ステップＳ１００５では、被写体カウンタの値から１を減算する。この時点で、被写体カウンタの値は２となる。ステップＳ１００６では、被写体カウンタの値が０より大きいと判定し、ステップＳ１００７へ進み、撮影カメラ１３での撮影がすでに開始されているので、次の被写体入場のチェックであるステップＳ１００２に戻る。
【０２２４】
同様に、時刻ｔ５では、パビリオン出口１２の受付端末１５に被写体ＩＤ３の被写体識別バーコードカード１６がかざされ、この受付端末１５の被写体情報検出部２１は、バーコードを読み取って被写体ＩＤ３を取得し、被写体情報として、取得した被写体ＩＤ３を出力する。被写体情報は、パビリオン出口１２に設置された受付端末１５から撮影制御サーバ２０へ出力される。撮影制御サーバ２０は、受け取った被写体情報を一次撮影制御部２５へ出力する。一次撮影制御部２５は、図１２に示すループ処理を行っている最中である。
【０２２５】
上述同様に、一次撮影制御部２５は、ステップＳ１００４〜ステップＳ１００５の処理により、被写体カウンタの値は１となり、被写体ＩＤ３に対する終了時刻ｔ５を撮影データ一時記憶部２４のテーブルに保存する。このときの撮影データ一時記憶部２４のテーブルの内容は、図１０Ｅに示すとおりである。
【０２２６】
次に、時刻ｔ６になると、パビリオン出口１２の受付端末１５に被写体ＩＤ２の被写体識別バーコードカード１６がかざされ、この受付端末１５の被写体情報検出部２１は、バーコードを読み取って被写体ＩＤ２を取得し、被写体情報として、被写体ＩＤ２を出力する。被写体情報は、パビリオン出口１２に設置された受付端末１５から撮影制御サーバ２０へ出力される。撮影制御サーバ２０は、受け取った被写体情報を一次撮影制御部２５へ出力する。一次撮影制御部２５は、図１２に示すループ処理を行っている最中である。
【０２２７】
一次撮影制御部２５は、ステップＳ１００２の判定では、新たに入場した被写体がいないため、ステップＳ１００４へ進む。ステップＳ１００４において、一次撮影制御部２５は、パビリオン出口１２に設置された受付端末１５からの被写体ＩＤ２に対応する被写体情報を受け取ったので、パビリオン１０から被写体ＩＤ２の被写体が出場したと判定し、ステップＳ１００５に進む。このとき、ステップＳ１００４において、被写体ＩＤ２の被写体情報を受け取ったときの時刻を被写体ＩＤ２の終了時刻として、撮影データ一時記憶部２４のテーブルに保存する。このときのテーブルの内容は図１０Ｆに示すとおりである。
【０２２８】
また、ステップＳ１００５で被写体カウンタの値を１減算する。この時点で被写体カウンタの値は０となる。
【０２２９】
ステップＳ１００６の判定では、被写体カウンタの値が０であるため、ステップＳ１００９へ進む。撮影カメラ１３で撮影が行われているので、ステップＳ１００９では、撮影中と判定し、ステップＳ１０１０へ進む。ステップＳ１０１０では、一次撮影制御部２５は、撮影カメラ１３に撮影の停止を指示する。
【０２３０】
図９において、撮影データＲ１の最終画像はｆｒａｍｅＸＸＸであり、撮影時刻はｔ６であることを示している。
【０２３１】
このように、撮影制御システム１の一次撮影処理では、時刻ｔ１から時刻ｔ６まで撮影された１つ以上の撮影データがそれぞれ、撮影データＲ１として、撮影データ一時記憶部２４に一時保存される。また、パビリオン入口１１の受付端末１５及びパビリオン出口１２の受付端末１５における、被写体の被写体ＩＤ入力に従って、撮影カメラ１３の撮影の開始の指示、撮影の停止の指示を出すことで、撮影カメラ１３に対しての撮影開始、撮影停止の制御が行われる。
【０２３２】
また、撮影データＲ１を撮影データ一時記憶部２４に保存し、それぞれの被写体が撮影データＲ１のどの時間帯を撮影対象としているかが、撮影データ一時記憶部２４のテーブルに保存されることになる。
【０２３３】
同様に、時刻ｔ７から時刻ｔ８にかけて、被写体ＩＤ４の被写体に対する撮影が行われ、撮影データＲ２が保存されると、図１１のテーブルに示すように、被写体ＩＤ４に対して、開始時刻ｔ７、終了時刻ｔ８、及び撮影データＲ２が対応し、図９において撮影データＲ２の画像は、ｆｒａｍｅ０からｆｒａｍｅＹＹＹとなる。
【０２３４】
以上が、撮影制御システム１の行う一次撮影処理である。
【０２３５】
＜１−３−２．二次撮影処理＞
次に、撮影制御システム１の二次撮影処理の動作について説明する。
【０２３６】
図１３は、図７に示す撮影制御システム１の二次撮影処理の時間の流れの一例を示すタイムチャートである。本タイムチャートは、図８に示した一次撮影処理における被写体ＩＤ３の被写体に対する撮影時間帯及び、二次撮影処理における撮影指示Ｓ１を示している。
【０２３７】
一次撮影処理において、撮影カメラ１３での撮影データＲ１は、時刻ｔ１から時刻ｔ６の時間帯（時間バーＲ１）に撮影され、そのうち時刻ｔ３から時刻ｔ５までが、被写体ＩＤ３の被写体がパビリオン１０の撮影スポットにいた時間帯（時間バーＩＤ３）である。撮影データＲ１は、撮影データ一時記憶部２４に一時保存されている。
【０２３８】
撮影データ一時記憶部２４に保存されたテーブルから、撮影時刻が時刻ｔ３から時刻ｔ５までの時間帯が被写体ＩＤ３の被写体が撮影カメラ１３の撮影対象であった。
【０２３９】
撮影者は、撮影用端末１４の被写体識別情報入力部２２を操作し、撮影指示Ｓ１を行う。撮影指示Ｓ１には、撮影指示を行った時刻Ｔ１、および被写体ＩＤを含む。撮影用端末１４は撮影指示Ｓ１を、撮影制御サーバに出力する。撮影制御サーバ２０は、受け取った撮影指示Ｓ１を、二次撮影制御部２６に出力する。撮影指示を行った時刻を第３の時刻ともいう。
【０２４０】
二次撮影制御部２６は、撮影指示Ｓ１を受け取ると、二次撮影処理を行う。具体的には、受け取った撮影指示Ｓ１に含まれる被写体ＩＤの被写体が、撮影指示Ｓ１に含まれる時刻Ｔ１（撮影指示を行った時刻）にパビリオン１０の中にいるのかどうかを判定する。この判定は、撮影データ一時記憶部２４のテーブルに基づいて判定すればよい。
【０２４１】
受け取った撮影指示Ｓ１に含まれる被写体ＩＤの被写体が、撮影指示Ｓ１に含まれる時刻Ｔ１（撮影指示を行った時刻）にパビリオン１０の中にいると判定した場合、二次撮影制御部２６は、撮影指示Ｓ１を行った時刻Ｔ１に対応するｆｒａｍｅＴＴ１を撮影データ一時記憶部２４の撮影データＲ１の中から抽出する。二次撮影制御部２６は、抽出した撮影データに対応するｆｒａｍｅＴＴ１を撮影データ記憶部２７に保存する。
【０２４２】
また、二次撮影制御部２６は、被写体ＩＤ（例えばＩＤ３）、撮影時刻（例えばＴ１）、撮影指示（例えばＳ１）を抽出した撮影データ（例えばｆｒａｍｅＴＴ１）と紐付けた情報を撮影データ記憶部２７のテーブルに保存する。
【０２４３】
または、例えば、被写体ＩＤ３の人物が子供である場合、この子供の親である撮影者は、撮影指示Ｓ１を行う前に、被写体ＩＤ３を撮影用端末１４の被写体識別情報入力部２２を操作し、入力してもよい。この場合、撮影指示Ｓ１を行う前に、撮影用端末１４は、被写体識別情報として被写体ＩＤ３を撮影制御サーバ２０に出力する。撮影制御サーバ２０は、受け取った被写体識別情報を二次撮影制御部２６に出力する。二次撮影制御部２６は、被写体識別情報を受け取ると、被写体識別情報が示す被写体ＩＤが撮影対象となっている時間帯を特定し、この時間帯の撮影データを撮影データＲ１の中から抽出してもよい。
【０２４４】
また、二次撮影制御部２６が撮影用端末１４から被写体識別情報を受け取った時刻が時刻ｔ５よりも後である場合であっても、撮影時刻が時刻ｔ３から時刻ｔ５までの撮影データを１つ以上抽出してもよい。
【０２４５】
抽出される撮影データは、１つ以上あればよいが、ここでは複数の撮影データが抽出される場合を例に説明をする。
【０２４６】
抽出した複数の撮影データは、撮影制御サーバ２０から撮影用端末１４に出力される。撮影用端末１４は、受け取った複数の撮影データを撮影時刻の順にディスプレイに表示する。
【０２４７】
これにより、撮影者は、被写体ＩＤの被写体を画像として含む撮影データを撮影用端末１４のディスプレイを用いて閲覧できる。例えば、撮影時刻Ｔ１に対応する画像がディスプレイに表示されたとき、撮影者が撮影用端末１４を操作し、この撮影データの取得を指示したとする。この場合、撮影用端末１４は、撮影データの取得の指示（撮影指示Ｓ１）を、撮影制御サーバ２０へ出力する。撮影指示Ｓ１には、撮影指示を行ったときにディスプレイに表示されていた撮影データの撮影時刻Ｔ１および被写体ＩＤが含まれる。
【０２４８】
撮影制御サーバ２０は、受け取った撮影指示Ｓ１を二次撮影制御部２６に出力する。このようにすることで、二次撮影制御部２６は、撮影用端末１４からの撮影指示Ｓ１を受け取る。
【０２４９】
二次撮影制御部２６は、撮影時刻Ｔ１に対応するｆｒａｍｅＴＴ１を撮影データ一時記憶部２４の撮影データＲ１の中から抽出する。二次撮影制御部２６は、抽出した撮影データに対応するｆｒａｍｅＴＴ１を撮影データ記憶部２７に保存する。
【０２５０】
図１４は、図７に示す撮影制御システム１の一次撮影処理で撮影された撮影データＲ１と、二次撮影処理の撮影指示Ｓ１で撮影（取得）された撮影データとの関係の一例を示したイメージ図である。図１４において、撮影データＲ１は、ｆｒａｍｅ０からｆｒａｍｅＸＸＸまでの複数の撮影データであり、撮影指示Ｓ１に対する撮影データ（撮影フレーム）は、ｆｒａｍｅＴＴ１であることを示している。このテーブルに相当するデータは、撮影データとともに撮影データ記憶部２７に保存される。
【０２５１】
図１５は、撮影データ記憶部２７に保存されるテーブルの一例を示す図である。より具体的には、図１５に示すように、図１５のテーブルは、例えば、二次撮影処理において、撮影用端末１４から受け取った被写体ＩＤ３、撮影指示Ｓ１、抽出した撮影データの撮影時刻Ｔ１を撮影データｆｒａｍｅＴＴ１と紐付ける情報をテーブルとして管理する。図１５は、被写体ＩＤ３に対して、図１４の撮影指示Ｓ１に対する撮影データの撮影時刻がＴ１、撮影指示Ｓ１に対する撮影データがｆｒａｍｅＴＴ１であることを示している。
【０２５２】
図１６は、図７に示す撮影制御システム１の二次撮影処理の手順の一例を示すフローチャートである。
【０２５３】
この例では、一次撮影処理を行っている最中に二次撮影処理を行う場合を例に説明する。
【０２５４】
撮影制御システム１は、二次撮影処理を開始すると、撮影用端末１４からの撮影指示を待つ。撮影者は、例えば、撮影用端末１４の被写体識別情報入力部２２に組み込まれた撮影ボタン（図示せず）を押下することで指示する。撮影ボタンが押下されると、被写体識別情報入力部２２は、撮影指示を出力する。撮影指示には、被写体ＩＤおよび撮影指示した時刻（例えば、ボタンを押下した時刻、またはボタンを押下したときに、ディスプレイに表示される撮影データの撮影時刻）を示す時刻情報が含まれる。撮影指示を行った時刻を第３の時刻ともいう。撮影指示した時刻を示す時刻情報は、第３の時刻情報ともいう。この撮影指示は、撮影用端末１４から二次撮影制御部２６に出力される。このようにして、二次撮影制御部２６は、撮影指示を受け取る（ステップＳ１１０１）。
【０２５５】
次に、二次撮影制御部２６は、受け取った撮影指示に含まれる被写体ＩＤが、撮影指示された時刻に対して有効な被写体ＩＤであるかどうか、すなわちその被写体ＩＤの被写体が撮影指示された時刻にパビリオン１０にいるかどうかをチェックする（ステップＳ１１０２）。このチェックは例えば、撮影データ一時記憶部２４に保存されたテーブルを参照することでチェックできる。
【０２５６】
もし、指定された被写体ＩＤが有効な場合、すなわち指定された被写体ＩＤの被写体がパビリオン１０にいる場合（ステップＳ１１０２でＹｅｓ）は、二次撮影制御部２６は、一次撮影処理で撮影された撮影データの中から、受け取った撮影指示に含まれる時刻情報が示す時刻に一致する撮影時刻の撮影データすなわち撮影画像を抽出し、撮影データ記憶部２７に記憶して（ステップＳ１１０３）二次撮影処理を終了する。一方、指定された被写体ＩＤが無効な場合（ステップＳ１１０２でＮｏ）、すなわち撮影指示された時刻において、指定された被写体ＩＤの被写体がパビリオン１０にいなかった場合は、撮影指示は無効となり、撮影データは記憶されずに、二次撮影処理を終了する。
【０２５７】
または、撮影用端末１４からの撮影指示を行う前に、以下の処理を行ってもよい。
【０２５８】
例えば、撮影者は、撮影用端末１４の被写体識別情報入力部２２を用いて、被写体ＩＤを入力する。被写体識別情報入力部２２は、入力された被写体ＩＤを被写体識別情報として出力する。被写体識別情報は、撮影用端末１４から撮影制御サーバ２０に出力される。撮影制御サーバ２０は、被写体識別情報を二次撮影制御部２６へ出力する。二次撮影制御部２６は、被写体識別情報を受け取ると、撮影データ一時記憶部２４のテーブルを参照し、被写体識別情報が示す被写体ＩＤの被写体が撮影スポットであるパビリオン１０の中にいるのかどうかをチェックする。
【０２５９】
被写体ＩＤの被写体がパビリオン１０の中にいると判定した場合、受け取った時刻を撮影時刻とする撮影データおよびこの撮影データに後続する撮影データを撮影データ一時記憶部２４から取り出す（または抽出する）。
【０２６０】
撮影データ一時記憶部２４から取り出した撮影データは、逐次、撮影制御サーバ２０から撮影用端末１４に出力される。
【０２６１】
撮影用端末１４は、受け取った撮影データを、逐次、ディスプレイに表示する。このようにすることで、撮影用端末１４を操作する撮影者は、撮影用端末１４のディスプレイに表示される撮影データを閲覧しながら、指示を行うことができる。
【０２６２】
または、受け取った被写体ＩＤがパビリオン１０の中にいると判定した場合、上述のテーブルにおいて、受け取った被写体ＩＤに対応する開始時刻以降の撮影時刻を有する撮影データを逐次、撮影データ一時記憶部２４から取り出してもよい、この場合、撮影用端末１４は、被写体ＩＤの被写体がパビリオン１０に入場したときからの撮影データを閲覧できる。
【０２６３】
この場合、撮影指示Ｓ１には、撮影指示した時刻として、ボタンを押下したときに、ディスプレイに表示される撮影データの撮影時刻が含まれてもよい。
【０２６４】
二次撮影制御部２６は、撮影指示Ｓ１に含まれる撮影時刻の撮影データを撮影データ一時記憶部２４の中から抽出し、撮影データ記憶部２７に記憶して（ステップＳ１１０３）もよい。
【０２６５】
次に、撮影制御システム１の二次撮影処理の具体的な一例について説明する。二次撮影処理の撮影指示は、パビリオン１０の外に設置された撮影用端末１４で行われる。撮影用端末１４を使用する撮影者は、撮影用端末１４の被写体識別情報入力部２２を用いて、撮影したい被写体の被写体ＩＤを入力する。
【０２６６】
撮影者は、上述したように、撮影用端末１４で、一次撮影処理によって撮影された撮影データを閲覧できる。また、撮影者は、撮影用端末１４に撮影データを表示している間に、被写体識別情報入力部２２を用いて、撮影用端末１４から撮影指示を出す。撮影指示を出す方法は、例えば、撮影用端末１４の被写体識別情報入力部２２に組み込まれた撮影ボタンを押下することで指示することが可能である。
【０２６７】
撮影用端末１４の被写体識別情報入力部２２は、撮影ボタンを押下の入力がなされると、被写体ＩＤおよび撮影指示した時刻を含む撮影指示を出力する。撮影指示は、撮影用端末１４から撮影制御サーバ２０に出力される。撮影制御サーバ２０は、受け取った撮影指示を、二次撮影制御部２６に出力する。
【０２６８】
例えば、一次撮影処理によって撮影された撮影データが、時刻ｔ１から撮影され、二次撮影指示がそこから１０秒後に指示された場合、ｔ１＋１０秒の撮影時刻が指定される。これにより、撮影用端末１４に表示される一次撮影処理によって撮影された撮影データの表示が、現在時刻から多少の遅延をしてしまう場合でも、撮影者の撮影指示は、表示されている撮影データに対して所望のタイミングで行われるため、実際の撮影時刻からずれていても、問題なく指示することが可能である。
【０２６９】
二次撮影制御部２６は、撮影用端末１４からの撮影指示を受け取ると、受け取った撮影指示に含まれる被写体ＩＤが、撮影指示された時刻に対して有効な被写体ＩＤであるかどうか、すなわちその被写体ＩＤの被写体が撮影指示された時刻にパビリオン１０にいるかどうかをチェックする。
【０２７０】
すなわち、受け取った撮影指示に含まれる時刻において、撮影データ一時記憶部２４に保存されたテーブルに受け取った被写体ＩＤの終了時刻が入力されていなければ、パビリオン１０の中にいると判定する。
【０２７１】
この場合、二次撮影制御部２６は、一次撮影処理で撮影された撮影データの中から、被写体識別情報入力部２２で撮影指示された時刻に一致する撮影時刻の撮影データすなわち撮影画像を抽出し、撮影データ記憶部２７に保存して二次撮影処理を終了する。
【０２７２】
一方、撮影指示を受け取ったとき、撮影データ一時記憶部２４に保存されたテーブルに受け取った撮影指示に含まれる被写体ＩＤの終了時刻が入力されていて、かつ撮影指示された時刻がこの終了時刻よりも後である場合、被写体ＩＤの被写体がパビリオン１０にいないと判定する。この場合は、撮影指示した撮影データには、被写体ＩＤの被写体が画像として含まれていないので、撮影指示は無効となり、撮影データ記憶部２７に撮影データを保存することなく、二次撮影処理を終了する。
【０２７３】
ここで、図１３に示すように、一次撮影処理の撮影データＲ１の時間帯に対して、撮影時刻Ｔ１における撮影指示Ｓ１が被写体識別情報入力部２２で取得された場合を説明する。
【０２７４】
この例では、時刻Ｔ１は、例えば、図８に示す時刻ｔ３から時刻ｔ５までの間とする。この間における撮影データ一時記憶部２４に保存されたテーブルの内容が図１０Ｄとして説明する。
【０２７５】
二次撮影制御部２６は、撮影者からの撮影指示Ｓ１を受け取る（図１６のステップＳ１１０１）、撮影指示Ｓ１に含まれる時刻Ｔ１において、被写体ＩＤ３の被写体が撮影対象になっているかどうかを、図１０Ｄに示した一次撮影処理で撮影データ一時記憶部２４に保存されているテーブルを参照して判定する（ステップＳ１１０２）。
【０２７６】
時刻Ｔ１は、時刻ｔ３と時刻ｔ５の間であるため、その時点では、一次撮影処理での撮影データＲ１の撮影は継続しており、また、被写体ＩＤ３の終了時刻も、撮影データ一時記憶部２４のテーブルに設定されていない状態である、すなわち、撮影データＲ１のうち撮影指示した時刻Ｔ１の撮影データは、被写体ＩＤ３の被写体が撮影対象として有効であると判定できる（ステップＳ１１０２でＹｅｓ）ため、ステップＳ１１０３の処理に進む。
【０２７７】
ここで、二次撮影制御部２６は、図１４に示した撮影データＲ１に対し、撮影時刻Ｔ１に対応するフレームとして、ｆｒａｍｅＴＴ１を抽出し、撮影データ記憶部２７に、被写体ＩＤ３の撮影データとして保存する。また、二次撮影制御部２６は、図１５のテーブルに示したような撮影情報として、被写体ＩＤ３、撮影時刻Ｔ１、撮影指示Ｓ１、及び撮影データｆｒａｍｅＴＴ１を紐付けた情報を、テーブルとして撮影データ記憶部２７に保存する（ステップＳ１１０３）。
【０２７８】
このように、本実施の形態の撮影制御システム１によれば、撮影者は、被写体が持つ被写体ＩＤを用いることで離れた場所から、パビリオン１０にいる被写体の撮影データを取得することが可能となる。
【０２７９】
上述の説明では、また、二次撮影制御部２６は、撮影指示Ｓ１を受け取る前に、被写体ＩＤ３を受け取った場合、撮影データ一時記憶部２４のテーブルを参照し、受け取った被写体ＩＤ３の被写体が撮影スポットであるパビリオン１０の中にいるのかどうかをチェックしてもよい。
【０２８０】
この場合、二次撮影制御部２６は、図１０Ｄに示すテーブルの内容を参照し、被写体ＩＤ３の開始時刻がｔ３で、被写体ＩＤ３の終了時刻の情報がないので、被写体ＩＤ３の被写体がまだパビリオン１０の中にいると判定する。この場合、二次撮影制御部２６は、撮影時刻が時刻ｔ３または、被写体ＩＤ３を受け取った時刻以降の撮影時刻を有する撮影データを撮影データ一時記憶部２４（または撮影データＲ１）の中から逐次、取り出してもよい。取り出した撮影データは、逐次、撮影制御サーバ２０から撮影用端末１４へ出力される。撮影用端末１４は、受け取った撮影データを逐次ディスプレイに表示する。このようにすることで、撮影者は、撮影用端末１４のディススプレイに表示される撮影データを閲覧できる。
【０２８１】
また、時刻Ｔ１は、撮影用端末１４において、撮影指示を行った時刻としたがこれに限定をされない。例えば、時刻Ｔ１は、撮影用端末１４において、撮影指示を行った時刻でディスプレイに表示された撮影データの撮影時刻を示す情報であってもよい。
【０２８２】
以上が、撮影制御システム１の行う二次撮影処理である。
【０２８３】
また、上述の説明では、被写体ＩＤ３の被写体がパビリオン１０の中にいる間に、被写体ＩＤ３の被写体の二次撮影処理を行う場合について説明をしたが、例えば、時刻ｔ５よりも後に、被写体ＩＤ３の被写体の撮影指示を行うこともできる。
【０２８４】
例えば、二次撮影制御部２６が、撮影用端末１４から出力される被写体識別情報（被写体ＩＤ３）を時刻ｔ５よりも後に受け取った場合において、撮影データ一時記憶部２４に保存されたテーブルの内容が図１０Ｅであるとする。
【０２８５】
この場合、二次撮影制御部２６は、撮影データＲ１のうち、被写体ＩＤ３の被写体が撮影対象となっている時間帯は、開始時刻ｔ３から終了時刻ｔ５までの撮影データであると特定できる。
【０２８６】
この場合、二次撮影制御部２６は、撮影データ一時記憶部２４（または撮影データＲ１）の中から撮影時刻が時刻ｔ３〜時刻ｔ５までの撮影データを逐次送信すればよい。
【０２８７】
この場合、撮影用端末１４は、受け取った時刻ｔ３〜時刻ｔ５までの撮影データを、撮影時刻の順に、ディスプレイに表示する。このようにすることで、撮影用端末１４を操作する撮影者は、撮影用端末１４のディスプレイに表示される撮影データを閲覧しながら、指示を行うことができる。更に、表示される撮影データは、全て、被写体ＩＤ３の被写体が撮影対象となっている。
【０２８８】
撮影用端末１４の被写体識別情報入力部２２は、撮影ボタンを押下の入力がなされると、被写体ＩＤおよび撮影指示した時刻にディスプレイに表示される撮影データの撮影時刻Ｔ１を示す時刻情報を含む撮影指示を出力する。撮影指示は、撮影用端末１４から撮影制御サーバ２０に出力される。撮影制御サーバ２０は、受け取った撮影指示を、二次撮影制御部２６に出力する。
【０２８９】
この場合、二次撮影制御部２６は、受け取った撮影指示に含まれる時刻情報が示す撮影時刻Ｔ１の撮影データを撮影データ一時記憶部２４（または撮影データＲ１）の中から取り出して、取り出した撮影データを、撮影データ記憶部２７に記憶してもよい。このような処理では、図１６のＳ１１０２を行う必要は必ずしもない。
【０２９０】
本実施の形態では、図７に示すように、撮影カメラ１３、撮影用端末１４、受付端末１５、および撮影制御サーバ２０がそれぞれ、物理的に別体である例を説明した。しかしながら、これに限定をされない。
【０２９１】
例えば、撮影制御サーバ２０の要件は、撮影カメラ１３に組み込まれてもよい。この場合、撮影制御サーバ２０の要件を、撮影カメラ１３に組み込んだ装置を、撮影カメラといってもよいし、撮影制御サーバといってもよい。
【０２９２】
また、例えば、撮影制御サーバ２０の要件は、撮影用端末１４に組み込まれてもよい。この場合、撮影制御サーバ２０の要件を、撮影用端末１４に組み込んだ装置を、撮影用端末といってもよいし、撮影制御サーバといってもよい。
【０２９３】
＜１−４．効果＞
本実施の形態によれば、一次撮影処理によって、少なくとも１名の被写体が撮影スポットにいることで、撮影カメラ１３によってパビリオン１０の撮影スポットの撮影が行われ、二次撮影処理によって、それぞれの被写体に対する被写体ＩＤを知りうる撮影者のみが、被写体が撮影スポットにいる時間帯の撮影（一次撮影処理により撮影された撮影データから被写体ＩＤが一致する撮影データの抽出）を行うことができる。また、撮影用端末１４を複数有するのであれば、これらの撮影用端末１４から同時に撮影指示を出した場合でも、それぞれの所望するタイミングの撮影データを取得することができる。
【０２９４】
（２．実施の形態２）
次に、本開示の第２の実施の形態に係る撮影制御システムについて図面を参照しながら説明する。
【０２９５】
本撮影制御システムは、テーマパーク、アミューズメント施設や観光地などにおける撮影スポットに設置された撮影カメラでユーザを自動撮影するためのシステムである。本実施の形態では、アミューズメント施設の撮影スポットとして、モニュメントの前の撮影エリアに用意された記念撮影スポットを想定し、動画で記念撮影をする場合を例に挙げて説明する。なお、本実施の形態では、撮影エリアには、記念撮影において同時に撮影されることを認める者しか入らないとする。同時に撮影されることを認めるものをまとめて１組ということにする。本実施の形態では、２人の人物を１組として記念撮影スポットでの記念撮影を行う場合を例に説明を行う。
【０２９６】
＜２−１．概要＞
図１７は、本開示の第２の実施の形態の撮影制御システムの利用風景の一例を示す図である。図１７において、撮影スポットを含むエリアには、モニュメント４１、撮影エリア入口４２、撮影エリア出口４３、及び記念撮影スポット４４があり、撮影カメラ４７が記念撮影スポット４４を撮影する位置に設置され、撮影エリア入口４２付近と撮影エリア出口４３付近とに、受付端末４８がそれぞれ設置されている。撮影スポットを含むエリアは、撮影エリアともいう。
【０２９７】
記念撮影スポット４４は、撮影カメラ４７で撮影する際に、被写体がこの位置に立てば、魅力的な写真が撮れるようなアングルになるように位置決めされ、地面に円が描かれた目印である。撮影カメラ４７は、ポール４７ａに取り付けられて記念撮影スポット４４に向けられ、記念撮影スポット４４にいる人である被写体と、モニュメント４１とを撮影できるように設置されている。本実施の形態の、受付端末４８は、被写体を識別するための識別情報として、バーコード、例えば、後述するＱＲコード（登録商標）を読み取るための撮影機能及び認識機能を備えている。
【０２９８】
人物がＱＲコード（登録商標）を受付端末４８にかざすと、受付端末４８は、ＱＲコード（登録商標）を読み取って、ＱＲコード（登録商標）が示す値を被写体ＩＤとして検出する。このようにすることで、撮影エリア入口４２の受付端末４８は、被写体ＩＤを外部から取得する。
【０２９９】
受付端末４８は、取得した被写体ＩＤおよび被写体ＩＤを検出した時刻を含む被写体識別情報を、撮影制御サーバ５０に出力する。撮影制御サーバ５０については後述する。
【０３００】
撮影エリア入口４２の受付端末４８からの被写体識別情報は、また、被写体識別情報が示す被写体ＩＤの人物が撮影エリアに入ったことを示す。
【０３０１】
撮影エリア出口４３の受付端末４８からの被写体識別情報は、また、被写体識別情報が示す被写体ＩＤの人物が撮影エリアから出たことを示す。
【０３０２】
本実施の形態における撮影エリア入口４２および撮影エリア出口４３のそれぞれに設置された受付端末４８は、さらに動体を検出する機能を備える。動体の検出は、例えば、赤外線センサーを用いて検出する。
【０３０３】
撮影エリア入口４２に設置された受付端末４８は、例えば、撮影エリア入口４２から記念撮影スポット４４までのエリアを検出範囲（第１検出範囲と称す）として含み、このエリアの動体を検出する。受付端末４８は、第１検出範囲で動体を検出すると、動体が検出されたことを示す動体検出情報を被写体情報として出力する。
【０３０４】
この被写体情報は、撮影エリア入口４２に設置された受付端末４８から撮影制御サーバ５０へ出力される。
【０３０５】
撮影制御サーバ５０は、被写体情報を受け取る（または取得する）と、撮影カメラ４７の撮影を開始する指示を出力する。撮影カメラ４７は、例えば、撮影を開始する指示を受け取る（または取得する）と、動画の撮影を開始する。撮影カメラ４７は、例えば、毎秒３０フレームで動画の撮影を行う。ここでは、１／３０秒の間隔で撮影を行うことで得られる画像フレームのそれぞれを撮影データという。当然のことながら撮影カメラ４７の撮影により得られる動画の撮影データは複数の撮影データを含むことになる。
【０３０６】
また、撮影エリア出口４３の受付端末４８は、例えば、記念撮影スポット４４から撮影エリア出口４３までのエリアを検出範囲（第２検出範囲と称す）として含み、このエリアの動体を検出する。撮影エリア出口４３に設置された受付端末４８は、第２検出範囲で動体を検出すると、動体が検出されたことを示す動体検出情報を被写体情報として出力する。出力された被写体情報は、撮影エリア出口４３に設置された受付端末４８から撮影制御サーバ５０に出力される。
【０３０７】
撮影エリア出口４３の受付端末４８は、例えば、一定の時間間隔で動体の検出を行うので、動体が第２検出範囲にいる間は、一定の時間間隔で動体検出情報が出力されることになる。撮影エリア出口４３の受付端末４８は、一度動体が検出されてから、動体の検出がされなくなると、この時点から動体が検出されない状態が継続する時間を、タイマー（図示せず）を用いて計測する。撮影エリア出口４３の受付端末４８は、動体が検出されない状態が一定時間継続したとき、動体が一定時間検出されなくなったことを示す情報を、被写体情報として撮影制御サーバ５０に出力する。
【０３０８】
撮影制御サーバ５０は、撮影エリア出口４３に設置された受付端末４８から被写体情報を受け取る（または取得する）と、撮影カメラ４７に撮影の終了（または停止ともいう）を指示する。撮影カメラ４７は、撮影の停止の指示を受け取る（または取得する）と撮影を終了する。
【０３０９】
また、撮影カメラ４７は、撮影した撮影データを、撮影制御サーバ５０へ出力する。撮影制御サーバ５０は受け取った動画の撮影データを第１メモリに一時保存する。
【０３１０】
また動画の撮影データの撮影を開始した開始時刻、撮影を終了した終了時刻を動画の撮影データと紐付けた情報をテーブルとして第１メモリ（図示せず）に保存する。
【０３１１】
このようにすることで、記念撮影スポット４４周辺の動体が検出されると撮影カメラ４７は撮影を開始し、動体が一定時間検出されなくなると、撮影カメラ４７は撮影を停止する。動体検出の方法は、既存の技術を用いればよい。例えば、赤外線センサーを用いた動体検出の方法は、多くの文献やアルゴリズムが開示されているため、ここでの詳細な説明は割愛する。
【０３１２】
撮影カメラ４７、受付端末４８および撮影制御サーバ５０は、ネットワーク接続されていて、通信によって相互に必要な情報のやり取りが可能となっている。また、撮影カメラ４７で撮影された撮影データは、インターネットを介してユーザが所有する携帯端末に提供できるようにするため、このネットワークは、インターネットに対応するネットワークを含むものとする。
【０３１３】
図１８は、図１７に示す撮影制御システムの利用風景における撮影シーンの一例を示す図である。例えば、図１８において、撮影される被写体４５が記念撮影スポット４４に立つことでベストポジションでの撮影が撮影カメラ４７により行われる。
【０３１４】
図１９は、図１８に示す被写体４５の被写体識別バーコードタグの装着例を示す図である。図１９において、被写体４５は、被写体識別バーコードタグ４６を身につけている。本実施の形態では、被写体識別バーコードタグ４６に被写体４５である人物の識別情報（以下「被写体ＩＤ」という）を示すＱＲコードを印刷し、それを被写体４５が撮影カメラ４７に写るように携行する。例えば、被写体識別バーコードタグ４６をシールで服に貼り付けたり、バッジのように安全ピンで服に留めたりするなどの方法で携行することで、被写体４５と同時に被写体識別バーコードタグ４６が撮影カメラ４７により撮影される。
【０３１５】
本実施の形態では、まず、被写体識別バーコードタグ４６を身に付けた被写体４５がモニュメント４１のある撮影エリアに入る。撮影エリア入口４２には、受付端末４８が設置されており、被写体４５は、被写体識別バーコードタグ４６を受付端末４８にかざすことで、受付端末４８が備えるＱＲコード撮影及び認識機能により、被写体識別バーコードタグ４６が読み取られ、被写体ＩＤが取得される。取得した被写体ＩＤは、例えば、撮影エリア入口４２の受付端末４８から撮影制御サーバ５０に出力される。撮影制御サーバ５０が受け取った被写体ＩＤは、メモリ（図示せず）に保存される。
【０３１６】
このようにして、被写体４５が撮影エリアに入ったことを本撮影制御システム（例えば、撮影制御サーバ５０）に予め通知することができる。
【０３１７】
被写体４５が撮影エリア入口４２から記念撮影スポット４４に近づくと、本撮影制御システム（例えば、撮影エリア入口４２に設置された受付端末４８）は、被写体ＩＤに対応する人物の移動を動体として検出する。動体を検出したことを示す情報は、被写体情報として、撮影エリア入口４２の受付端末４８から撮影制御サーバ５０に出力される。撮影制御サーバ５０は、撮影エリア入口４２の受付端末４８からの被写体情報を受け取ると、撮影カメラ４７に撮影の開始を指示する。撮影カメラ４７は、撮影開始の指示を受け取ると、動画の撮影を開始する。
【０３１８】
撮影エリア入口４２から記念撮影スポット４４に向かって移動している被写体４５は、撮影カメラ４７に対して正対していないため、この時点では、撮影カメラ４７に撮影された撮影データには、被写体識別バーコードタグ４６が写らない可能性が高い。
【０３１９】
しかしながら、被写体４５が記念撮影スポット４４に到着し、記念撮影のために体を撮影カメラ４７に向けている間は、撮影カメラ４７が撮影する撮影データに被写体識別バーコードタグ４６が写りやすくなり、撮影データの画像に含まれる被写体識別バーコードタグ４６の画像から被写体ＩＤを取得しやすくなる。
【０３２０】
記念撮影を終えた被写体４５が、記念撮影スポット４４から撮影エリア出口４３に向かって移動を開始すると、撮影カメラ４７が撮影する撮影データに被写体識別バーコードタグ４６が写りにくくなる。
【０３２１】
次に、被写体４５が撮影エリア出口４３に設置された受付端末４８の検出領域から離れると、受付端末４８は、動体を検出しなくなる。動体検出されなくなった時点から一定時間が経過すると、受付端末４８は、動体が検出されなくなったことを示す動体検出情報を被写体情報として、撮影制御サーバ５０に出力する。撮影制御サーバ５０は、撮影エリア出口４３に設置された受付端末４８から被写体情報を受け取ると、撮影カメラ４７に撮影の終了を指示する。撮影の終了の指示を受け取ると撮影カメラ４７は撮影を終了する。
【０３２２】
被写体４５は、撮影エリア出口４３の受付端末４８に被写体識別バーコードタグ４６をかざすと、撮影エリア出口４３の受付端末４８は、被写体ＩＤを検出（または取得）し、この被写体ＩＤを、被写体情報として撮影制御サーバ５０に出力する。このように構成をすることで、撮影エリア出口４３に設置された受付端末４８は、被写体４５がモニュメント４１のある撮影エリアにいないことを本撮影制御システム（撮影制御サーバ５０）に通知する。
【０３２３】
被写体４５が、撮影エリアからでると、本撮影制御システム（例えば、撮影制御サーバ５０）は、第１メモリに保存した動画の撮影データに含まれる複数の画像フレームをそれぞれ静止画として取り出し、この静止画の中から被写体識別バーコードタグ４６の画像を検出できるかどうかを判定する。撮影制御サーバ５０は、被写体識別バーコードタグ４６の画像が検出できる場合、被写体識別バーコードタグ４６が示す値（被写体ＩＤ）を検出する。
【０３２４】
このように、画像フレームに対応する静止画から被写体ＩＤを検出することを、画像フレームから被写体ＩＤを読み取るということにする。また、被写体ＩＤが検出された画像フレームを被写体ＩＤが読み取れた画像フレームということにする。
【０３２５】
画像フレームから被写体ＩＤが読み取れた場合、撮影制御サーバ５０は、この被写体ＩＤと、被写体識別情報が示す被写体ＩＤとを照合する。これらが一致する場合、被写体識別情報が示す被写体ＩＤが画像フレームから読み取れた（つまり、検出された）ことを意味する。
【０３２６】
このとき、撮影制御サーバ５０は、この静止画に被写体識別情報が示す被写体ＩＤの被写体が写っていると判定する。撮影制御サーバ５０は、動画の撮影データの中から被写体ＩＤの被写体が写っていると判定した画像フレームを抽出し、撮影データ（記念撮影スポット４４で撮影された撮影データ）として第２メモリ（図示せず）に保存する。また、被写体ＩＤの被写体が写っていると判定した画像フレームのうち最も古い撮影時刻を開始時刻、最も新しい撮影時刻を終了時刻とする。撮影制御サーバ５０は、被写体ＩＤ、開始時刻、および終了時刻を抽出した撮影データと紐付ける情報をテーブルとして第２メモリに保存する。
【０３２７】
なお、撮影制御サーバ５０は、被写体４５が撮影された動画の撮影データを、インターネット上にある被写体４５専用のクラウドサーバ（図示せず）に出力してもよい。このクラウドサーバは、撮影データをメモリ（図示せず）に保存してもよい。被写体４５となる人物は、自身が所持する携帯端末（図示せず）を操作し、クラウドサーバのメモリにアクセスすることで、動画の撮影データを取得することもできる。
【０３２８】
＜２−２．構成＞
次に、本実施の形態の撮影制御システムの構成について説明する。
【０３２９】
図２０は、本実施の形態の撮影制御システムの構成の一例を示すブロック図である。図２０に示す撮影制御システム２は、撮影カメラ４７、受付端末４８及び撮影制御サーバ５０を備える。受付端末４８は、被写体情報検出部５１及び被写体識別情報入力部５２を備え、撮影制御サーバ５０は、撮影データ一時記憶部５４、一次撮影制御部５５、二次撮影制御部５６、及び撮影データ記憶部５７を備える。
【０３３０】
なお、撮影制御システム２では、撮影エリア入口４２に設置された受付端末４８と、撮影エリア出口４３に設置された受付端末４８との２台の受付端末を使用するが、図２０では、図示を簡略化するため、１台の受付端末４８として図示している。また、撮影カメラ４７、受付端末４８、及び撮影制御サーバ５０は、所定の通信部を介してネットワーク接続されており、通信によって相互に必要な情報のやり取りが可能となっているが、図示を簡略化するため、各通信部の図示を省略している。
【０３３１】
被写体４５は、身に付けた被写体識別バーコードタグ４６を撮影エリア入口４２に設置された受付端末４８にかざす。撮影エリア入口４２に設置された受付端末４８の被写体識別情報入力部５２は、被写体４５が身に付けた被写体識別バーコードタグ４６から被写体ＩＤを検出（または取得）し、被写体識別情報として出力する。
【０３３２】
出力された被写体識別情報は、撮影エリア入口４２に設置された受付端末４８から、撮影制御サーバ５０に出力される。撮影制御サーバ５０は、受け取った被写体識別情報を、二次撮影制御部５６に出力する。二次撮影制御部５６は、受け取った被写体識別情報が示す被写体ＩＤをメモリ（図示せず）などに保持する。このようにすることで、二次撮影制御部５６は、被写体識別情報入力部５２から出力された被写体識別情報を受け取る（取得する）ことができる。
【０３３３】
撮影エリア入口４２に設置された受付端末４８が被写体ＩＤを取得した後、被写体４５は、撮影エリア入口４２から記念撮影スポット４４に向かって移動する。
【０３３４】
撮影エリア入口４２に設置された受付端末４８の被写体情報検出部５１は、撮影エリア入口４２から記念撮影スポット４４へ向かう被写体４５を動体として検出すると、動体が検出されたことを示す動体検出情報を被写体情報として出力する。この動体検出情報（被写体情報）は、また、被写体４５が撮影スポットである記念撮影スポット４４の周辺にいることを示す。
【０３３５】
このようにすることで、被写体情報検出部５１は被写体情報を外部から取得する。取得した被写体情報は、撮影エリア入口４２に設置された受付端末４８から撮影制御サーバ５０へ出力される。なお、被写体情報検出部５１は、被写体４５を動体として検出する際に、動体が被写体であるのかどうかの判定は、必ずしも行う必要はない。
【０３３６】
被写体４５は、撮影エリア入口４２に設置された受付端末４８に被写体識別バーコードタグ４６をかざした後、撮影エリア入口４２から記念撮影スポット４４に向かって移動するからである。
【０３３７】
出力された被写体情報は、撮影エリア入口４２に設置された受付端末４８から撮影制御サーバ５０に出力される。撮影制御サーバ５０が受け取った被写体情報は、一次撮影制御部５５に出力される。一次撮影制御部５５は、被写体情報を受け取ると、被写体が撮影エリア入口４２から記念撮影スポット４４に向かって移動をしていると判定し、撮影カメラ４７に撮影の開始を指示する。この指示は撮影制御サーバ５０から撮影カメラ４７に出力される。撮影カメラ４７は、撮影の開始の指示を受け取る（または取得する）と動画による撮影を開始する。
【０３３８】
一次撮影制御部５５は、被写体情報検出部５１から被写体が記念撮影スポット４４周辺にいることを示す被写体情報を受け取ると、撮影カメラ４７に動画の撮影の開始を指示する。
【０３３９】
また、撮影エリア出口４３に設置された受付端末４８の被写体情報検出部５１は、記念撮影スポット４４から撮影エリア出口４３に向かって移動する被写体を動体として検出した後、動体が検出されなくなった時点からの経過時間を計測する。この時点から動体が検出されない状態が一定時間継続すると、被写体情報検出部５１は、動体が検出されなくなったことを示す動体検出情報を被写体情報として出力する。
【０３４０】
出力された被写体情報は、撮影エリア出口４３に設置された受付端末４８から撮影制御サーバ５０に送信される。撮影制御サーバ５０が受信した被写体情報は、一次撮影制御部５５に出力される。一次撮影制御部５５は、被写体情報を受け取ると、撮影の終了を指示する。
【０３４１】
この指示は、撮影制御サーバ５０から撮影カメラ４７に出力される。撮影カメラ４７は、撮影の終了の指示を受け取ると動画の撮影を終了する。
【０３４２】
撮影カメラ４７は、撮影制御サーバ５０より、具体的には一次撮影制御部５５と接続されており、一次撮影制御部５５からの制御によって、撮影の開始及び停止を含む撮影の制御が行われる。例えば、撮影カメラ４７は、撮影映像のピントを自動的に調整する機能なども備える。
【０３４３】
本実施の形態では、撮影カメラ４７は、一次撮影制御部５５からの撮影の開始の指示を受け取ると動画での撮影を行う。撮影カメラ４７は、例えば、毎秒３０フレームの動画を撮影する。撮影された撮影データは、撮影カメラ４７から撮影制御サーバ５０に出力される。撮影制御サーバ５０が受け取った撮影データは、撮影データ一時記憶部５４に一時保存される。また、動画の撮影データと、動画の撮影を開始した開始時刻、動画の撮影を終了した終了時刻を紐付けた情報がテーブルとして撮影データ一時記憶部５４に保存されている。
【０３４４】
撮影データ一時記憶部５４は、撮影カメラ４７で撮影された撮影データを、一時保存するメモリ装置（第１メモリ）であり、例えば、ＦｅＲＡＭなどの不揮発性メモリで実現され、撮影データを保存する機能を備える。
【０３４５】
被写体識別情報入力部５２は、被写体ＩＤを取得する機能を備える。本実施の形態では、被写体識別情報入力部５２は、図１８の受付端末４８のような端末の形態に組み込まれたＩＤ入力機能として提供され、被写体４５が被写体識別バーコードタグ４６を受付端末４８にかざすことで、バーコードを読み取ってバーコードが示す値（被写体ＩＤ）を取得する。取得した被写体ＩＤは、被写体を識別する被写体識別情報として、受付端末４８から撮影制御サーバ５０へ出力される。撮影制御サーバ５０が受け取った被写体識別情報は、二次撮影制御部５６に出力される。
【０３４６】
二次撮影制御部５６は、被写体識別情報入力部５２から受け取った被写体識別情報が示す被写体ＩＤをメモリ（図示せず）に保持する。二次撮影制御部５６は、メモリに保持した被写体ＩＤに従って、撮影データ一時記憶部５４に一時保存された動画の撮影データから撮影データを抽出し、撮影データ記憶部５７に抽出した撮影データを保存する。
【０３４７】
本実施の形態では、二次撮影制御部５６は、撮影データ一時記憶部５４に保存されている撮影データに含まれる各画像フレームをそれぞれ静止画として取り出し、この静止画から被写体ＩＤを読み取れるかどうかを判定する。
【０３４８】
静止画から被写体ＩＤが読み取れた場合、この被写体ＩＤと、被写体識別情報が示す被写体ＩＤとを照合する。これらが一致する場合、静止画に対応する画像フレームに被写体識別情報に含まれる被写体ＩＤの被写体が写っていると判定する。また、二次撮影制御部５６が、被写体ＩＤの被写体が写っていると判定した画像フレームを撮影データとして、撮影データ記憶部５７に保存する。
【０３４９】
なお、本実施の形態では、撮影データは動画像であるため、被写体ＩＤが読み取れた画像フレームの直後の画像フレームから連続して被写体ＩＤが読み取れなかった場合でも、その後の画像フレームで同じ被写体ＩＤが読み取れる場合がある。この場合、二次撮影制御部５６は、被写体ＩＤが読み取れなかった画像フレームにも同じ被写体ＩＤが写っているものと判定する。この場合、連続して被写体ＩＤが読み取れない画像フレームの最大許容数を予め決めておけばよい。
【０３５０】
例えば、予め決めた画像フレームの数を１０とすると、被写体ＩＤが読み取れた画像フレーム（第１画像フレーム）の直後の画像フレームで被写体ＩＤが読み取れない場合、この画像フレームから数えて１０枚目の画像フレームまでに被写体ＩＤが読み取れる画像フレーム（第２画像フレーム）があれば、二次撮影制御部５６は、第１画像フレームと第２画像フレームの間にある被写体ＩＤが読み取れない画像フレームにも同じ被写体ＩＤが写っているものと判定すればよい。予め決めた画像フレームの数は、任意の値であればよい。
【０３５１】
このようにすれば、被写体４５が記念撮影スポット４４内で動くことで、被写体ＩＤが一時的に読み取れない場合でも、継続して動画を抽出することができる。
【０３５２】
撮影データ記憶部５７は、二次撮影制御部５６で抽出された撮影データを保存するメモリ装置（第２メモリ）であり、例えば、ハードディスクなどの不揮発性メモリで実現され、撮影データを保持する機能を備える。なお、撮影データ記憶部５７の構成は、上記の例に特に限定されず、インターネットで接続されたクラウドサーバ上に構築してもよい。この場合、被写体ＩＤを知るユーザ（撮影者）のみがクラウドサーバを介して撮影データを取得することが可能である。
【０３５３】
上記の被写体情報検出部５１、一次撮影制御部５５、被写体識別情報入力部５２、及び二次撮影制御部５６は、例えば、プロセッサがメモリに格納されたプログラムを実行することにより機能し、上述の各機能部を制御する。
【０３５４】
＜２−３．動作＞
次に、図２０に示す撮影制御システム２の動作について説明する。撮影制御システム２の動作は、一次撮影処理及び二次撮影処理の組み合わせで実行される。
【０３５５】
＜２−３−１．一次撮影処理＞
はじめに、撮影制御システム２の一次撮影処理の動作について説明する。
【０３５６】
図２１は、図２０に示す撮影制御システム２の一次撮影処理の時間の流れの一例を示すタイムチャートである。本タイムチャートは、撮影エリア入口４２の受付端末４８が備える被写体識別情報入力部５２で検出された被写体ＩＤが、撮影エリア出口４３の受付端末４８が備える被写体識別情報入力部５２で検出されるまでの時間、一次撮影制御部５５が撮影カメラ４７に撮影開始を指示する時間、撮影終了を指示する時間、並びに、撮影カメラ４７が撮影した撮影データに、検出された被写体ＩＤと同じＩＤの被写体識別バーコードタグ４６が写り始めた時間及び写り終わった時間を示している。
【０３５７】
時刻ｔ１０は、被写体４５が撮影エリア入口４２の受付端末４８に被写体識別バーコードタグ４６をかざし、被写体識別情報入力部５２が被写体ＩＤを検出した時間である。時刻ｔ１９は、被写体４５が撮影エリア出口４３の受付端末４８に被写体識別バーコードタグ４６をかざし、被写体識別情報入力部５２が被写体ＩＤを検出した時間である。
【０３５８】
時刻ｔ１０から時刻ｔ１９までの間に被写体４５が撮影エリア内にいることから、本実施の形態では、撮影された撮影データの中から、この時間帯の撮影データに対してのみ被写体ＩＤの検出を行う。
【０３５９】
時刻ｔ１１及び時刻ｔ１５は、撮影エリア入口４２の受付端末４８の被写体情報検出部５１が記念撮影スポット４４周辺で動体を検出し始めた時刻である。一次撮影制御部５５は、撮影カメラ４７に撮影の開始を指示し、この指示を受け取った撮影カメラ４７は、この時刻から撮影カメラ４７による動画の撮影を開始する。また、時刻ｔ１４及び時刻ｔ１８は、撮影エリア出口４３に設置された受付端末４８の被写体情報検出部５１が記念撮影スポット４４周辺での動体の検出をしなくなった後、動体の検出をしない状態が一定時間継続したときの時間であり、一次撮影制御部５５は、この時刻で撮影カメラ４７による撮影の停止を指示する。したがって、時刻ｔ１１から時刻ｔ１４までの時間バーＲ１１は、撮影データＲ１１が撮影された時間帯を示し、時刻ｔ１５から時刻ｔ１８までの時間バーＲ１２は、撮影データＲ１２が撮影された時間帯を示している。
【０３６０】
時刻ｔ１２及び時刻ｔ１６は、撮影データＲ１１、Ｒ１２のそれぞれの画像フレームから被写体識別バーコードタグ４６が検出された最初の時間である。また、時刻ｔ１３及び時刻ｔ１７は、撮影データＲ１１、Ｒ１２のそれぞれの画像フレームから被写体識別バーコードタグ４６が検出されなくなった時間である。したがって、時刻ｔ１２から時刻ｔ１３までの時間バーＭ１は、撮影データＲ１１から被写体識別バーコードタグ４６が検出された画像フレームの時間帯を示し、時刻ｔ１６から時刻ｔ１７までの時間バーＭ２は、撮影データＲ１２から被写体識別バーコードタグ４６が検出された画像フレームの時間帯を示している。
【０３６１】
図２２は、図２０に示す撮影制御システム２の一次撮影処理の撮影データを管理するテーブルの一例を示す図であり、例えば、図２１の時刻ｔ１９時点の内容を表したものである。図２２に示すテーブルは、一次撮影制御部５５の撮影要求によって撮影された撮影データＲ１１が時刻ｔ１１に撮影開始され、時刻ｔ１４に撮影終了したことを示し、同様に、撮影データＲ１２が時刻ｔ１５に撮影開始され、時刻ｔ１８に撮影終了したことを示している。
【０３６２】
このテーブルに相当するデータは、撮影データとともに撮影データ一時記憶部５４に保存される。
【０３６３】
図２３は、図２０に示す撮影制御システム２の一次撮影処理の手順の一例を示すフローチャートである。
【０３６４】
撮影エリア入口４２の受付端末４８の被写体情報検出部５１は、被写体４５が撮影エリア入口４２から記念撮影スポット４４に向けて移動するのを動体として検出すると、この検出した情報を、被写体情報として出力する。この被写体情報は、上述したように、一次撮影制御部５５へ出力される。一次撮影制御部５５は、撮影エリア入口４２の受付端末４８から被写体情報を受け取ったかどうかを判定することで、動体の有無を判定する（ステップＳ１２０１）。撮影エリア入口４２の受付端末４８から被写体情報を受け取った場合、撮影エリア入口４２から記念撮影スポット４４に向かう動体があると判定し、ステップＳ１２０２へ進む。
【０３６５】
一方、撮影エリア入口４２の受付端末４８から被写体情報を受け取っていない場合、撮影エリア入口４２から記念撮影スポット４４に向かう動体はないと判定し、ステップＳ１２０１に戻る。
【０３６６】
ステップＳ１２０２において、一次撮影制御部５５は、撮影カメラ４７に撮影の開始を指示する。撮影開始の指示を受けた撮影カメラ４７は、動画の撮影を開始する。
【０３６７】
撮影エリア出口４３の受付端末４８の被写体情報検出部５１が、被写体４５が記念撮影スポット４４から撮影エリア出口４３に向けて移動するのを動体として検出すると、この検出した情報（動体検出情報）を出力する。
【０３６８】
撮影エリア出口４３の受付端末４８は、この動体検出情報を撮影制御サーバ５０へ出力する。撮影制御サーバ５０は、撮影エリア出口４３の受付端末４８から受け取った動体検出情報を一次撮影制御部５５へ出力する。撮影エリア出口４３の受付端末４８は、一定の時間間隔で動体検出を行ってもよい。この場合、例えば、記念撮影スポット４４から撮影エリア出口４３の間に動体がいる間は、一次撮影制御部５５は一定の時間間隔で撮影エリア出口４３の受付端末４８からの動体検出情報を受け取ることになる。
【０３６９】
撮影エリア出口４３の受付端末４８の被写体情報検出部５１が、一度動体を検出してから、動体を検出しなくなると、この被写体情報検出部５１は、動体を検出しなくなった時点から動体を検出しない状態が継続する時間（継続時間）を計測する。この計測は、例えば、タイマー（図示せず）を用いて計測すればよい。
【０３７０】
なお、一定の継続時間に達するまでに動体が再度検出された場合、被写体情報検出部５１は、継続時間をリセットし、再度検出された動体が再び検出されなくなったとき、継続時間を測定する。
【０３７１】
動体が検出されない状態が一定時間継続したとき、撮影エリア出口４３の受付端末４８の被写体情報検出部５１は、動体が一定時間検出されなくなったことを示す情報を被写体情報として出力する。この被写体情報は、また、被写体４５が撮影エリアから出場したことを示す。
【０３７２】
この被写体情報は、撮影エリア出口４３の受付端末４８から、撮影制御サーバ５０へ出力される。撮影制御サーバ５０は、撮影エリア出口４３の受付端末４８から受け取った被写体情報を一次撮影制御部５５へ出力する。
【０３７３】
ステップＳ１２０３では、一次撮影制御部５５は、撮影エリア出口４３の受付端末４８から被写体情報を受け取ったかどうかを判定することで、動体が一定時間検出されなくなったかどうかを判定する。
【０３７４】
撮影エリア出口４３の受付端末４８から被写体情報を受け取った場合、一次撮影制御部５５は、動体が一定時間検出されなくなったと判定し（ステップＳ１２０３でＹｅｓ）、ステップＳ１２０４へ進み、そうでない場合（ステップＳ１２０３でＮｏ）、ステップＳ１２０３に戻る。
【０３７５】
ステップＳ１２０４では、一次撮影制御部５５は、撮影カメラ４７に撮影の終了を指示する。撮影終了の指示を受けた撮影カメラ４７は、撮影を終了する。
【０３７６】
撮影を開始してから終了するまでの間に撮影カメラ４７により撮影された動画の撮影データは、撮影データ一時記憶部５４に一時保存される。
【０３７７】
また、一次撮影制御部５５は、このとき、動画の撮影を開始した時刻（開始時刻）および撮影を終了した時刻（終了時刻）を動画の撮影データと紐付ける情報をテーブルとして撮影データ一時記憶部５４に保存する。
【０３７８】
次に、撮影制御システム２の一次撮影処理の具体的な一例について説明する。
【０３７９】
図２１の時刻ｔ１０までの時間帯、すなわち、図２３のステップＳ１２０１を繰り返している状態は、撮影エリアに被写体が誰もいないことを示している。
【０３８０】
時刻ｔ１０は、被写体４５が撮影エリア入口４２の受付端末４８に被写体識別バーコードタグ４６をかざした時刻である。一次撮影処理ではこれをトリガーにして何かを行うことはない。
【０３８１】
時刻ｔ１１は、撮影エリア入口４２から記念撮影スポット４４に向かって移動する被写体４５を、撮影エリア入口４２の受付端末４８の被写体情報検出部５１が動体として検出し始めた時刻である。撮影エリア入口４２に設置された受付端末４８の被写体情報検出部５１は、動体を検出したことを示す情報を被写体情報として出力する。この被写体情報は、上述したように、一次撮影制御部５５に出力される。一次撮影制御部５５は、被写体情報を受け取ると、ステップＳ１２０１において、動体検出ありと判定し、ステップＳ１２０２に進む。
【０３８２】
一次撮影制御部５５は、ステップＳ１２０２において、撮影カメラ４７に動画の撮影の開始を指示する。この撮影開始の指示は、上述したように、撮影カメラ４７に出力される。撮影開始の指示を受けた撮影カメラ４７は、例えば、毎秒３０フレームの動画を撮影する。
【０３８３】
撮影カメラ４７は、例えば、１／３０秒毎に撮影される画像フレームを撮影制御サーバ５０に逐次送信する。撮影制御サーバ５０は、撮影カメラ４７から逐次受信される画像フレームを撮影データ一時記憶部５４の撮影データＲ１１に逐次保存していく。また、撮影カメラ４７による、撮影の開始時刻の情報が、撮影データ一時記憶部５４のテーブルに追加される。
【０３８４】
撮影エリア出口４３の受付端末４８の被写体情報検出部５１は、記念撮影スポット４４から撮影エリア出口４３に向かう被写体４５を動体として検出すると、この検出した情報（動体検出情報）を出力する。この動体検出情報は、上述したように、一次撮影制御部５５へ出力される。記念撮影スポット４４から撮影エリア出口４３に向かう動体の検出は一定の時間間隔で行われる。撮影エリア出口４３の受付端末４８で動体が検出される毎に、動体検出情報が一次撮影制御部５５へ出力されることになる。
【０３８５】
一方、撮影エリア出口４３の受付端末４８の被写体情報検出部５１は、動体が検出されなくなると、この検出されなくなった時点から動体が検出されない状態が継続する時間を計測する。動体が検出されない状態が一定時間継続すると、一定時間動体が検出されなくなったことを示す情報を被写体情報として出力する。
【０３８６】
この被写体情報は、上述したように、一次撮影制御部５５に出力される。
【０３８７】
よって、一次撮影制御部５５は、撮影エリア出口４３の受付端末４８から被写体情報を受け取ったかどうかを判定することにより、一定時間動体が検出されなくなったかどうかを判定する。
【０３８８】
撮影エリア出口４３の受付端末４８から被写体情報を受け取った場合、一次撮影制御部５５は、一定時間動体が検出されなくなったと判定（ステップＳ１２０３でＹｅｓ）し、ステップＳ１２０４へ進む。そうでない場合（ステップＳ１２０３でＮｏ）、ステップＳ１２０３に戻る。
【０３８９】
例えば、ステップＳ１２０３において、一次撮影制御部５５が撮影エリア出口４３の受付端末４８から被写体情報を受け取り、動体が一定時間検出されなかったと一次撮影制御部５５が判定した時刻がｔ１４である。
【０３９０】
このとき、一次撮影制御部５５は、ステップＳ１２０４において、撮影カメラ４７に撮影の終了を指示する。撮影の終了の指示は、撮影制御サーバ５０から撮影カメラ４７へ出力される。撮影の終了の指示を受け取った撮影カメラ４７は、動画の撮影を終了する。
【０３９１】
なお、時刻ｔ１９は、被写体４５が撮影エリア出口４３の受付端末４８に被写体識別バーコードタグ４６をかざした時間であるが、一次撮影処理ではこれをトリガーにして何かを行うことはない。
【０３９２】
以上が、撮影制御システム２の行う一次撮影処理である。
【０３９３】
＜２−３−２．二次撮影処理＞
次に、撮影制御システム２の二次撮影処理の動作について説明する。
【０３９４】
図２４は、図２０に示す撮影制御システム２の二次撮影処理の被写体ＩＤと撮影データとを紐付けるテーブルの一例を示す図である。図２４のテーブルでは、被写体ＩＤがＩＤ５（被写体ＩＤ５）の被写体を撮影した撮影データＭ１は、撮影時刻が時刻ｔ１２から時刻ｔ１３までの撮影データであることを示し、被写体ＩＤがＩＤ５の被写体を撮影した撮影データＭ２は、撮影時刻が時刻ｔ１６から時刻ｔ１７までの間に撮影されたことを示している。このテーブルに相当するデータは、撮影データとともに撮影データ記憶部５７に保存される。
【０３９５】
このようにすることで、撮影データＲ１１から抽出した撮影データＭ１は、被写体ＩＤ５と紐付けて撮影データ記憶部５７に保存される。同様に撮影データＲ１２から抽出した撮影データＭ２は、被写体ＩＤ５と紐付けて撮影データ記憶部５７に保存される。
【０３９６】
図２５は、図２０に示す撮影制御システム２の二次撮影処理の手順の一例を示すフローチャートである。
【０３９７】
まず、撮影エリア入口４２から被写体４５である人物が入場したかどうかを判定する（ステップＳ１３０１）。
【０３９８】
被写体４５が撮影エリア入口４２に設置された受付端末４８に、被写体識別バーコードタグ４６をかざすと、撮影エリア入口４２に設置された受付端末４８の被写体識別情報入力部５２は、被写体ＩＤを検出し、検出した被写体ＩＤおよび被写体ＩＤを検出した時刻（入場時刻）を含む被写体識別情報を出力する。この被写体識別情報は、上述したように、二次撮影制御部５６に出力される。
【０３９９】
よって、ステップＳ１３０１において、二次撮影制御部５６は、撮影エリア入口４２の受付端末４８から被写体識別情報を受け取ったかどうかを判定することで、入場者があるかどうかを判定する。
【０４００】
撮影エリア入口４２の受付端末４８から被写体識別情報を受け取った場合、二次撮影制御部５６は、入場者があると判定し（ステップＳ１３０１でＹｅｓ）、ステップＳ１３０２へ進む。
【０４０１】
一方、撮影エリア入口４２の受付端末４８から被写体識別情報を受け取っていない場合、二次撮影制御部５６は、入場者はないと判定し（ステップＳ１３０１でＮｏ）、ステップＳ１３０１へ戻る。
【０４０２】
また、被写体４５が撮影エリア出口４３に設置された受付端末４８に、被写体識別バーコードタグ４６をかざすと、撮影エリア出口４３に設置された受付端末４８の被写体識別情報入力部５２は、被写体ＩＤを検出し、検出した被写体ＩＤを被写体識別情報として出力する。この被写体識別情報は、上述したように、二次撮影制御部５６に出力される。
【０４０３】
よって、ステップＳ１３０２において、二次撮影制御部５６は、撮影エリア出口４３の受付端末４８から被写体識別情報を受け取ったかどうかを判定することで、出場者があるかどうかを判定する。
【０４０４】
撮影エリア出口４３の受付端末４８から被写体識別情報を受け取った場合、二次撮影制御部５６は、出場者があると判定し（ステップＳ１３０２でＹｅｓ）、ステップＳ１３０３へ進む。
【０４０５】
一方、撮影エリア出口４３の受付端末４８から被写体識別情報を受け取っていない場合、二次撮影制御部５６は、出場者はないと判定し（ステップＳ１３０２でＮｏ）、ステップＳ１３０２へ戻る。
【０４０６】
ここでは、ステップＳ１３０１およびステップＳ１３０２のそれぞれで受け取った被写体識別情報が示す被写体ＩＤが被写体ＩＤ５であるとする。そしてこの被写体ＩＤ５の被写体４５が撮影エリアの中にいた時間帯が時刻ｔ１から時刻ｔ１９までの間であるとする。
【０４０７】
ステップＳ１３０３において、二次撮影制御部５６は、被写体４５が撮影エリアに入場した時間内の撮影データ（動画）の中に被写体４５が写っている撮影データがあるかどうかを判定する。被写体４５が写っている撮影データがあると判定した場合（ステップＳ１３０３でＹｅｓ）、ステップＳ１３０４へ進み、そうでない場合（ステップＳ１３０３でＮｏ）、二次撮影処理を終了する。
【０４０８】
二次撮影制御部５６は、被写体４５が撮影エリアから出場した後に、被写体４５が撮影エリアにいた時間帯に一次撮影処理によって撮影された撮影データの中から、被写体４５が写っている撮影データを抽出できれば、抽出した撮影データに被写体４５が写っていると判定する。つまり、被写体４５が撮影エリアに入場した時間内の撮影データ（動画）の中に被写体４５が写っている撮影データがあると判定する。
【０４０９】
ステップＳ１３０３において、二次撮影制御部５６は、まず、撮影データ一時記憶部５４のテーブルを参照し、被写体４５が撮影された撮影データの抽出のために用いる一時保存された撮影データを特定する。この場合、撮影データは、撮影データＲ１１及び撮影データＲ１２である。次に、二次撮影制御部５６は、一次撮影処理で保存された撮影データＲ１１及び撮影データＲ１２から被写体ＩＤの検出を試みる。
【０４１０】
ここでは、説明を簡単にするために、動画の撮影データＲ１１から被写体ＩＤを検出する処理について説明をする。また被写体識別情報が示す被写体ＩＤは、被写体ＩＤ５である。なお、動画の撮影データＲ１２から被写体ＩＤを検出する処理は、動画の撮影データＲ１１から被写体ＩＤを検出する処理と同じであるため、ここでは説明を省略する。
【０４１１】
ここで、撮影データＲ１１からの被写体ＩＤの検出は、上述したように動画の撮影データＲ１１に含まれる各画像フレームをそれぞれ静止画として取り出し、この静止画から被写体ＩＤを読み取れるかどうかを判定する。
【０４１２】
静止画から被写体ＩＤが読み取れた場合、この被写体ＩＤと、被写体識別情報が示す被写体ＩＤとを照合する。これらが一致する場合、静止画に対応する画像フレームに被写体ＩＤの被写体が写っていると判定する。
【０４１３】
ステップＳ１３０４において、二次撮影制御部５６は、撮影データＲ１１の中から被写体ＩＤ５の被写体が写っていると判定した画像フレームを抽出し、抽出した撮影データを撮影データＭ１として、撮影データ記憶部５７に保存する。ここでは、抽出した撮影データは、複数あるものとして説明する。
【０４１４】
なお、被写体ＩＤが読み取れた画像フレームの直後の画像フレームから連続して被写体ＩＤが読み取れなかった場合でも、その後の画像フレームでまた同じ被写体ＩＤが読み取れる場合がある。この場合、二次撮影制御部５６は、被写体ＩＤが読み取れなかった画像フレームにも同じ被写体ＩＤが写っているものと判定する。これにより、被写体が一時的に横を向いて被写体識別バーコードタグ４６が写らなくなった場合でも、被写体が写っている画像フレームとして判定することができる。
【０４１５】
被写体が写っていると判定した画像フレームは、被写体ＩＤ５の撮影データＭ１として、撮影データ記憶部５７に保存され（ステップＳ１３０４）、二次撮影処理を終了する。
【０４１６】
また、被写体ＩＤ５、被写体ＩＤ５の被写体が写っていると判定した画像フレームの中で、撮影時刻が最も古い時刻（開始時刻ｔ１２）、撮影時刻が最も新しい時刻（終了時刻ｔ１３）を撮影データＭ１と紐付ける情報をテーブルとして、撮影データ記憶部５７のテーブルに保存する。
【０４１７】
また、撮影データＲ１２についてステップＳ１３０３、ステップＳ１３０４が行われた結果、被写体ＩＤ５、被写体ＩＤ５の被写体が写っていると判定した画像フレームの中で、撮影時刻が最も古い時刻（開始時刻ｔ１６）、撮影時刻が最も新しい時刻（終了時刻ｔ１７）を撮影データＭ２と紐付ける情報をテーブルとして、撮影データ記憶部５７のテーブルに保存する。
【０４１８】
次に、撮影制御システム２の二次撮影処理の具体的な一例について説明する。
【０４１９】
本実施の形態における二次撮影処理の撮影処理では、始めに、被写体４５が、図２１の時刻ｔ１０に撮影エリア入口４２に設置された受付端末４８に被写体識別バーコードタグ４６をかざすと、この受付端末４８の被写体識別情報入力部５２が、被写体識別バーコードタグ４６に印刷されたＱＲコードを読み取ってＱＲコードが示す値（被写体ＩＤ５）を検出（または取得）する。被写体識別情報入力部５２は、被写体ＩＤ５を検出した時刻（入場時刻）および被写体ＩＤ５を含む被写体識別情報を出力する。この被写体識別情報は、上述したように、二次撮影制御部５６へ出力される。二次撮影制御部５６が撮影エリア入口４２の受付端末４８からの被写体識別情報を受け取ることで、ステップＳ１３０１ではＹｅｓと判定される。なお、ＱＲコードを読み取ってＱＲコードが示す値を検出する方法については、多くの文献やアルゴリズムが開示されているため、ここでの詳細な説明は割愛する。
【０４２０】
次に、被写体４５が、時刻ｔ１９に撮影エリア出口４３に設置された受付端末４８に被写体識別バーコードタグ４６をかざすと、この受付端末４８の被写体識別情報入力部５２が、被写体識別バーコードタグ４６に印刷されたＱＲコードを読み取ってＱＲコードが示す値（被写体ＩＤ５）を取得する。被写体識別情報入力部５２は、取得した被写体ＩＤ５および被写体ＩＤ５を検出した時刻（出場時刻）を含む被写体識別情報を出力する。この被写体識別情報は、上述したように、二次撮影制御部５６へ出力される。
【０４２１】
二次撮影制御部５６が撮影エリア出口４３の受付端末４８から被写体識別情報を受け取ることで、ステップＳ１３０２では、Ｙｅｓと判定される。
【０４２２】
ステップＳ１３０１からステップＳ１３０２の間、つまり被写体ＩＤ５の被写体４５が撮影エリアにいた時間の間、一次撮影処理によって、時刻ｔ１１から時刻ｔ１４の間の被写体４５の撮影データＲ１１と、時刻ｔ１５から時刻ｔ１８の間の被写体４５の撮影データＲ１２とが、それぞれ撮影データ一時記憶部５４に保存されているものとする。
【０４２３】
本実施の形態において、二次撮影制御部５６は、撮影データ一時記憶部５４に保存されている動画の撮影データＲ１１、動画の撮影データＲ１２の中から、被写体ＩＤ５の被写体が写っている撮影データを抽出する(ステップＳ１３０３）。
【０４２４】
図２１に示すように、開始時刻ｔ１０から終了時刻ｔ１９までの間に一次撮影処理で撮影された撮影データは、時刻ｔ１１から時刻ｔ１４に撮影された撮影データＲ１１と、時刻ｔ１５から時刻ｔ１８に撮影された撮影データＲ１２との２つである。二次撮影制御部５６は、この２つの撮影データを対象として、被写体４５が写っている撮影データを抽出する。
【０４２５】
ステップＳ１３０３では、はじめに、二次撮影制御部５６は、撮影データＲ１１を撮影データ一時記憶部５４から読み出し抽出作業を開始する。被写体４５が、撮影データに写っているかどうかは、撮影データの動画の各フレームを静止画として取り出した画像データから、被写体４５が図１９のように携行している被写体識別バーコードタグ４６のＱＲコードを検出し、ＱＲコードが示す被写体ＩＤが、被写体識別情報入力部５２が取得した被写体ＩＤ、すなわち被写体ＩＤ５であるかどうかで判定する。
【０４２６】
本実施の形態では、被写体ＩＤ５の撮影データとして抽出する動画は、最初に被写体４５の被写体ＩＤである被写体ＩＤ５が検出されたフレームから、すなわち、図２１の時刻ｔ１２のフレームから開始される動画となる。
【０４２７】
次に、二次撮影制御部５６は、撮影データの動画の各フレームを静止画として順次取り出した画像から被写体識別バーコードタグ４６のＱＲコードを検出されなくなる、あるいは、検出されたＱＲコードが示す被写体ＩＤが被写体ＩＤ５でなくなる時刻を調べ、調べた時刻ｔ１３を、被写体ＩＤ５に対する撮影データの終了時刻とする。
【０４２８】
このように、二次撮影制御部５６は、一次撮影処理で撮影された撮影データＲ１１から、被写体４５が写っている時間帯の撮影データを抽出し、それを撮影データＭ１として、撮影データ記憶部５７に保存する。
【０４２９】
また、二次撮影制御部５６は、図２４に示したように、被写体ＩＤ５の撮影データＭ１を、時刻ｔ１２から時刻ｔ１３の間の動画として保存したことを、撮影した撮影データの情報として、撮影データ記憶部５７のテーブルに保存する。
【０４３０】
同様に、撮影データＲ１２を撮影データ一時記憶部５４から読み出す抽出作業が行われ、撮影データＭ２として、時刻ｔ１６から時刻ｔ１７の間の被写体ＩＤ５の動画が撮影データ記憶部５７に保存される。
【０４３１】
このように、被写体４５は、モニュメント４１の前の記念撮影スポット４４で、撮影カメラ４７を利用した動画撮影を行うことができる。また、被写体４５は被写体ＩＤ５を用いて、撮影データ記憶部５７に保存された被写体ＩＤ５の動画の撮影データにアクセスする。また、被写体４５が携行している被写体識別バーコードタグ４６の被写体ＩＤ５に対して撮影された撮影データは、インターネット上にある被写体ＩＤ５専用のクラウド領域に保存されてもよく、被写体４５は、このクラウド領域にアクセスすることで、撮影データを取得することができる。
【０４３２】
以上が、撮影制御システム２の行う二次撮影処理である。
【０４３３】
本実施の形態では、図２０に示すように、撮影カメラ４７、受付端末４８、および撮影制御サーバ５０がそれぞれ、物理的に別体である例を説明した。しかしながら、これに限定をされない。
【０４３４】
例えば、撮影制御サーバ５０の要件は、撮影カメラ４７に組み込まれてもよい。この場合、撮影制御サーバ５０の要件を、撮影カメラ４７に組み込んだ装置を、撮影カメラといってもよいし、撮影制御サーバといってもよい。
【０４３５】
また、例えば、撮影制御サーバ５０の要件は、受付端末４８に組み込まれてもよい。この場合、撮影制御サーバ５０の要件を、受付端末４８に組み込んだ装置を、受付端末といってもよいし、撮影制御サーバといってもよい。
【０４３６】
＜２−４．効果＞
本実施の形態によれば、一次撮影処理によって、記念撮影スポット４４周辺の動画を、動体が検出されている時間帯に撮影し、二次撮影処理によって、被写体４５の被写体ＩＤを撮影された動画の中から検出し、被写体４５が写っている時間帯の動画のみを抽出して、撮影データ記憶部５７に保存することができる。これにより、被写体ＩＤを持つ被写体本人のみが、被写体が撮影スポットにいる時間帯の自分の撮影データを取得することができる。
【０４３７】
（３．実施の形態３）
次に、本開示の第３の実施の形態に係る撮影制御システムについて図面を参照しながら説明する。
【０４３８】
本撮影制御システムは、テーマパーク、アミューズメント施設や観光地などにおける撮影スポットに設置された撮影カメラに対し被写体自身が撮影操作を行って撮影データを取得するサービスを提供するためのシステムである。本実施の形態では、アミューズメント施設の撮影スポットとして、モニュメントの前に用意された記念撮影スポットを想定し、静止画で記念撮影をする場合を例に挙げて説明する。なお、本実施の形態では、記念撮影スポットには被写体は同時に１組しか入らない想定とする。
【０４３９】
＜３−１．概要＞
図２６は、本開示の第３の実施形態に係る撮影制御システムの利用風景の一例を示す図である。図２６において、アミューズメント施設には、モニュメント６１、記念撮影スポット６２、撮影カメラ６３、及び撮影用端末６４が設置されている。
【０４４０】
記念撮影スポット６２は、撮影カメラ６３で撮影する際に、被写体がこの位置に立てば魅力的な写真が撮れるようなアングルになるように位置決めされ、地面に円が描かれた目印である。撮影カメラ６３は、ポール６３ａに取り付けられて記念撮影スポット６２に向けられ、記念撮影スポット６２にいる被写体とモニュメント６１を写せるように設置されている。撮影用端末６４は、後述するＩＣチップを検出する機能、及び、撮影者が撮影のトリガーとして押下する撮影ボタンを備えている。
【０４４１】
図２７は、図２６に示す撮影制御システムの利用風景における撮影シーンの一例を示す図である。図２７において、被写体６５は、記念撮影スポット６２に立っている。
【０４４２】
図２８は、図２７に示す被写体６５が装着する被写体識別リストバンドの一例の外観を示す図である。図２８に示す被写体識別リストバンド６６は、被写体を識別するために使用される。被写体識別リストバンド６６には、被写体を識別するための被写体の識別情報（被写体固有の識別情報）が登録されたＩＣチップが埋め込まれており、撮影用端末６４で被写体の識別情報の読み取りが可能なものとする。なお、ＩＣチップに登録された被写体の識別情報を読み取る仕組みについては、多くの文献やアルゴリズムが開示されているため、ここでの詳細な説明は割愛する。
【０４４３】
撮影カメラ６３及び撮影用端末６４は、ネットワーク接続されていて、通信によって相互に必要な情報のやり取りが可能となっている。また、撮影カメラ６３で撮影された撮影データは、インターネットを介して被写体に提供できるようにするため、このネットワークはインターネットに対応するネットワークを含むものとする。撮影カメラ６３、撮影用端末６４は、それぞれ、撮影制御サーバ７０とネットワークを介して接続する。撮影制御サーバ７０の詳細は、後述する。
【０４４４】
本実施の形態では、被写体６５は、記念撮影スポット６２で、撮影用端末６４を操作して、撮影カメラ６３で被写体自身とモニュメント６１とを撮影する。被写体６５は、自身（被写体）の識別情報（以下「被写体ＩＤ」という）となる被写体識別リストバンド６６を、撮影用端末６４にかざすことで、撮影用端末６４が被写体ＩＤを読み取り、被写体６５による撮影操作を許可する。
【０４４５】
本実施の形態では、被写体６５が、同時に撮影者でもある。被写体６５は、撮影用端末６４に備えられた撮影ボタンを押下すると、撮影用端末６４は、撮影指示を撮影制御サーバ７０に出力する。撮影制御サーバ７０は、撮影指示を受け取る（または取得する）と、撮影カメラ６３に撮影の開始を指示する。撮影カメラ６３は、撮影の開始の指示を受け取る（または取得する）と、撮影カメラ６３による写真撮影を行う。
【０４４６】
撮影カメラ６３によって撮影された撮影データは、撮影制御サーバ７０に出力される。
撮影制御サーバ７０は、受け取った（または取得した）撮影データを被写体ＩＤと紐付けてメモリ（図示せず）に保存する。撮影データは被写体ＩＤに紐付けられてインターネットクラウド上の撮影データ記憶部に保存されてもよい。
【０４４７】
この場合、被写体６５は、撮影後に、インターネットクラウド上の撮影データ記憶部に自分の被写体ＩＤを用いてアクセスすることで、撮影された撮影データすなわち写真の画像データを取得することができる。
【０４４８】
＜３−２．構成＞
次に、本実施の形態の撮影制御システムの構成について説明する。
【０４４９】
図２９は、本開示の第３の実施形態に係る撮影制御システムの構成の一例を示すブロック図である。図２９に示す撮影制御システム３は、撮影カメラ６３、撮影用端末６４及び撮影制御サーバ７０を備える。撮影制御サーバ７０は、被写体情報検出部７１、一次撮影制御部７２、二次撮影制御部７３、撮影データ一時記憶部７４、及び撮影データ記憶部７５を備える。撮影用端末６４は、被写体識別情報入力部７６を備える。
【０４５０】
なお、撮影カメラ６３、撮影用端末６４及び撮影制御サーバ７０は、所定の通信部を介してネットワーク接続されており、通信によって相互に必要な情報のやり取りが可能となっているが、図２９では、図示を簡略化するため、各通信部の図示を省略している。また、撮影用端末６４の被写体識別情報入力部７６には撮影ボタンが組み込まれているが、図示を簡略化するため、撮影ボタンの図示を省略している。
【０４５１】
被写体が、被写体識別リストバンド６６を、撮影用端末６４にかざすと、被写体識別情報入力部７６は、被写体識別リストバンド６６に埋め込まれたＩＣチップに登録された被写体ＩＤを読み取る。このようにすることで、被写体識別情報入力部７６は、外部から被写体ＩＤを取得する。取得した被写体ＩＤは、被写体識別情報として撮影用端末６４から撮影制御サーバ７０へ出力される。撮影制御サーバ７０は、受け取った（または取得した）被写体識別情報を二次撮影制御部７３へ出力する。
【０４５２】
このようにすることで、二次撮影制御部７３は、撮影用端末６４から被写体識別情報を受け取る（または取得する）ことができる。
【０４５３】
二次撮影制御部７３は、受け取った被写体識別情報が示す被写体ＩＤをメモリ（図示せず）に保持する。
【０４５４】
また、記念撮影スポット６２にいる被写体６５は、撮影を行う場合、被写体識別情報入力部７６に組み込まれた撮影ボタンを押下する。
【０４５５】
撮影ボタンが押下されると、被写体識別情報入力部７６は、撮影ボタンが押下されたことを示す情報（撮影トリガー）を出力する。撮影トリガーは、撮影用端末６４から撮影制御サーバ７０へ出力される。撮影制御サーバ７０が受け取った撮影トリガーは、二次撮影制御部７３に出力される。このようにすることで、二次撮影制御部７３は、撮影用端末６４から撮影トリガーを受け取る（または取得する）ことができる。
【０４５６】
二次撮影制御部７３は、撮影トリガーを受け取ると、メモリに保持していた被写体ＩＤを被写体情報検出部７１に出力する。
【０４５７】
このようにすることで、撮影用端末６４が備える撮影ボタンの押下がなされると、被写体情報検出部７１は、二次撮影制御部７３から被写体ＩＤを受け取る（又は取得する）ことができる。
【０４５８】
被写体情報検出部７１は、二次撮影制御部７３から受け取った被写体ＩＤを、被写体情報として、一次撮影制御部７２に出力する。
【０４５９】
記念撮影スポット６２にいる被写体６５の撮影ボタン押下に連動して、被写体情報が被写体情報検出部７１から出力される。よって被写体情報は、また、被写体６５が撮影スポットである記念撮影スポット６２にいることを示す。
【０４６０】
一次撮影制御部７２は、被写体情報検出部７１から受け取った被写体情報をトリガーとして、撮影カメラ６３に写真撮影を指示する。写真撮影の指示には、受け取った被写体ＩＤを含んでもよい。
【０４６１】
写真撮影の指示は、撮影制御サーバ７０から撮影カメラ６３へ出力される。撮影カメラ６３は、一次撮影制御部７２からの写真撮影指示を受け取ると、記念撮影スポット６２の写真撮影を行う。撮影カメラ６３は、写真撮影を行った時刻を示す情報（撮影時刻）と、この時刻に写真撮影を行うことで得られた写真データと関連付ける。撮影時刻は、写真データに含まれていてもよいし写真データとは別であってもよい。
【０４６２】
撮影カメラ６３は、撮影データ一時記憶部７４に撮影データを保存する指示を行う。この指示は、撮影データおよび被写体ＩＤとともに、撮影制御サーバ７０へ出力される。撮影制御サーバ７０は、受け取った指示に従って、撮影データを撮影データ一時記憶部７４に保存する。また、撮影制御サーバ７０は、撮影カメラ６３から受け取った撮影データを被写体ＩＤおよび撮影データの撮影時刻と紐付ける情報をテーブルとして撮影データ一時記憶部７４に一時保存する。
【０４６３】
二次撮影制御部７３は、被写体識別情報入力部７６からの被写体ＩＤを受け取り、撮影データ一時記憶部７４から、撮影カメラ６３によって撮影された撮影データを読み出し、撮影データ一時記憶部７４に保存されていた撮影データの被写体ＩＤと、被写体識別情報入力部７６から受け取った被写体ＩＤとが一致することを確認した上で、この撮影データを撮影データ記憶部７５の被写体ＩＤに紐付く領域に保存する。
【０４６４】
なお、被写体情報検出部７１、一次撮影制御部７２、被写体識別情報入力部７６、及び二次撮影制御部７３は、プロセッサがメモリに格納されたプログラムを実行することにより機能し、上述の各機能部を制御する。
【０４６５】
＜３−３．動作＞
次に、図２９に示す撮影制御システム３の動作について説明する。
【０４６６】
図３０は、図２９に示す撮影制御システム３の撮影処理の被写体ＩＤと撮影データを紐付けるテーブルの一例を示す図である。図３０のテーブルでは、被写体ＩＤ６の被写体を撮影した撮影データＰ１は、時刻ｔ２１に撮影されたことを示し、被写体ＩＤ６の被写体を撮影した撮影データＰ２は、時刻ｔ２２に撮影されたことを示している。このテーブルに相当するデータは、撮影データとともに撮影データ記憶部７５のテーブルに保存される。このようにすることで、撮影データＰ１は、被写体ＩＤ６と紐付けて撮影データ記憶部７５に保存される。
【０４６７】
図３１は、図２９に示す撮影制御システム３の撮影処理の手順の一例を示すフローチャートである。
【０４６８】
被写体識別情報入力部７６は被写体識別リストバンド６６のＩＣチップから被写体ＩＤを取得すると、この被写体ＩＤを被写体識別情報として出力する。この被写体識別情報は、上述したとおり、二次撮影制御部７３に出力される。
【０４６９】
ステップＳ１４０１では、例えば、二次撮影制御部７３は、撮影用端末６４から被写体識別情報を受け取ったかどうかを判定することで、撮影用端末６４において被写体ＩＤの取得があったかどうかを判定する。
【０４７０】
撮影用端末６４から被写体識別情報を受け取った場合、撮影用端末６４において被写体ＩＤの取得があったと判定し（ステップＳ１４０１でＹｅｓ）、ステップＳ１４０２へ進む。
【０４７１】
一方、撮影用端末６４から被写体識別情報を受け取らなかった場合、撮影用端末６４において被写体ＩＤの取得がなかったと判定し（ステップＳ１４０１でＮｏ）、ステップＳ１４０１に戻る。
【０４７２】
また、被写体６５が撮影用端末６４の被写体識別情報入力部７６に組み込まれた撮影ボタンを押下すると、被写体識別情報入力部７６は、撮影トリガーを出力する。この撮影トリガーは、撮影制御サーバ７０へ出力される。撮影制御サーバ７０は、撮影トリガーを受け取ると、撮影カメラ６３による写真撮影を指示する。
【０４７３】
写真撮影の指示を受け取ると撮影カメラ６３は、写真撮影を行う。また、撮影カメラ６３は、撮影データを撮影データ一時記憶部７４に保存する指示を行う、この指示は、撮影データとともに、撮影制御サーバ７０へ出力される。撮影制御サーバ７０は、指示に従って受け取った、撮影データを撮影データ一時記憶部７４に保存する（ステップＳ１４０２）。
【０４７４】
具体的には、二次撮影制御部７３は、撮影用端末６４からの撮影トリガーを受けると、メモリに保持した被写体ＩＤを被写体情報検出部７１に出力する。これは、ステップＳ１４０１において受け取った被写体識別情報（被写体ＩＤ）が被写体情報検出部７１に出力されることを意味する。被写体情報検出部７１は、二次撮影制御部７３から受け取った（または取得した）被写体ＩＤを、被写体情報として一次撮影制御部７２に出力する。一次撮影制御部７２は、被写体情報検出部７１からの被写体情報を受け取ると、撮影カメラ６３に写真撮影を指示する。撮影カメラ６３は、撮影した撮影データを撮影データ一時記憶部７４に一時保存する。
【０４７５】
次に、二次撮影制御部７３は、一時保存された撮影データを撮影データ一時記憶部７４から読み出し、メモリに保存された撮影データの被写体ＩＤと、被写体識別情報入力部７６で取得された被写体ＩＤが一致していることを確認した上で、撮影データ記憶部７５に撮影データを保存する。また、撮影データと被写体ＩＤと撮影時刻とを紐付ける情報をテーブルとして撮影データ記憶部７５に保存する。（ステップＳ１４０３）。
【０４７６】
次に、撮影制御システム３の撮影処理の具体的な一例について説明する。
【０４７７】
はじめに、被写体６５は、モニュメント６１のある記念撮影スポット６２に移動し、撮影用端末６４に、被写体ＩＤが組み込まれた被写体識別リストバンド６６をかざす。被写体識別情報入力部７６は、撮影用端末６４が検出した被写体識別リストバンド６６の被写体ＩＤ、すなわち、本実施の形態では、ＩＤ６（被写体ＩＤ６）を取得する。被写体識別情報入力部７６は、被写体６５からの被写体ＩＤの取得があるまでの間は、被写体ＩＤの検出を繰り返しおこなう。被写体ＩＤが取得されると、被写体識別情報入力部７６は、取得した被写体ＩＤを被写体識別情報として二次撮影制御部７３に出力する。二次撮影制御部７３は、被写体識別情報を受け取ると（ステップＳ１４０１でＹｅｓ）、次の処理（ステップＳ１４０２）へ進む。
【０４７８】
被写体識別情報を受け取った二次撮影制御部７３は、撮影者すなわち被写体６５からの撮影指示を待つ。本実施の形態では、撮影用端末６４に備えられた撮影ボタンを押下することで撮影者が撮影指示を出す。なお、撮影用端末６４がさらに表示部を備え、撮影カメラ６３で撮影しようとする画像確認用の映像を表示するようにして、被写体６５が撮影カメラ６３の位置を確認したり、撮影ポーズをとりやすくしたりすることも可能である。
【０４７９】
被写体６５は、時刻ｔ２１に、撮影用端末６４の撮影ボタンを押下して、二次撮影制御部７３に撮影トリガーを発行する。撮影トリガーを受けとった二次撮影制御部７３は、被写体ＩＤを被写体情報検出部７１に出力する。
【０４８０】
二次撮影制御部７３から被写体ＩＤを受けた被写体情報検出部７１は、受け取った被写体ＩＤを被写体情報として一次撮影制御部７２に出力する。
【０４８１】
一次撮影制御部７２は、被写体情報検出部７１からの被写体情報をトリガーにして、撮影カメラ６３に写真撮影を指示する。
【０４８２】
本実施の形態では、撮影カメラ６３は、一次撮影制御部７２からの写真撮影の指示を受け取ると、記念撮影スポット６２の写真撮影を行う。撮影カメラ６３は、撮影データを、撮影データ一時記憶部７４に被写体ＩＤと紐付けて保存する（ステップＳ１４０２）。本実施の形態では、撮影データは、単一の画像データ、すなわち、写真データである。
【０４８３】
続いて、二次撮影制御部７３は、撮影データ一時記憶部７４に保存された撮影データの被写体ＩＤと、取得した被写体ＩＤが一致することを確認し、この撮影データを撮影データ記憶部７５に被写体ＩＤと紐付けて保存する（ステップＳ１４０３）。
【０４８４】
撮影データと被写体ＩＤとの紐付けの一例として、図３０に示したテーブルのような情報を保存する。例えば、時刻ｔ２１に撮影指示が出された撮影データＰ１は、被写体ＩＤ６に紐付けられていることを示している。また、被写体６５が時刻ｔ２２に２枚目の写真の撮影指示を出して、撮影データＰ２として保存されたことも示している。これらの撮影記録を示すデータも、撮影データ記憶部７５に保存される。
【０４８５】
このように、被写体ＩＤに紐付けられて撮影データ記憶部７５に保存された撮影データは、被写体ＩＤ、ここでは被写体ＩＤ６を知り得る被写体６５だけが、アクセスすることが可能で、撮影データ記憶部７５から撮影データを取得することができる。
【０４８６】
以上が、撮影制御システム３の行う撮影処理である。
【０４８７】
本実施の形態では、図２９に示すように、撮影カメラ６３、撮影用端末６４、および撮影制御サーバ７０がそれぞれ、物理的に別体である例を説明した。しかしながら、これに限定をされない。
【０４８８】
例えば、撮影制御サーバ７０の要件は、撮影カメラ６３に組み込まれてもよい。この場合、撮影制御サーバ７０の要件を、撮影カメラ６３に組み込んだ装置を、撮影カメラといってもよいし、撮影制御サーバといってもよい。
【０４８９】
また、例えば、撮影制御サーバ７０の要件は、撮影用端末６４に組み込まれてもよい。この場合、撮影制御サーバ７０の要件を、撮影用端末６４に組み込んだ装置を、撮影用端末といってもよいし、撮影制御サーバといってもよい。
【０４９０】
＜３−４．効果＞
本実施の形態によれば、被写体６５は、自身の被写体ＩＤが登録された被写体識別リストバンド６６を撮影用端末６４にかざして、撮影用端末６４に備えられた撮影ボタンを押すことで、記念撮影スポット６２で、自分自身の写真を撮影することができ、被写体ＩＤを用いて撮影された撮影データを取得することができる。
【０４９１】
また、被写体６５の被写体ＩＤを知ることのできない他の撮影者は、記念撮影スポット６２にいる被写体６５を撮影することも、被写体６５が撮影した撮影データを取得することもできないため、撮影制御システム３では、被写体６５のプライバシーを保護した撮影が可能となる。
【０４９２】
＜４．変形例＞
以上、本開示に係る撮影制御システムの３つの実施の形態を説明したが、例示した撮影制御システムを以下のように変形することも可能であり、本開示が上述の実施の形態で示した通りの撮影制御システムに限られないことは勿論である。
【０４９３】
（１）上述の実施の形態では、撮影データ一時記憶部に一時保存された撮影データおよびテーブルの情報の削除方法について記述していないが、撮影データおよびテーブルの情報の削除は、夜間に撮影制御システムが停止する場合は夜間に削除する、対象となる被写体が全て撮影スポット（又は撮影エリア）から出場した際に削除する、メモリが不足しそうな場合に削除する、一時撮影が終了した時点で削除するなど、撮影制御システムの利用形態に応じて適切な方法で削除することが可能である。
【０４９４】
（２）上述の第１の実施の形態では、パビリオン入口１１とパビリオン出口１２は別の場所に用意され、それぞれに受付端末が設置される形態で説明したが、出入口が一つの場合には、１台の受付端末によって入出場の両方を検出できるようにしてもよい。同様に、撮影エリア入口４２と撮影エリア出口４３についても、出入口を同一とし、一つの受付端末で入出場の両方を検出できるようにしてもよい。
【０４９５】
（３）上述の実施の形態では、被写体ＩＤを識別するために、被写体識別バーコードカード、被写体識別バーコードタグ、及び被写体識別リストバンドを使用する例を示しているが、撮影制御システムの利用形態に応じて、その他の識別方法を用いてもよい。
【０４９６】
例えば、撮影制御システム２のように、撮影データの画像から被写体ＩＤを検出する場合は、被写体ＩＤとして被写体である人物の顔画像の特徴を示す特徴情報を使用することで、顔認識によって被写体を識別することも可能である。また、ＱＲコードの代わりに一次元バーコードやカラーバーコードなどを用いることも可能である。
【０４９７】
また、撮影制御システム１、撮影制御システム３のように、撮影データの画像から被写体ＩＤを検出する必要のない場合には、被写体識別バーコードカードや、ＩＣチップを内蔵した被写体識別リストバンドのようなデバイスの代わりに、スマートフォンのＩＣ機能、ＲＦタグや、ブルートゥース（登録商標）タグ、光ＩＤなどの各種デバイスによる識別手段を利用することも可能である。なお、顔認識、カラーバーコード、ＲＦタグ、ブルートゥースタグ、光ＩＤなどによるＩＤの検出あるいは認識方法については、多くの文献やアルゴリズムが開示されているため、ここでの詳細な説明は割愛する。
【０４９８】
（４）上述の実施の形態では、被写体がパビリオン出口１２や撮影エリア出口４３で、受付端末に対して出場時の手続きを怠る場合がある。例えば、他のパビリオンや撮影エリアに入った際に、直前に入場したパビリオンや撮影エリアの出場処理を自動的に行ったり、パビリオンや撮影エリアに入ってから一定時間が経過したら、自動的に出場処理を行ったりという形態にすることも可能である。また、パビリオンや撮影エリアに入ってから一定時間が経過したら撮影カメラによる撮影を停止してもよい。
【０４９９】
（５）上述の実施の形態では、一つの撮影カメラに対する撮影者が同時に１人しかいない場合の説明をしているが、例えば、複数ある撮影用端末で、異なる被写体ＩＤを持つ撮影者が同時に撮影を行うことも可能である。
【０５００】
本撮影制御システムでは、撮影者が直接撮影カメラに撮影指示を出すのではなく、撮影カメラが撮影し、一時保存された撮影データに対して抽出指示を出す方式であるため、全く同じタイミングで複数の撮影者が指示を出しても、同じ撮影データをそれぞれの被写体ＩＤに対して保存することで、それぞれが満足できる撮影データを取得することができる。
【０５０１】
また、撮影制御システム１の例では、撮影カメラが撮影開始から毎秒６０フレームの撮影を行うため、撮影者が指示を出した場合に得られる撮影データの遅延は、どの撮影者に対しても６０分の１秒以内に収めることができるが、さらに速い動きに対する記念撮影、例えば、遊園地のジェットコースターに乗っている被写体を撮影するような場合には、より速いフレームレートで一次撮影することで、撮影者の満足のいくタイミングでの撮影データを取得することが可能である。
【０５０２】
（６）上述の実施の形態では、撮影用端末が対象とする撮影カメラが一つの場合を説明したが、一つの撮影用端末が複数の撮影カメラの撮影データを対象として、撮影データを取得する構成としてもよい。
【０５０３】
また、二次撮影制御部２６は、被写体情報検出部２１が取得した被写体ＩＤと、被写体識別情報入力部２２が取得した被写体ＩＤとが一致する場合、被写体が撮影可能になっている撮影スポットをユーザに通知するようにしてもよい。例えば、撮影用端末に複数の撮影エリアのリストを表示し、被写体が撮影エリア入口でバーコード等をかざした受付端末のある撮影エリアをハイライト表示することで、被写体がどこの撮影エリアにいるかということもわかり、その撮影エリアに対する撮影を行うことが可能となる。
【０５０４】
また、撮影用端末として、インターネット接続している個人所有の携帯端末に専用プログラムをインストールして使用する場合、被写体ＩＤを予め知っていれば、遠隔地、例えば、自宅から撮影（一時保存された撮影データからの抽出）を行うことも可能であり、本撮影制御システムを用いることで、例えば、遠足に行った子供の写真撮影を行うといった利用形態も可能である。
【０５０５】
（７）上述の実施の形態では、撮影用端末に撮影ボタンを備え、撮影者は撮影ボタンを押下することで撮影、すなわち、撮影データ取得のタイミングを指示しているが、撮影用端末の画面にボタンを表示し、画面上のボタンをタッチパネルにタッチすることで指示することも可能である。
【０５０６】
（８）上述の実施の形態では、撮影カメラで撮影した撮影データを撮影用端末に表示するまでの遅延時間が短い場合、撮影者は、撮影用端末に表示された画像ではなく、実際の被写体を見ながら指示を出すことも可能である。逆に、撮影用端末に表示する撮影データとして、過去に撮影されたものを表示して撮影指示を出すことも可能である。例えば、撮影者と被写体が同一の場合に、撮影者自身が撮影エリアに入って一次撮影された撮影データを、撮影エリアから出た後に確認して、所望のタイミングの写真を取得することも可能である。
【０５０７】
（９）上述の実施の形態では、撮影制御システム２の一次撮影処理で動体が検出されている間の全ての撮影データを撮影データ一時記憶部に保存しているが、二次撮影処理では、被写体ＩＤが検出されない撮影データ（画像フレーム）が抽出されることはないため、一次撮影処理で、予め被写体ＩＤが検出されている撮影データのみを撮影データ一時記憶部に保存することで、撮影データ一時記憶部の容量を節約することも可能である。
【０５０８】
（１０）上述の実施の形態では、撮影制御システム２の一次撮影を行う条件として、被写体が撮影エリアに入っていて、かつ、動体が検出されていることとしているが、被写体が撮影エリアに入っているかどうかを条件にせず、動体検出のみを撮影条件にすることも可能である。また、一次撮影では撮影条件を持たせず、常時撮影を行うことも可能である。
【０５０９】
（１１）上述の実施の形態では、撮影制御システム１は、撮影者が撮影タイミングを指示しているが、例えば、被写体がアトラクションのライドに搭乗する際に、受付端末で被写体ＩＤを通知し、搭乗したライドが撮影カメラの前を通り過ぎる際に自動撮影を行うことで、被写体ＩＤに対する撮影データを取得することも可能である。
【０５１０】
（１２）上述の実施の形態では、撮影制御システム２は、被写体が被写体ＩＤを撮影カメラに写るようにして撮影されたものを抽出しているが、例えば、被写体が搭乗するアトラクションに専用のＩＤを印刷し、搭乗時に被写体ＩＤとアトラクション専用ＩＤを紐付けることで、撮影データの画像からアトラクション専用ＩＤを検出した撮影データを、被写体ＩＤに対する撮影データとして保存してもよい。
【０５１１】
（１３）上述の実施の形態では、撮影データ一時記憶部は、ＦｅＲＡＭなどの不揮発性メモリで実現しているが、ハードディスクや、インターネットクラウド上のストレージを利用したり、ＲＡＭなどの揮発性メモリで実現したりすることも可能である。
【０５１２】
（１４）上述の実施の形態では、撮影制御システム２は、被写体ＩＤが検出されている時間帯の撮影データを撮影データ記憶部に保存しているが、被写体ＩＤが検出され始めてから一定時間の撮影データを抽出するようにしてもよい。この形態にすることで、被写体は、最初に撮影カメラに被写体ＩＤを示した後は、被写体ＩＤが写らないようないろいろなポーズをとって撮影を行うことが可能となる。
【０５１３】
（１５）上述の実施の形態では、撮影エリアに同時に１組の被写体しか入場しないものとして説明しているが、同時に複数の被写体が入場してもよい。例えば、撮影制御システム２で、同じフレームに複数の被写体の被写体識別バーコードタグが検出された場合でも、それぞれの被写体ＩＤに対応する撮影データを、それぞれの被写体ＩＤに紐付けて保存することができる。
【０５１４】
（１６）上述の実施の形態では、撮影制御システム２は、被写体が撮影エリアから出場してから二次撮影処理を開始しているが、被写体が撮影エリアから出場する前に二次撮影処理を開始してもよい。
【０５１５】
（１７）上述の実施の形態では、連続撮影した静止画の撮影データから被写体ＩＤに対応した静止画の撮影データを抽出するもの、動画の撮影データから被写体ＩＤに対応した動画の撮影データを抽出するもの、及び、静止画の撮影データから被写体ＩＤに対応した静止画の撮影データを抽出するものを説明したが、連続撮影した静止画の撮影データから被写体ＩＤに対応した動画の撮影データを抽出したり、動画の撮影データから被写体ＩＤに対応した静止画の撮影データを抽出したりすることも可能である。
【０５１６】
（１８）上述の実施の形態では、１つの撮影エリアに１つの撮影カメラを用いて説明したが、１つの撮影エリアに複数の撮影カメラを設置してもよい。この場合は、入場時に検出された被写体ＩＤは、複数の撮影カメラに対する一次撮影のトリガーとなり、また、それぞれの撮影カメラで撮影された撮影データから被写体ＩＤに対応する撮影データの取得が可能となる。
【０５１７】
また、撮影制御サーバは、撮影カメラの数に応じた数の撮影データ一時記憶部を有していてもよい。この場合、複数の撮影カメラで撮影された撮影データは、それぞれ、対応する撮影データ一時記憶部に一時保存されてもよい。
【０５１８】
複数の撮影データ一時記憶部に一時保存された複数の撮影データの中から被写体ＩＤに対応した撮影データが１つ以上抽出されてもよい。
【０５１９】
また、抽出された１つ以上の撮影データは、前記識別情報に紐付けて前記撮影データ記憶部に記憶されてもよい。
【０５２０】
また、撮影制御サーバは、撮影データ一時記憶部を１つ有し、複数の撮影カメラで撮影された複数の撮影データは、この撮影データ一時記憶部に一時保存されてもよい。
【０５２１】
（１９）上述の実施の形態では、撮影制御システム２の、一次撮影の撮影開始トリガーを動体検出としていたが、動体検出の代わりに人物検出を用いることも可能である。また、被写体が乗り物に乗って撮影カメラの前を移動するような場合には、乗り物が撮影カメラの前を通り過ぎる時間帯をトリガーとして撮影を行うようにすることも可能である。
【０５２２】
（２０）上述の実施の形態では、被写体ＩＤ自体の有効性の確認はしていないが、被写体ＩＤは、利用可能な撮影カメラ及び利用可能な日時のうち少なくとも一方が制限される利用条件を有してもよい。この場合、被写体ＩＤの値に応じて、利用できる撮影カメラや撮影用端末を制限したり、利用できる日時を制限したりすることも可能である。
【０５２３】
（２１）上述の実施の形態では、撮影用端末に対する撮影指示時点の撮影データの抽出が行われているが、撮影指示から一定時間経過後の撮影データの抽出を行ってもよい。例えば、撮影ボタンを押したあとに「はいチーズ」といった音声を出し終わった時点の撮影データの抽出を行うことで、被写体が撮影ボタン押下後に撮影ポーズを取ることも可能となる。
【０５２４】
（２２）上述の実施の形態では、撮影用端末への被写体ＩＤの入力と、撮影ボタンによる撮影の指示とは、別の手順として実行されているが、被写体ＩＤの入力をトリガーに撮影データの抽出を行う、あるいは、被写体ＩＤを入力して一定時間経過後に撮影データの抽出を行うものとしてもよい。
【０５２５】
（２３）上述の実施の形態では、撮影用端末に被写体ＩＤを入力した場合にのみ撮影データの閲覧ができるようにしているが、撮影用端末には、常に撮影カメラからの映像を表示してもよい。
【０５２６】
（２４）上述の実施の形態では、撮影データ記憶部をインターネットで接続されたクラウドサーバ上に構築するものとしているが、観光地やアミューズメント施設内のサーバ上に構築して、施設内の専用端末からダウンロードできるようにしてもよい。また、撮影者の携帯端末に専用プログラムをインストールして利用することで、直接、撮影者の携帯端末に保存する、といった形態も可能である。
【０５２７】
（２５）上述の実施の形態では、撮影データ記憶部に、撮影データと、被写体ＩＤとの紐付け情報の組み合わせテーブルを保存する形態をとっているが、被写体ＩＤ毎に保存領域を分けて用意し、被写体毎の撮影データをそれぞれの保存領域に保存することで、被写体ＩＤとの紐付け情報の組み合わせテーブルを使わないように実現することも可能である。
【０５２８】
（２６）上述の実施の形態では、一つの撮影データ一時記憶部に対して一つの二次撮影制御部を対応づけているが、一つの二次撮影制御部が、複数の撮影データ一時記憶部からの撮影データの抽出を行う構成とすることも可能である。
【０５２９】
（２７）上述の実施の形態では、一つの撮影データ記憶部に対して一つの二次撮影制御部を対応づけているが、複数の二次撮影制御部が、一つの撮影データ記憶部に撮影データを保存する構成とすることも可能である。この形態では、被写体ＩＤを用いて、複数の撮影制御システムで保存された撮影データを、まとめて撮影データ記憶部から取得することが可能となる。
【０５３０】
（２８）上述の実施の形態では、一つの撮影カメラに対して一つの撮影データ一時記憶部を対応づけているが、複数の撮影カメラが一つの撮影データ一時記憶部に撮影データを一時保存する構成とすることも可能である。
【０５３１】
（２９）上述の実施の形態では、一つの一次撮影制御部に対して一つの撮影カメラを対応づけているが、一つの一次撮影制御部を、同じ撮影スポットにいる被写体を互いに異なる撮影状態で撮影する複数の撮影カメラを対応づける構成とすることも可能である。ここで、撮影状態としては、複数の撮影カメラを互いに異なる撮影方向に設置したり、複数の撮影カメラを互いに異なるズーム倍率に設定したりすること等が該当する。これらの形態では、撮影スポットにいる被写体を、複数のアングルから同時に撮影するといった利用形態や複数のズーム倍率で同時に撮影するといった利用形態が可能となる。
【０５３２】
（３０）上述の実施の形態で示した、被写体情報検出部、一次撮影制御部、被写体識別情報入力部、及び二次撮影制御部に係る各処理などを、各装置のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。
【０５３３】
このような記録媒体には、ＩＣカード、ハードディスク、光ディスク、フレキシブルディスク、ＲＯＭ、フラッシュメモリ等がある。流通及び頒布された制御プログラムは、プロセッサに読み出され得るメモリ等に格納されることにより利用に供され、そのプロセッサがその制御プログラムを実行することにより、各実施形態で示したような各機能が実現されるようになる。なお、プロセッサは、制御プログラムを直接実行する他、コンパイルして実行或いはインタプリタにより実行することも可能である。
【０５３４】
（３１）上述の実施形態で示した各機能構成要素（被写体情報検出部、一次撮影制御部、被写体識別情報入力部、二次撮影制御部など）は、その機能を実行する回路として実現されてもよいし、１又は複数のプロセッサによりプログラムを実行することで実現されてもよい。
【０５３５】
なお、上述の各機能構成要素は、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、当然、その技術を用いて機能ブロックの集積化を行うことも可能である。
【０５３６】
（３２）上述の実施の形態及び各変形例を、部分的に組み合せることも可能である。
【産業上の利用可能性】
【０５３７】
本開示に係る撮影制御方法は、撮影スポットに向けて設置されている撮影カメラを利用して撮影スポットにいる被写体を撮影する際、撮影及び撮影データの取得を行えるユーザを特定することができることから、テーマパーク、アミューズメントスポット、観光地などにおける記念撮影用のシステムとして好適である。
【符号の説明】
【０５３８】
１、２、３  撮影制御システム
１３、４７、６３  撮影カメラ
１４、６４  撮影用端末
１５、４８  受付端末
１６  被写体識別バーコードカード
１７  携帯端末
２０、５０、７０  撮影制御サーバ
２１、５１、７１  被写体情報検出部
２２、５２、７６  被写体識別情報入力部
２４、５４、７４  撮影データ一時記憶部
２５、５５、７２  一次撮影制御部
２６、５６、７３  二次撮影制御部
２７、５７、７５  撮影データ記憶部
４６  被写体識別バーコードタグ
６６  被写体識別リストバンド
【図１】
2018186544.tif 000003
【図２】
2018186544.tif 000004
【図３】
2018186544.tif 000005
【図４】
2018186544.tif 000006
【図５】
2018186544.tif 000007
【図６】
2018186544.tif 000008
【図７】
2018186544.tif 000009
【図８】
2018186544.tif 000010
【図９】
2018186544.tif 000011
【図１０Ａ】
2018186544.tif 000012
【図１０Ｂ】
2018186544.tif 000013
【図１０Ｃ】
2018186544.tif 000014
【図１０Ｄ】
2018186544.tif 000015
【図１０Ｅ】
2018186544.tif 000016
【図１０Ｆ】
2018186544.tif 000017
【図１１】
2018186544.tif 000018
【図１２】
2018186544.tif 000019
【図１３】
2018186544.tif 000020
【図１４】
2018186544.tif 000021
【図１５】
2018186544.tif 000022
【図１６】
2018186544.tif 000023
【図１７】
2018186544.tif 000024
【図１８】
2018186544.tif 000025
【図１９】
2018186544.tif 000026
【図２０】
2018186544.tif 000027
【図２１】
2018186544.tif 000028
【図２２】
2018186544.tif 000029
【図２３】
2018186544.tif 000030
【図２４】
2018186544.tif 000031
【図２５】
2018186544.tif 000032
【図２６】
2018186544.tif 000033
【図２７】
2018186544.tif 000034
【図２８】
2018186544.tif 000035
【図２９】
2018186544.tif 000036
【図３０】
2018186544.tif 000037
【図３１】
2018186544.tif 000038